(57)【特許請求の範囲】
【請求項１】
一面側に開口を有する外枠と、
その外枠に対し前記一面側に開閉可能に配設される開閉手段と、
遊技媒体を送出する送出部を有し、その送出部から送出する遊技媒体を貯留可能に形成され、前記一面側から見て前記外枠の内側に取り外し可能に配設される遊技媒体送出手段と、を備えた遊技機において、
前記遊技媒体送出手段には、前記送出部から重力方向上方側に所定の距離離間する位置に配設され操作可能に形成される操作部と、前記操作部から重力方向下方側に向かって突出される突出部とを備える所定部材が変位可能に配設され、
前記遊技媒体送出手段の前記取り外しを行った場合に、前記所定部材も共に取り外される構成であり、
前記所定部材は、前記送出部からの遊技媒体の送出を許容する第１位置と、前記送出部からの遊技媒体の送出を規制可能な第２位置との間で変位可能とされることを特徴とする遊技機。
【請求項２】
基板ボックスを備えることを特徴とする請求項１記載の遊技機。
【発明の詳細な説明】
【技術分野】
【０００１】
本発明は、パチンコ機などの遊技機に関するものである。
【背景技術】
【０００２】
外枠と、その外枠に対し一面側に開閉可能に配設される開閉手段と、遊技媒体を送出する送出部を有し、取り外し可能に配設される遊技媒体送出手段とを備えた遊技機が知られている（特許文献１）。
【先行技術文献】
【特許文献】
【０００３】
【特許文献１】特開２００８−２２０７３９号公報
【発明の概要】
【発明が解決しようとする課題】
【０００４】
しかしながら、上述した従来の遊技機では、遊技媒体送出手段を取り外す場合に、遊技媒体が散らばる虞があるという問題点があった。
【０００５】
本発明は、上記例示した問題点を解決するためになされたものであり、遊技媒体送出手段を取り外す場合に、遊技媒体が散らばることを抑制することができる遊技機を提供することを目的とする。
【課題を解決するための手段】
【０００６】
この目的を達成するために請求項１記載の遊技機は、一面側に開口を有する外枠と、その外枠に対し前記一面側に開閉可能に配設される開閉手段と、遊技媒体を送出する送出部を有し、その送出部から送出する遊技媒体を貯留可能に形成され、前記一面側から見て前記外枠の内側に取り外し可能に配設される遊技媒体送出手段と、を備えたものであり、前記遊技媒体送出手段には、前記送出部から重力方向上方側に所定の距離離間する位置に配設され操作可能に形成される操作部と、前記操作部から重力方向下方側に向かって突出される突出部とを備える所定部材が変位可能に配設され、前記遊技媒体送出手段の前記取り外しを行った場合に、前記所定部材も共に取り外される構成であり、前記所定部材は、前記送出部からの遊技媒体の送出を許容する第１位置と、前記送出部からの遊技媒体の送出を規制可能な第２位置との間で変位可能とされる。
【０００７】
請求項２記載の遊技機は、請求項１記載の遊技機において、基板ボックスを備える。
【発明の効果】
【０００９】
請求項１記載の遊技機によれば、遊技媒体排出手段を移動させる場合に、遊技媒体が散らばることを抑制することができる。
【図面の簡単な説明】
【００１２】
【図１】第１実施形態におけるスロットマシンの正面図である。
【図２】前扉を閉じた状態のスロットマシンの斜視正面図である。
【図３】前扉を開いた状態のスロットマシンの斜視正面図である。
【図４】前扉の背面図である。
【図５】筐体の正面図である。
【図６】左リールの組立斜視図である。
【図７】左リール，中リール，右リールのそれぞれに巻かれるベルトに描かれた図柄配列が示されている。
【図８】セレクタの内部構造を示す図である。
【図９】スロットマシンの電気的構成を示すブロック図である。
【図１０】筐体からホッパ装置を取り出した状態におけるスロットマシンの分解斜視正面図である。
【図１１】（ａ）は、筐体およびホッパ装置の斜視正面図であり、（ｂ）は、筐体およびホッパ装置の断面図である。
【図１２】（ａ）は、ホッパ装置の正面図であり、（ｂ）は、図１２（ａ）の矢印ＸＩＩｂ方向視におけるホッパ装置の側面図である。
【図１３】ホッパ装置の分解斜視正面図である。
【図１４】（ａ）は、貯留タンクの上面図であり、（ｂ）は、図１４（ａ）の矢印ＸＩＶｂ方向視における貯留タンクの側面図であり、（ｃ）は、図１４（ａ）の矢印ＸＩＶｃ方向視における貯留タンクの側面図である。
【図１５】排出装置の分解斜視正面図である。
【図１６】図１３の矢印ＸＶＩ方向視における排出装置の上面図である。
【図１７】図１５の矢印ＸＶＩＩ方向視における排出装置の上面図である。
【図１８】（ａ）は、排出用通路の正面図であり、（ｂ）は、排出用通路の斜視正面図である。
【図１９】（ａ）は、ホッパ装置および排出用通路の正面図であり、（ｂ）は、ホッパ装置および排出用通路の側面図である。
【図２０】（ａ）は、図１９（ｂ）のＸＸａ−ＸＸａ線におけるホッパ装置および排出用通路の断面図であり、（ｂ）は、図２０（ａ）のＸＸｂ−ＸＸｂ線におけるホッパ装置および排出用通路の断面図である。
【図２１】（ａ）は、図１２（ｂ）のＸＸＩａ−ＸＸＩａ線におけるホッパ装置の断面図であり、（ｂ）は、図２１（ａ）のＸＸＩｂ−ＸＸＩｂ線におけるホッパ装置の断面図である。
【図２２】（ａ）は、ホッパ装置および排出用通路の断面図であり、（ｂ）は、図２２（ａ）のＸＸＩＩｂ−ＸＸＩＩｂ線における、ホッパ装置および排出用通路の断面図である。
【図２３】（ａ）は、第２実施形態におけるホッパ装置および排出用通路の断面図であり、（ｂ）は、図２３（ａ）のＸＸＩＩＩｂ−ＸＸＩＩＩｂ線におけるホッパ装置および排出用通路の断面図である。
【図２４】（ａ）は、第３実施形態におけるホッパ装置の正面図であり、（ｂ）は、図２４（ａ）のＸＸＩＶｂ−ＸＸＩＶｂ線におけるホッパ装置の断面図である。
【図２５】（ａ）は、ホッパ装置の断面図であり、図２５（ｂ）は、ホッパ装置および連通部の断面図である。
【図２６】（ａ）は、第４実施形態におけるホッパ装置の正面図であり、（ｂ）は、図２６（ａ）のＸＸＶＩｂ−ＸＸＶＩｂ線におけるホッパ装置の断面図である。
【図２７】第５実施形態における貯留タンクの分解斜視正面図である。
【図２８】（ａ）は、ホッパ装置の正面図であり、（ｂ）は、図２８（ａ）のＸＸＶＩＩＩｂ−ＸＸＶＩＩＩｂ線におけるホッパ装置の断面図である。
【図２９】（ａ）は、ホッパ装置の正面図であり、（ｂ）は、図２９（ａ）のＸＸＩＸｂ−ＸＸＩＸｂ線におけるホッパ装置の断面図である。
【図３０】第６実施形態におけるホッパ装置の分解斜視正面図である。
【図３１】ホッパ装置の側面図である。
【発明を実施するための形態】
【００１３】
以下、本発明の実施形態について、添付図面を参照して説明する。まず、図１から図２２を参照し、第１実施形態として、本発明をスロットマシン１０に適用した場合の一実施形態について説明する。図１は、第１実施形態におけるスロットマシン１０の正面図である。図２は、前扉１２を閉じた状態のスロットマシン１０の斜視正面図であり、図３は、前扉１２を開いた状態のスロットマシン１０の斜視正面図である。図４は、前扉１２の背面図であり、図５は、筐体１１の正面図である。
【００１４】
なお、以下の説明では、図１に示す状態のスロットマシン１０に対して、紙面手前側を前方（正面）側として、紙面奥側を後方（背面）側として説明する。また、図１に示す状態のスロットマシン１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、スロットマシン１０の上下方向，左右方向，前後方向をそれぞれ示している。
【００１５】
図１から図５に示すように、スロットマシン１０は、その外郭を形成する筐体１１を備えている。筐体１１は、図３及び図５に示すように、木製板状に形成された天板１１ａ，底板１１ｂ、左側板１１ｄおよび右側板１１ｅからなり、隣接する各板１１ａから１１ｅが接着等の固定手段によって固定されることにより、全体として正面側（矢印Ｆ方向側）の一面を開放した箱状に形成されている。なお、各板１１ａ〜１１ｅは木製のパネルによって構成する以外に、合成樹脂材料または金属材料によって一体の箱状に形成することによって構成してもよい。以上のように構成された筐体１１は、遊技ホールへの設置の際にいわゆる島設備に対し釘を打ち付ける等して取り付けられる。
【００１６】
また、筐体１１の底板１１ｂには、筐体１１の開放側（矢印Ｆ方向側）の内面に、板状体からなる金属製の金属プレート１１ｂ１が配置される。これにより、後述する前扉１２が筐体１１の正面（開放）側に配設される場合に、前扉１２の一部を金属プレート１１ｂ１に乗り上げさせて配設でき、この際に筐体１１の底板１１ｂが擦れて脆くなることを抑制できる。また、前扉１２の一部を金属プレート１１ｂ１の正面側に乗り上げて配設することで、前扉１２を筐体１１の底面１１ｂで支えることができる（即ち、金属プレート１１ｂ１を補強として利用できる）。これにより、後述する筐体１１の支軸２５ａ，２５ｂおよび前扉１２の支持金具２６ａ，２６ｂが破損することを抑制できる。
【００１７】
筐体１１の正面側（矢印Ｆ方向側）には、前面開閉扉としての前扉１２が開閉可能に取り付けられている。即ち、筐体１１の左側板１１ｄには、図５に示すように、上下一対の支軸２５ａ，２５ｂが設けられている。支軸２５ａ，２５ｂは上方に向けて突出された先細り形状の軸部を備えている。一方、前扉１２には、図４に示すように、各軸２５ａ，２５ｂに対応して当該支軸２５ａ，２５ｂの軸部が挿入される軸支孔を備えた支持金具２６ａ，２６ｂが設けられている。そして、各支軸２５ａ，２５ｂの上方に支持金具２６ａ，２６ｂを配置させたうえで前扉１２を降下させることにより、支持金具２６ａ，２６ｂの挿入孔に支軸２５ａ，２５ｂの軸部が挿入された状態とされる。これにより、前扉１２は筐体１１に対して両支軸２５ａ，２５ｂを結ぶ上下方向（矢印Ｕ−Ｄ方向）へ延びる開閉軸線を中心として回動可能に支持され、その回動によって筐体１１の前面開放側を開放したり閉鎖することができるように構成されている。
【００１８】
なお、以下の説明では、図２に示すように前扉１２が筐体１１に対して閉鎖された状態（筐体１１の開放面に前扉１２が配設された状態）を閉鎖状態として、図３に示すように前扉１２が筐体１１に対して開放された状態（筐体１１の開放面が開放された状態）を開放状態として説明する。また、以下の説明では、特段の説明がない限り、前扉１２が筐体１１に対して閉鎖された閉鎖状態での説明をするものとする。
【００１９】
前扉１２は、その裏面に設けられた施錠装置によって開放不能な施錠状態とされる。また、前扉１２の右端側（矢印Ｒ方向側）の上部（矢印Ｕ方向部分）には、図１に示すように、解錠操作部のキーシリンダ２０が設けられている。キーシリンダ２０は施錠装置と一体化されており、キーシリンダ２０に対する所定キー操作によって施錠状態が解錠されるように構成されている。そこで、施錠装置を含むロック機構について概略を説明する。
【００２０】
前扉１２の右端側、すなわち前扉１２の開閉軸の反対側（矢印Ｒ方向側）には、その裏面に施錠装置が設けられている。施錠装置は、図３及び図４に示すように、上下方向に延び前扉１２に固定された基枠と、基枠の上部から前扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前扉１２の前方に突出した状態で設けられている。キーシリンダ２０が設けられる位置は前扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。
【００２１】
連動杆２１は、キーシリンダ２０に差し込んだキーを時計回りに操作することで下方へ移動される。連動杆２１には、鉤形状をなす上下一対の鉤金具２２が設けられており、筐体１１に対して前扉１２を閉鎖した際（閉鎖状態）には、鉤金具２２が筐体１１側の支持金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と支持金具２３との係止状態が解除され、筐体１１に対する前扉１２の施錠状態が解除される。
【００２２】
前扉１２の中央部上寄り（矢印Ｕ方向寄り）には、図１に示すように、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明または半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。
【００２３】
図３に示すように、筐体１１は仕切り板５によりその内部が上下２分割されており、仕切り板４０の上部には、表示装置を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状ベルトとして構成されていればよく、円筒状（円環状）に限定されるものではない。各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００２４】
これら各リール４２Ｌ，４２Ｍ，４２Ｒは、それぞれがステッピングモータ６１Ｌ，６１Ｍ，６１Ｒに連結されており、各ステッピングモータ６１Ｌ，６１Ｍ，６１Ｒの駆動により各リール４２Ｌ，４２Ｍ，４２Ｒが個別に、即ちそれぞれ独立して回転駆動し得る構成となっている。これら各リール４２Ｌ，４２Ｍ，４２Ｒは同様の構成をしているため、ここでは左リール４２Ｌを例に挙げて図６に基づいて説明する。なお、図６は左リール４２Ｌの組立斜視図である。
【００２５】
左リール４２Ｌは、円筒状のかごを形成する円筒骨格部材５０と、その外周面において無端状に巻かれた帯状のベルトとを備えている。そして、その巻かれた状態を維持するように、ベルトの長辺両側に沿って形成された一対のシール部を介して円筒骨格部材５０に貼付されている。前記ベルトの外周面には、識別情報としての図柄が等間隔ごとに多数印刷されている。円筒骨格部材５０の中心部にはボス部５１が形成されており、円盤状のボス補強板５２を介して左リール用ステッピングモータ６１Ｌの駆動軸に取り付けられている。従って、左リール用ステッピングモータ６１Ｌの駆動軸が回転することによりその駆動軸を中心として円筒骨格部材５０が自転するように回転され、左リール４２Ｌが円環状のリール面に沿って周回するようになっている。
【００２６】
左リール用ステッピングモータ６１Ｌは、リールユニット４１（図３）内において起立状態に配置されたモータプレート５３の側面にねじ５４で固定されている。モータプレート５３には、発光素子５５ａと受光素子５５ｂとが所定間隔をおいて保持されたリールインデックスセンサ（回転位置検出センサ）５５が設置されている。一方、左リール４２Ｌと一体化されたボス補強板５２には、半径方向に延びるセンサカットバン５６の基端部５６ｂがねじ５７で固定されている。このセンサカットバン５６の先端部５６ａは、略直角に屈曲されてリールインデックスセンサ５５の両素子５５ａ，５５ｂの間を通過できるように位置合わせがなされている。そして、左リール４２Ｌが１回転するごとにセンサカットバン５６の先端部５６ａの通過をリールインデックスセンサ５５が検出し、その検出の都度、後述する主制御装置１３１に検出信号が出力される。従って、主制御装置１３１はこの検出信号に基づいて左リール４２Ｌの角度位置を１回転ごとに確認し補正できる。
【００２７】
ステッピングモータ６１Ｌは例えば５０４パルスの駆動信号（励磁信号あるいは励磁パルスとも言う。以下同じ）を与えることにより１回転されるように設定されており、この励磁パルスによってステッピングモータ６１Ｌの回転位置、すなわち左リール４２Ｌの回転位置が制御される。
【００２８】
各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、リールインデックスセンサ５５の検出信号が出力された時点からのパルス数により、どの図柄が表示窓３１Ｌから視認可能な状態となっているかを認識したり、任意の図柄を表示窓３１Ｌから視認可能な状態としたりする制御を行うことができる。
【００２９】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００３０】
ここで、各リール４２Ｌ，４２Ｍ，４２Ｒに付される図柄について説明する。図７には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では当該番号を使用して説明する。
【００３１】
図柄としては、ビッグボーナスゲームに移行するための第１特別図柄としての「７」図柄（例えば、左ベルト第２０番目）と「青年」図柄（例えば、左ベルト１９番目）とがある。また、レギュラーボーナスゲームに移行するための第２特別図柄としての「ＢＡＲ」図柄（例えば、左ベルト第１４番目）がある。また、次回の遊技がメダルの投入無しに実行可能なリプレイゲームに移行するための第３特別図柄としての「リプレイ」図柄（例えば、左ベルト第１１番目）がある。また、小役の払出が行われる小役図柄としての「スイカ」図柄（例えば、左ベルト第９番目）、「ベル」図柄（例えば、左ベルト第８番目）、「チェリー」図柄（例えば、左ベルト第４番目）がある。そして、図７に示すように、各リール４２Ｌ，４２Ｍ，４２Ｒに巻かれるベルトにおいて、各種図柄の数や配置順序は全く異なっている。
【００３２】
なお、リールユニット４１の各リール４２Ｌ，４２Ｍ，４２Ｒは識別情報を変動表示する表示装置の一例であり、表示装置はこれ以外の構成であってもよい。例えば、ベルトを自転させるのではなく周回させるタイプ等の他の機械的なリール構成としてもよく、また、機械的なリール構成に代えて、或いはこれに加えて、液晶表示器、ドットマトリックス表示器等の電気的表示により識別情報を変動表示させるものを設けてもよく、この場合は表示形態に豊富なバリエーションをもたせることが可能となる。
【００３３】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル払出処理や特定遊技への移行処理などが実行される。
【００３４】
ここで、入賞となった場合の各図柄に関する払出枚数について説明する。小役図柄に関し、「スイカ」図柄が有効ライン上に左・中・右と揃った場合には１５枚のメダル払出、「ベル」図柄が有効ライン上に左・中・右と揃った場合には８枚のメダル払出、左リール４２Ｌの「チェリー」図柄が有効ライン上に停止した場合には２枚のメダル払出が行われる。即ち、中リール４２Ｍ及び右リール４２Ｒの「チェリー」図柄はメダル払出と無関係である。また、「チェリー」図柄に限っては、他の図柄との組合せとは無関係にメダル払出が行われるため、左リール４２Ｌの複数の有効ラインが重なる位置（具体的には上段又は下段）に「チェリー」図柄が停止した場合には、その重なった有効ラインの数を乗算した分だけのメダル払出が行われることとなり、結果として本実施の形態では４枚のメダル払出が行われる。
【００３５】
また、その他の図柄に関しては、第１特別図柄（ビッグボーナス図柄）の組合せである「７」図柄又は「青年」図柄が同一図柄にて有効ライン上に左・中・右と揃った場合には１５枚のメダル払出、第２特別図柄（レギュラーボーナス図柄）の組合せである「ＢＡＲ」図柄が有効ライン上に左・中・右と揃った場合にも１５枚のメダル払出が行われる。なお、本実施形態においては、例えば「７」図柄と「チェリー」図柄とが同時に成立する場合が生じ得るが、かかる場合におけるメダル払出は１５枚である。これは、１回のメダル払出における上限枚数が１５枚に設定されているためである。
【００３６】
更に、第３特別図柄の組合せである「リプレイ」図柄が有効ライン上に左・中・右と揃った場合にはメダル払出は行われない。その他の場合、即ち有効ライン上に左リール４２Ｌの「チェリー」図柄が停止せず、また有効ライン上に左・中・右と同一図柄が揃わない場合が外れとなり、この場合には一切メダル払出は行われない。
【００３７】
遊技パネル３０の下方左側には、図１に示すように、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち図柄の変動表示を開始させるべく始動操作が行われる始動操作手段を構成する。スタートレバー７１は、遊技者が遊技（ゲーム）を開始するときに手で押し操作するレバーであり、内蔵されるバネにより手が離れたあと元の位置に自動復帰する。メダルが投入されているときにこのスタートレバー７１が操作されると、各リール４２Ｌ，４２Ｍ，４２Ｒが一斉に回転を始める。
【００３８】
スタートレバー７１の右側には、図１に示すように、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。ストップスイッチ７２，７３，７４はリール４２Ｌ，４２Ｍ，４２Ｒの回転に基づく変動表示を停止させるべく操作される停止操作手段を構成する。各ストップスイッチ７２，７３，７４は、左リール４２Ｌが回転を開始してから所定時間が経過すると停止させることが可能な状態となり、かかる状態中には図示しないランプが点灯表示されることによって停止操作が可能であることが報知され、回転が停止すると消灯されるようになっている。
【００３９】
表示窓３１Ｌ，３１Ｍ，３１Ｒの下方右側には、図１に示すように、遊技を行うための遊技媒体としてのメダルを投入するためのメダル投入口７５が設けられている。メダル投入口７５は遊技媒体を受入可能な受入口を構成する。また、メダル投入口７５が遊技者によりメダルを直接投入するという動作を伴う点に着目すれば、遊技媒体を直接入力する直接入力手段を構成するものともいえる。
【００４０】
メダル投入口７５から投入されたメダルは、図３に示すように、前扉１２の背面に設けられたセレクタ８３によって貯留用通路８１か排出用通路８２のいずれかへ導かれる。セレクタ８３には、後述するメダル通路切替部材８４が設けられ、そのメダル通路切替部材８４の状態に応じてメダルの通過方向が排出用通路８２側か、貯留用通路８１側かで切り替えられるようになっている。貯留用通路８１に導かれたメダルは、筐体１１の内部に収納されたホッパ装置３００へと導かれる。一方、排出用通路８２に導かれたメダルは、前扉１２の正面下部に設けられたメダル排出口１７からメダル受け皿１８へと導かれ、遊技者に返却される。
【００４１】
メダルを遊技者に付与する払出手段としてのホッパ装置３００は、図５に示すように、リールユニット４１の下方に配置される。また、ホッパ装置３００は、図３に示すように、メダルを貯留する貯留タンク４００と、メダルを遊技者に払い出す排出装置５００とより構成されている。排出装置５００は、後述する回転ディスク５２０を回転させることにより、排出用通路８２の中央右部に設けられた開口９４へメダルを排出し、排出用通路８２を介してメダル受け皿１８へメダルを払い出すようになっている。
【００４２】
ホッパ装置３００の右方には、図５に示すように、貯留タンク４００内に所定量以上のメダルが貯留されることを回避するための予備タンク９５が設けられている。ホッパ装置３００の貯留タンク４００内部には、この貯留タンク４００から予備タンク９５へとメダルを排出する誘導プレート４１３が設けられている。したがって、誘導プレート４１３が設けられた高さ以上にメダルが貯留された場合、かかるメダルが予備タンク９５に貯留されることとなる。
【００４３】
メダル投入口７５の下方には、図２に示すように、ボタン状の返却スイッチ７６が設けられている。返却スイッチ７６は、メダル投入口７５に投入されたメダルがセレクタ８３内に詰まった際に押されるスイッチであり、この返却スイッチ７６が押されることによりセレクタ８３が機械的に連動して動作され、当該セレクタ８３内に詰まったメダルがメダル排出口１７より返却されるようになっている。
【００４４】
表示窓３１Ｌ，３１Ｍ，３１Ｒの下方左側には、図２に示すように、遊技媒体としてクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状に形成された第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。
【００４５】
各クレジット投入スイッチ７７〜７９は前記メダル投入口７５と共に遊技媒体を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００４６】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００４７】
スタートレバー７１の左側には、図２に示すように、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果遊技者に返還される獲得メダルの取扱形式を変更するために操作される。
【００４８】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。なお、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は投入価値及び遊技価値の取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。なお、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００４９】
遊技パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００５０】
ここで、メダルがベットされる手順について説明する。ダイレクトモード、クレジットモードのいずれのモードにおいても、遊技の開始時にメダル投入口７５からメダルが投入されるとベットとなる。
【００５１】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００５２】
また、４枚以上のメダルがメダル投入口７５に投入されると、３枚を超える余剰メダルは、そのときのモードがダイレクトモードであればセレクタ８３により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを越える枚数のメダルが投入されたときにはメダル排出口１７からメダル受け皿１８へ返却される。
【００５３】
また、クレジットモードにて遊技が行われ且つ残数表示部３５に貯留枚数が表示されている場合には、第１〜第３クレジット投入スイッチ７７〜７９のいずれかが押された際にも仮想メダルが投入されたこととなりベットとなる。
【００５４】
第３クレジット投入スイッチ７９が押された際には、仮想メダルが１枚投入されたこととして残数表示部３５に表示されている数値が１つディクリメントされ、第１有効ライン表示部３２が点灯して中央ラインが有効ラインとなる。第２クレジット投入スイッチ７８が押された際には、仮想メダルが２枚投入されたこととして残数表示部３５に表示されている数値が２つディクリメントされ、第１有効ライン表示部３２および第２有効ライン表示部３３が点灯して合計３本の組合せラインが有効ラインとなる。第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００５５】
なお、第１〜第３クレジット投入スイッチ７７〜７９のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００５６】
前扉１２の上部には、遊技の進行に伴い点灯したり点滅したりするランプ１３と、遊技の進行に伴い種々の効果音を鳴らしたり、遊技者に遊技状態を報知したりする左右一対のスピーカ１４と、遊技者に各種情報を与える補助表示部１５とが設けられている。ランプ１３は、スロットマシン１０の上辺に沿って横長の形状に形成された上部ランプ１３ａと、その上部ランプ１３ａの左下側に配設された投入異常ランプ１３ｂとにより構成されている。
【００５７】
補助表示部１５は、本実施形態では表示内容の多様化及び表示演出の重厚化を意図して液晶表示器によって構成されているが、ドットマトリックス表示器等の他の表示器を使用してもよい。補助表示部１５は、遊技の進行に伴って各種表示演出を実行するためのものであり、各リール４２Ｌ，４２Ｍ，４２Ｒによる遊技を主表示部によるものと考えることができることから、本実施形態では補助表示部１５と称している。補助表示部１５の背面には上部ランプ１３やスピーカ１４、補助表示部１５を駆動させるための表示制御装置１１１が設けられている。なお、ランプ１３及びスピーカ１４の形状や位置、数等は特に以上説明したものに限られない。
【００５８】
メダル受け皿１８の上方には、図２に示すように、機種名や遊技に関わるキャラクタなどが表示された下段プレート１６が装着されている。また、メダル受け皿１８の左方には、手前側下方に反転可能な灰皿１９が設けられている。
【００５９】
筐体１１の内部においてホッパ装置３００の左方には、図３に示すように、電源ボックス１２１が設けられている。電源ボックス１２１は、電源スイッチ１２２やリセットスイッチ１２３や設定キー挿入孔１２４などを備えている。電源スイッチ１２２は、主制御装置１３１を始めとする各部に電源を供給するための起動スイッチである。
【００６０】
リセットスイッチ１２３は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ１２３を押しながら電源スイッチ１２２をオンすると、バックアップデータがリセットされるようになっている。また、電源スイッチ１２２がオンされている状態でリセットスイッチ１２３を押した場合には、エラー状態がリセットされる。
【００６１】
設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００６２】
リールユニット４１の上方には、図５に示すように、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。基板ボックスは、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。なお、ボックスベースとボックスカバーとを鍵部材を用いて開封不能に連結する構成としてもよい。
【００６３】
図８は、セレクタ８３の内部構造を示す図である。なお、図中の２点鎖線は、理解を容易なものとするためにメダルの通過経路を示したものである。セレクタ８３には、メダル投入口７５から投入されたメダルを貯留用通路８１へ導くための案内通路８５が形成されている。案内通路８５は、メダルが１列で通行可能なようにして、図の上端部から右下部にかけて弧を描くような曲線状に形成されている。より詳しくは、セレクタ８３を構成するセレクタボディには、図の手前側に突出する突条８５ａが設けられており、その突条８５ａに沿って案内通路８５が形成されている。これにより、案内通路８５に到達したメダルは、突条８５ａ上を転がるようにして下流方向へ流れることとなる。
【００６４】
メダル通路切替部材８４は、案内通路８５の上流部に設けられ該案内通路８５に対して出没可能な通路切替片８４ａと、この通路切替片８４ａを動作させるためのソレノイド（図示略）とを有している。ソレノイドの非励磁時には案内通路８５内に通路切替片８４ａが突出し、貯留用通路８１へのメダルの流れが阻害される。これにより、メダルは前記突条８５ａを乗り越えるようにして下方に落下し、排出用通路８２に導かれる。また、ソレノイドの励磁時には案内通路８５外に通路切替片８４ａが没する。これにより、メダルは案内通路８５に沿って流れ、貯留用通路８１に導かれる。
【００６５】
通路切替片８４ａの下流側には、メダルの通過を検出する第１投入メダル検出センサ８６と、第２投入メダル検出センサ８７とが案内通路８５の上流下流に並ぶようにして近接配置されている（少なくとも１時期において同一メダルを同時に検出する状態が生じる程度の近接状態とする）。メダル通路切替部材８４のソレノイド非励磁時には、メダルは案内通路８５の途中から下方に落下するため、各投入メダル検出センサ８６，８７によりメダルの通過が検出されることがない。一方、メダル通路切替部材８４のソレノイド励磁時には、各投入メダル検出センサ８６，８７によりメダルの通過が順次検出される。
【００６６】
次に、本スロットマシン１０の電気的構成について、図９のブロック図に基づいて説明する。図９は、スロットマシン１０の電気的構成を示すブロック図である。
【００６７】
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基盤としての機能を果たすものである。
【００６８】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する第１投入メダル検出センサ８６及び第２投入メダル検出センサ８７（以下、これら各センサを総称する場合、投入メダル検出センサ８６，８７ともいう）、各クレジット投入スイッチ７７，７８，７９の操作を個別に検出するクレジット投入検出センサ７７ａ，７８ａ，７９ａ、切換スイッチ８０の操作を検出する切換検出センサ８０ａ、各リール４２の回転位置（原点位置）を個別に検出するリールインデックスセンサ５５、ホッパ装置３００から払い出されるメダルを検出する払出検出センサ５１５、リセットスイッチ１２３の操作を検出するリセット検出センサ１２３ａ、設定キー挿入孔１２４に設定キーが挿入されたことを検出する設定キー検出センサ１２４ａ等の各種センサが接続されており、これら各種センサからの信号は入出力ポート１５５を介してＣＰＵ１５１へ出力されるようになっている。
【００６９】
また、投入メダル検出センサ８６，８７の検出信号は検出信号ラッチ回路８８にも入力される。この検出信号ラッチ回路８８は、第１投入メダル検出センサ８６からの検出信号と第２投入メダル検出センサ８７からの検出信号とを入力する信号検出回路部と、該信号検出回路部の出力信号をラッチするラッチ回路部とを備える。信号検出回路部はＯＲ回路を主要な構成としており、第１投入メダル検出センサ８６からの検出信号、第２投入メダル検出センサ８７からの検出信号の少なくとも一方の検出信号が入力されることで、それらの論理和に相応する信号がラッチ回路部に出力され、更にラッチ回路部から主制御装置１３１にラッチ信号が出力される。検出信号ラッチ回路８８のラッチ信号出力状態は、主制御装置１３１から信号解除指令が入力されるまで保持される。詳細は後述する。
【００７０】
また、主制御装置１３１の入力側には、入出力ポート１５５を介して電源装置１６１に設けられた停電監視回路１６１ｂが接続されている。電源装置１６１には、主制御装置１３１を始めとしてスロットマシン１０の各電子機器に駆動電力を供給する電源部１６１ａや、上述した停電監視回路１６１ｂなどが搭載されている。
【００７１】
停電監視回路１６１ｂは電源の遮断状態を監視し、停電時はもとより、電源スイッチ１２２による電源遮断時に停電信号を生成するためのものである。そのため停電監視回路１６１ｂは、電源部１６１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１５１と入出力ポート１５５のそれぞれに供給され、ＣＰＵ１５１ではこの停電信号を認識することにより後述する停電時処理が実行される。
【００７２】
電源部１６１ａからは出力電圧が１０ボルト未満まで低下した場合でも、主制御装置１３１などの制御系における駆動電圧として使用される５ボルトの安定化電圧が出力されるように構成されており、この安定化電圧が出力されている時間としては、主制御装置１３１による停電時処理を実行するに十分な時間が確保されている。
【００７３】
主制御装置１３１の出力側には、各有効ライン表示部３２，３３，３４、残数表示部３５、ゲーム数表示部３６、獲得枚数表示部３７、各リール４２Ｌ，４２Ｍ，４２Ｒを回転させるための各ステッピングモータ６１（６１Ｌ，６１Ｍ，６１Ｒ）、セレクタ８３に設けられたメダル通路切替部材８４、ホッパ装置３００、表示制御装置１１１、図示しないホール管理装置などに情報を送信できる外部集中端子板１７１等が入出力ポート１５５を介して接続されている。
【００７４】
表示制御装置１１１は、ランプ１３を構成する上部ランプ１３ａおよび投入異常ランプ１３ｂ、スピーカ１４並びに補助表示部１５を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に各ランプ１３ａ，１３ｂ、スピーカ１４及び補助表示部１５を駆動制御する。従って、表示制御装置１１１は、遊技を統括管理するメイン基盤たる主制御装置１３１との関係では補助的な制御を実行するサブ基盤となっている。即ち、間接的な遊技に関する音声やランプ、表示についてはサブ基盤を設けることにより、メイン基盤の負担軽減を図っている。なお、各種表示部３２〜３７を表示制御装置１１１が制御する構成としてもよい。
【００７５】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、図１０以降に示される各種のフローチャートに示される処理を実行するためのプログラムは、制御プログラムの一部として上述したＲＯＭ１５２に記憶されている。
【００７６】
ＲＡＭ１５３は、スロットマシン１０の電源が遮断された後においても電源ボックス１２１内に設けられた電源装置１６１からバックアップ電圧が供給されてデータを保持（バックアップ）できる構成となっており、ＲＡＭ１５３には、各種のデータ等を一時的に記憶するためのメモリやエリアの他に、バックアップエリアが設けられている。
【００７７】
バックアップエリアは、停電などの発生により電源が遮断された場合において、電源遮断時（電源スイッチ１２２の操作による電源遮断をも含む。以下同様）のスタックポインタや、各レジスタ、Ｉ／Ｏ等の値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理（図１２参照）によって電源遮断時に実行され、バックアップエリアに書き込まれた各値の復帰は電源投入時のメイン処理（図１３参照）において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴う停電フラグ生成処理としてのＮＭＩ割込み処理が即座に実行される。
【００７８】
次いで、図１０から図２２を参照して、ホッパ装置３００について説明する。初めに、図１０及び図１１を参照して、筐体１１に対するホッパ装置３００の配設状態について説明する。図１０は、筐体１１からホッパ装置３００を取り出した状態におけるスロットマシン１０の分解斜視正面図である。図１１（ａ）は、筐体１１及びホッパ装置３００の斜視正面図であり、図１１（ｂ）は、筐体１１及びホッパ装置３００の断面図である。なお、図１１（ａ）では、筐体１１の右側板１１ｅが取り外された状態で図示される。
【００７９】
図１０及び図１１に示すように、筐体１１の下方側（矢印Ｄ方向側）の内面には、電源ボックス１２１及び予備タンク９５の間に一組の規制板１８０が配設され、その一組の規制板１８０の上方（矢印Ｕ方向）にホッパ装置３００が配設される。なお、ホッパ装置３００の一対の規制板１８０の上方への配設方法（筐体１１への配設方法）は、筐体１１の下方側の内面に締結固定された規制板１８０の上方にホッパ装置３００を載置すると共に、筐体１１の正面側（矢印Ｆ方向側）の開放側から後方に押し入れることで行われる。
【００８０】
一組の規制板１８０は、左右方向（矢印Ｌ−Ｒ方向）に所定の距離離間して配設されると共に、前後方向（矢印Ｆ−Ｂ方向）において同一の位置に配設される。また、一組の規制板１８０は、それぞれその形状が反対となる対称に形成される。なお、以下の説明では、正面視において左側（矢印Ｌ方向側）に配設される規制板１８０について説明し、右側（矢印Ｒ方向側）に配設される規制板１８０についての説明は省略する。
【００８１】
規制板１８０は、上面視略矩形の板状体から形成され、その長手方向が前後方向（矢印Ｆ−Ｂ方向）と略平行となる状態で筐体１１に配設される。また、規制板１８０は、上方（矢印Ｕ方向）に向かって突設される案内部１８１と、その案内部１８１の背面側（矢印Ｂ方向側）に位置し上方に向かって突設される第１保持部１８２と、その第１保持部１８２の背面側に位置し上方に向かって突設される第２保持部１８３と、その第２保持部１８３の背面側に位置し上方に向かって突設される背面側規制部１８４と、案内部１８１よりも一組の規制板１８０の対向方向内側に位置し上方に向かって膨出する前方側規制部１８５と、板厚方向に貫通する複数の貫通孔１８６とを主に備えて形成される。
【００８２】
案内部１８１は、後述するホッパ装置３００が規制板１８０の上部に配設される場合のホッパ装置３００の後方（矢印Ｂ方向）への移動を案内するための突起であり、上面視において一組の規制板１８０のそれぞれの案内部１８１が後方（第１保持部１８２側方向、図１０矢印Ｂ方向）に向かって近接する方向に傾斜して形成される。これにより、後述するホッパ装置３００を規制板１８０の上部を後方（矢印Ｂ方向）に向かって移動させる場合に、ホッパ装置３００を案内部１８１の傾斜面に当接させつつ移動させることで、ホッパ装置３００の左右方向（矢印Ｌ−Ｒ方向）における位置を所定の位置に案内しつつ配設できる。
【００８３】
第１保持部１８２は、上方に向かって突設される第１側壁１８２ａと、その第１側壁１８２ａの突設先端面から一組の規制板１８０の対向方向に屈曲して突設される第１屈曲部１８２ｂとを備える。即ち、第１保持部１８２は、断面略Ｌ字状に屈曲して形成される。
【００８４】
第１側壁１８２ａは、ホッパ装置３００が規制板１８０の上部に配設された場合に、ホッパ装置３００が左右方向（矢印Ｌ−Ｒ方向）に位置ずれることを防止する部分であり、一組の規制板１８０の第１側壁１８２ａ同士の対向間の距離寸法が、後述するホッパ装置３００の底壁部５１３に形成される一対の介在部５１３ａ（図１２（ａ）参照）の対向方向における外側の距離寸法よりも大きく設定される。また、一対の第１側壁１８２ａは、対向側の面が上述した一対の案内部１８１の背面側端部よりも対向方向外側に位置される。これにより、ホッパ装置３００が後方に向かって移動する際に案内部１８１により案内されたホッパ装置３００が第１側壁１８２ａの正面側端部に当接して引っ掛かることを抑制できる。その結果、ホッパ装置３００の筐体１１への配設をスムーズに行うことができる。
【００８５】
第１屈曲部１８２ｂは、規制板１８０の対向間の距離寸法が、後述するホッパ装置３００の介在部５１３ａの板厚寸法よりも大きく設定される。これにより、ホッパ装置３００が、一対の第１側壁１８２ａの対向間に配設される場合に、介在部５１３ａの上部を第１屈曲部８１２ｂにより覆うことができる。従って、ホッパ装置３００が傾いた場合には、ホッパ装置３００の介在部５１３ａの上面を第１屈曲部１８２ｂの下面に当接させることで、ホッパ装置３００が倒れることを抑制できる。
【００８６】
第２保持部１８３は、第１保持部１８２の背面側に所定の距離隔てた位置に形成される。また、第２保持部１８３は、上方に向かって突設される第２側壁１８３ａと、その第２側壁１８３ａの突設先端面から一組の規制板１８０の対向方向に屈曲して突設される第２屈曲部１８３ｂとを備える。
【００８７】
なお、第２側壁１８３ａは第１側壁１８２ａと、第２屈曲部１８３ｂは第１屈曲部１８２ｂと、前後方向（矢印Ｆ−Ｂ方向）の延設長さが異なるのみであり、その他の形状は略同一であるのでその詳しい説明は省略する。
【００８８】
背面側規制部１８４は、ホッパ装置３００が、上述した案内部１８１、第１保持部１８２及び第２保持部１８３により案内されて規制板１８０の上部に配設される際に、ホッパ装置３００の後方（矢印Ｂ方向）への移動を規制する部分であり、一対の背面側規制部１８４の対向間寸法が、後述するホッパ装置３００の底壁部５１３の対向方向における外側の距離寸法よりも小さく設定されると共に、上方への突設寸法が規制板１８０の板厚よりも大きく設定される。これにより、ホッパ装置３００が規制板１８０の上部を後方に移動して配設される場合に、所定の配設位置（図１１（ａ）及び図１１（ｂ）に示す位置）で介在部５１３ａを背面側規制部１８４に当接させてホッパ装置３００の移動を規制できる。
【００８９】
前方側規制部１８５は、上述した背面側規制部１８４と左右方向（矢印Ｌ−Ｒ方向）略同一の位置に形成される。また、前方側規制部１８５は、背面側規制部１８４との前後方向（図１０矢印Ｆ−Ｂ方向）の対向間の距離寸法は、ホッパ装置３００の介在部５１３ａの前後方向の延設寸法よりも若干大きく設定される。よって、ホッパ装置３００が、規制板１８０の上部の所定の配設位置に配設される場合に、介在部５１３ａの前後を前方側規制部１８５及び背面側規制部１８４で挟むことができる。その結果、ホッパ装置３００が所定の配設位置に配設される場合に、ホッパ装置３００が前後方向（矢印Ｆ−Ｂ方向）に移動することを規制できる。
【００９０】
また、前方側規制部１８５は、上方への膨出距離が、第１保持部１８２と規制板１８０の上面との対向間寸法よりも小さく設定される。これにより、ホッパ装置３００を規制板１８０の前方側から挿入する場合または、ホッパ装置３００を所定の配設位置から取り出す場合には、介在部５１３ａを前方側規制部１８５に乗り上げさせることで、ホッパ装置３００を移動させることができる。
【００９１】
次いで、図１２から図１７を参照してホッパ装置３００の構成について説明する。図１２（ａ）は、ホッパ装置３００の正面図であり、図１２（ｂ）は、図１２（ａ）の矢印ＸＩＩｂ方向視におけるホッパ装置３００の側面図である。図１３は、ホッパ装置３００の分解斜視正面図である。図１４（ａ）は、貯留タンク４００の上面図であり、図１４（ｂ）は、図１４（ａ）の矢印ＸＩＶｂ方向視における貯留タンク４００の側面図であり、図１４（ｃ）は、図１４（ａ）の矢印ＸＩＶｃ方向視における貯留タンク４００の側面図である。図１５は、排出装置５００の分解斜視正面図である。図１６は、図１３の矢印ＸＶＩ方向視における排出装置５００の上面図である。図１７は、図１５の矢印ＸＶＩＩ方向視における排出装置５００の上面図である。
【００９２】
なお、図１６では、排出装置５００の排出部５１２ｄの開口からメダルが排出される場合のメダルの通過経路（排出経路ＫＲ１）の内側壁面およびローラ５１４ｄの外径が鎖線で図示される。また、図１７では、周壁部５１１の内側に配設される変位部材５１４及びコイルばねＳＰ１の外形が鎖線で図示される。さらに、図１７では、コイルばねＳＰ１が模式的に図示される。また、図１６では、回転ディスク５２０の正回転の回転方向（メダルを排出する際の回転方向）がＸ１の付号を付して矢印で図示される。
【００９３】
図１２及び図１３に示すように、ホッパ装置３００は、メダルを貯留する貯留タンク４００と、その貯留タンク４００の下方（矢印Ｄ方向）に配設されて貯留タンク４００に貯留されたメダルを遊技者に払い出す排出装置５００とから構成される。よって、貯留タンク４００に一定量のメダルを貯留することができると共に、その貯留したメダルを排出装置５００を介して排出できる。なお、貯留タンク４００と排出装置５００との連結方法については後述する。
【００９４】
図１４に示すように、貯留タンク４００は、上方（矢印Ｕ方向）が開放する椀型に形成される収容部４１０と、その収容部４１０の下方（矢印Ｄ方向）に形成される筒状の筒部４２０と、その筒部４２０の下方に形成される連結部４３０と、その連結部４３０の正面側の側面に形成される保持部４４０とを備える。
【００９５】
収容部４１０は、上方（矢印Ｕ方向）が上面視矩形状に開放して形成されると共に、下方側に向かってその内縁が内側に向かって窄む形状に形成される。これにより、収容部４１０に上方の開放側からメダルを貯留しやすくできると共に貯留されるメダルを下方に向かうに従って一か所に集めることができる。また、収容部４１０は、前扉１２（図３参照）側の側面の上方（矢印Ｕ方向）端部に切欠き形成される凹欠部４１１と、予備タンク９５側（図３参照）の側面に開口する開口部４１２と、収容部４１０の内側から外側に向かって延設される共にその延設端部が開口部４１２の下面側内面と連結される誘導プレート４１３と、下方の端部に開口して後述する筒部４２０と連通する連通孔４１４とを主に備える。
【００９６】
凹欠部４１１は、前扉１２が筐体１１に対して閉鎖状態とされる場合に、前扉１２に配設される貯留用通路８１の端部が内側に配置される。従って、貯留用通路８１を案内されるメダルが、貯留用通路８１の端部から排出される際に収容部４１０の外側に飛び出す（排出される）ことを抑制できる。よって、セレクタ８３により貯留用通路８１に案内されたメダルが収容部４１０の外部に落下することを抑制できる。
【００９７】
また、貯留用通路８１のメダルの案内面は、収容部４１０の上方端部よりも低い位置に配置される。これにより、貯留用通路８１から収容部４１０に排出されたメダルが、収容部４１０に貯留されるメダルに落下して跳ね上がった場合に、収容部４１０の上端よりも上方に上がることを抑制できる。よって、セレクタ８３により貯留用通路８１に案内されたメダルが収容部４１０の外部に落下することを抑制できる。
【００９８】
開口部４１２は、収容部４１０の内側に所定量以上のメダルが貯留用通路８１から排出された場合に、そのメダル又は収容部４１０の内側に貯留されたメダルを貯留用通路８１を介して収容部４１０の外側に排出することができる。開口部４１２は、上述したように筐体１１に配設される予備ボックス９２側（図３参照）の側面に形成されており、開口部４１２を介して収容部４１０の外側に排出されるメダルを予備ボックス９２の内部に落下させることができる。
【００９９】
誘導プレート４１３は、開口部４１２へメダルを案内する傾斜面であり、収容部４１０の上端部分と所定の距離を隔てて配設されると共に、開口部４１２側に向かって下降傾斜して形成される。これにより、収容部４１０に所定量以上貯留されたメダルが誘導プレート４１３に乗った場合に、そのメダルを誘導プレート４１３の上面に沿って開口部４１２側に流下させて開口部４１２からより予備ボックス９２の内部に落下させることができる。よって、収容部４１０に所定量以上のメダルが貯留されて、収容部４１０の上側の開放部分からメダルが溢れて収容部４１０の外側に落下することを抑制できる。
【０１００】
連通孔４１４は、後述する筒部４２０の内縁部分に連なる開口であり、収容部４１０の下方側に形成される。これにより、収容部４１０に貯留されるメダルを筒部４２０の内側に案内することができる。
【０１０１】
筒部４２０は、上述したように中空状に形成されており、その軸が正面視において重力方向下方（矢印Ｄ方向）に向かうにつれて左側（矢印Ｌ方向側）に傾斜される。これにより、収容部４１０に貯留されるメダルを筒部４２０の下方側の一部に集めやすくできる。従って、筒部４２０を通過するメダルを傾斜面に沿って案内することができる。よって、収容部４１０に貯留されるメダル量が少ない場合にメダルが筒部４２０の内側を散らばった状態で落下することを抑制できる。
【０１０２】
また、筒部４２０は、側面に開口される複数（本実施形態では５箇）の開口部４２１を備える。開口部４２１は、収容部４１０の内部に入ったゴミを貯留タンク４００の外側部分に排出する部分であり、筒部４２０の重力方向下側に沿う側面に形成される。これにより、貯留されたメダルの間を通過して重力方向に落下するゴミを開口部４２１に案内しやすくできる。その結果、収容部４１０の内部に入ったゴミが排出装置５００に入り込むことを防止でき、排出装置５００が動作不良を引き起こすことを抑制できる。なお、開口部４２１の開口は、メダルの直径よりも小さい内径に形成されており、メダルが開口部４２１を介して貯留タンク４００の外側に落下することを抑制できる。
【０１０３】
連結部４３０は、板状に形成され筒部４２０が連結される本体部４３１と、その本体部４３１の一側（矢印Ｒ方向側）端部に突設される第１係合部４３２と、本体部４３１の他側（矢印Ｌ方向側）端部に突設される第２係合部４３３と備える。
【０１０４】
本体部４３１は、上方の一面側に筒部４２０の端部が連結されると共に、筒部４２０との連結部分に筒部４２０の内縁に沿って板厚方向に貫通する貫通孔が形成される。これにより、筒部４２０の内側を通過するメダルを下方側に案内することができる。さらに、本体部４３１は、筒部４２０が連結される上方の一面側と反対側の下方の一面に沿って、後述する排出装置５００が配設される（図１２参照）。従って、筒部４２０の内側を通過するメダルは、本体部４３１を介して排出装置５００に案内される。
【０１０５】
第１係合部４３２は、後述する排出装置５００の凹部５１１ｂに挿入される突起であり、凹部５１１ｂの内縁形状よりも外形が小さく形成される。従って、貯留タンク４００を排出装置５００に連結する場合に、第１係合部４３２を凹部５１１ｂに挿入することで、貯留タンク４００の一側（矢印Ｒ方向側）を排出装置５００に係合させることができる。
【０１０６】
第２係合部４３３は、後述する排出装置５００の係合片５４２ｂが係合される突起である。従って、貯留タンク４００を排出装置５００に連結する場合に、第２係合部４３３を係合片５４２ｂに係合させることで、貯留タンク４００の他側（矢印Ｌ方向側）を排出装置５００に係合させることができる。
【０１０７】
よって、これら第１係合部４３２及び第２係合部４３３を排出装置５００に係合させることにより、貯留タンク４００及び排出装置５００を連結できる。なお、第１係合部４３２及び第２係合部４３３の排出装置５００への係合方法についての詳しい説明は後述する。
【０１０８】
保持部４４０は、正面視略コ字状に形成され本体部４３１の正面側端面から正面側に向かって突設される。保持部４４０は、後述する排出部５１２ｄの開口の長手方向と平行な方向に延設される支持部４４１と、その支持部４４１の延設方向と直行する方向に屈曲されると共に支持部４４１よりも重力方向下方側に延設される屈曲部４４２とを備える。
【０１０９】
また、保持部４４０は、ホッパ装置３００が、筐体１１の内部に配設された状態において、前扉１２が配設される側（矢印Ｆ方向側）に突設される。言い換えると、保持部４４０は、筐体１１の開放側に配置される。これにより、前扉１２を筐体１１に対して開放状態として、ホッパ装置３００を筐体１１から取り出す作業者に保持部４４０（支持部４４１）を把持させやすくできる。
【０１１０】
ここで、従来より、一面側が開口する箱状の筐体（外枠）と、その筐体の開口側に開閉可能に配設される前扉と、遊技媒体を排出する排出部が形成され、その排出部から排出される遊技媒体を貯留すると共に筐体の内側に着脱可能に配設されるホッパ装置（遊技媒体排出手段）とを備える遊技機が知られている。この遊技機によれば、ホッパ装置は、筐体の内壁と対向する面に凹設される凹設部を備える。作業者は、凹設部の内側に手を入れることで、ホッパ装置を移動させる際の持ち手として利用できる。
【０１１１】
しかしながら、上述した従来の遊技機では、ホッパ装置を移動させる際の持ち手（凹設部）が筐体の内壁と対向する面に形成されるので、作業者が筐体に対して前扉を開放した場合に、筐体の開口側から凹設部を視認しにくくなる。また、凹設部は、前扉に対して筐体を閉鎖すると、前扉により筐体の開放側から視認不能とされる。そのため、遊技者の不正行為（例えば、保持部が形成された部分に貫通穴をあけて、その貫通穴から不正部材を挿入しホッパ装置の内側に配設される検出装置やモータを操作して不正に遊技媒体を排出させる行為）が、凹設部にされると、不正がされた痕跡（例えば、貫通穴が形成された痕）を作業者が発見するためにはホッパ装置を筐体から引き出して凹設部を視認する必要がある。従って、筐体に対して前扉を開放した作業者が不正を発見しにくく、遊技者の不正行為が継続して行われてしまうという問題点があった。
【０１１２】
これに対し、本実施形態によれば、保持部４４０（支持部４４１）が筐体１１の開口側（矢印Ｆ方向側）に突設され、保持部４４０は、前扉１２が筐体１１に対して開放されると筐体１１の開口側から視認可能とされ、前扉１２が筐体１１に対して、閉鎖されると筐体１１の開口側から視認不能とされるので、作業者が、筐体１１に対して前扉１２を開放した場合に、保持部４４０を作業者に視認させやすくできる。従って、不正行為を行うための貫通穴が保持部４４０に形成された場合に、不正がされた痕跡を作業者が発見しやすくなる。その結果、遊技者の不正行為が継続して行われることを抑制できる。
【０１１３】
さらに、保持部４４０は、ホッパ装置３００を移動させる場合の作業者の持ち手として利用させることができるので、保持部４４０に不正が挿入可能な大きさの穴が形成される場合に、保持部４４０を把持した際の感触（例えば、貫通穴を形成する際に形成される突起（バリ）を触った感触）で作業者に不正行為がされた痕跡が合うことを発見させやすくできる。その結果、遊技者の不正行為が継続して行われることを抑制できる。
【０１１４】
なお、不正行為を行うための貫通穴が形成されたもの（不正行為を行った痕跡）が発見された場合には、ホッパ装置３００を新しいユニットに交換する、または、貫通穴が形成された部品を新しい部品（正常な部品）に交換することで、不正行為が継続して行われることを抑制できる。
【０１１５】
また、ホッパ装置３００を保持する部分が、筐体１１の開放側以外の位置に形成される場合には、作業者がホッパ装置３００を把持するための手を筐体１１の内部に入れる必要がある。上述したように、ホッパ装置３００の上部にはリールユニット４１が配設される。特に、近年では、リールユニット４１の上部に配設される表示制御装置１１１（液晶装置）が大型化する傾向があり、その分、リールユニット４１が下方に配設される。これにより、作業者がリールユニット４１とホッパ装置３００との間に手を挿入しにくく、ホッパ装置３００を把持しにくい。さらに、上述したように、ホッパ装置３００の両隣には、予備ボックス９２や電源ボックス１２１が配設される。
【０１１６】
従って、作業者は、ホッパ装置３００及び予備ボックス９２又は電源ボックス１２１との間に手を入れにくいため、ホッパ装置３００を把持しにくい。また、ホッパ装置３００は、後述する貯留タンク４００の収容部４１０にメダルを貯留できる量を多くするために比較的厚みの薄い樹脂材料で形成される。そのため、作業者が貯留タンク４００を把持した場合に、貯留タンク４００が破損する恐れがあった。
【０１１７】
これに対し、本実施形態では、保持部４４０（支持部４４１）が筐体１１の開放側に形成されるので、ホッパ装置３００を筐体１１から取り出す場合に、作業者が筐体１１の内側へ手を入れる必要がなくなると共に、貯留タンク４００を把持する必要をなくすことができる。その結果、作業者に保持部４４０（支持部４４１）を把持させて、ホッパ装置３００を取り出しやすくできると共に、貯留タンク４００を把持して貯留タンク４００が破損することを抑制できる。なお、保持部４４０の形状の詳しい説明については後述する。
【０１１８】
さらに、上述したように、筐体１１の内側には、金属プレート１１ｂ１が配設される（図３参照）。金属プレート１１ｂ１は、光の反射率が比較的高い金属材料（本実施形態では鉄）から形成され、作業者は、金属プレート１１ｂ１の反射を利用して筐体１１の内部を視認することができる。なお、反射率が高いとは、金属プレート１１ｂ１により反射される虚像の外形が、作業者から認識できる程度以上のものを示す。
【０１１９】
ここで、ホッパ装置３００の内側に不正物を挿入することを目的として、排出部５１２ｄの周囲に貫通穴が形成された場合に、その貫通穴が作業者の視点から保持部４４０（支持部４４１）の死角に入ると、作業者が筐体１１に対して前扉１２を開放することのみでは、不正がされた痕跡（貫通穴が形成されること）を筐体１１の開口面から視認して発見することが困難になる恐れがあった。
【０１２０】
これに対し、本実施形態では、光を反射可能な金属プレート１１ｂ１が配設され、金属プレート１１ｂ１によりホッパ装置３００にされる不正の痕跡を筐体１１の開口側から視認できるので、ホッパ装置３００に不正行為がされた場合に、作業者が筐体１１に対して前扉１２を開放することで不正行為がされた痕跡を発見することができる。従って、金属プレート１１ｂ１によりホッパ装置３００にされる不正の痕跡を筐体１１の開口側から視認できるので、作業者は筐体１１に対して前枠１２を開放した後に金属プレート１１ｂ１を確認することのみで、ホッパ装置３００にされる不正の痕跡があるのかを確認できる。その結果、作業者が外枠に対して前扉を開放した際に不正がされた痕跡を発見しやすくできる。
【０１２１】
また、金属プレート１１ｂ１は、筐体１１の内側に配設されるので、筐体１１に対して前扉１２を閉鎖することで、スロットマシン１０の外方から金属プレート１１ｂ１が視認されることを抑制できる。その結果、遊技者が金属プレート１１ｂ１を視認することを抑制でき、遊技者の興趣が阻害されることを抑制できる。
【０１２２】
さらに、金属プレート１１ｂ１は、金属性の板状態から形成されると共に、前記外枠の開口側（矢印Ｆ方向側）の内側底面に配設され、筐体１１の開口側の反対側（矢印Ｂ方向側）の一部にホッパ装置３００が載置される。これにより、作業者が、ホッパ装置３００を筐体１１から引き出す場合に、金属プレート１１ｂ１の端面にホッパ装置３００が引っ掛かることを防止することができると共に、筐体１１の内面がホッパ装置３００と擦れて削れることを抑制できる。即ち、ホッパ装置３００を引き出す場合の当接面として利用できる。
【０１２３】
例えば、ホッパ装置３００をスライド変位させた場合の筐体１１の当接面が、比較的摩耗しやすい（削れやすい）材料（例えば、木材）で形成される場合では、ホッパ装置３００の引き出し動作により、当接面が、摩耗して（削れて）ホッパ装置３００の筐体１１に対するスライド変位を行わせにくくなる。
【０１２４】
これに対して、本実施形態では、ホッパ装置３００をスライド変位させる場合の当接面を金属材料からなる金属プレート１１ｂ１とすることで、筐体１１の内周面が摩耗することを抑制できる。従って、ホッパ装置３００の筐体１１に対するスライド変位を安定して行うことができる。
【０１２５】
また、金属プレート１１ｂ１は、排出部５１２ｄを間に挟んで保持部４４０（支持部４４１）の反対側に配設される。これにより、筐体１１に対して前扉１２を開放した作業者は、保持部４４０側（上方側）から金属プレート１１ｂ１を視認することで、排出部５１２ｄ及び排出部５１２ｄと保持部４４０との間にされた不正の痕跡を発見することができる。
【０１２６】
即ち、ホッパ装置３００の外面に保持部４４０（支持部４４１）が形成されると、排出部５１２ｄや排出部５１２ｄと保持部４４０との間にされた不正の痕跡が、保持部４４０により作業者から死角となる恐れがあるところ、かかる金属プレート１１ｂ１は、排出部５１２ｄを間に挟んで保持部４４０の反対側に配設されるので、保持部４４０により作業者から死角となる部分を反射して、作業者に視認させることができる。その結果、作業者が筐体１１に対して前扉１２を開放した際に、作業者に不正がされた痕跡を発見させやすくできる。
【０１２７】
さらに、排出部５１２ｄの上方（矢印Ｕ方向）に保持部４４０（支持部４４１）が形成され、排出部５１２ｄの下方に金属プレート１１ｂ１が形成される。これにより、前扉１２を筐体１１に対して開放した作業者が金属プレート１１ｂ１の反射を利用して、保持部４４０の死角を視認しやすくできる。
【０１２８】
通常、スロットマシン１０は、ホッパ装置３００の高さ位置が、作業者の視点よりも低い位置で店舗に設置される。そのため、保持部４４０（支持部４４１）の下方側（矢印Ｄ方向側）が、作業者の死角となりやすくなるところ、かかる金属プレート１１ｂ１が、保持部４４０の下方に配設されるので、筐体１１に対して前扉１２を開放した作業者に凸部または凹部の下方部分を視認させやすくできる。その結果、ホッパ装置３００にされた不正の痕跡を作業者に発見させやすくできる。
【０１２９】
図１５から図１７に示すように、排出装置５００は、外殻を形成するハウジング５１０と、そのハウジング５１０の上面に配設される円形状の回転ディスク５２０と、その回転ディスク５２０の外縁に沿って配設されると共にハウジング５１０の上面に配設される排出プレート５３０と、ハウジング５１０の側面に配設される係合部５４０と、ハウジング５１０の内部に配設されると共に回転ディスク５２０に駆動力を付与する駆動モータ５１６に連結されるコネクタ５５０（図１２参照）とを主に備えて形成される。
【０１３０】
ハウジング５１０は、下面および上面が開放する筒状に形成される周壁部５１１と、その周壁部５１１の上面側開口を閉鎖する上壁部５１２と、周壁部５１１の下面側開口を閉鎖する底壁部５１３とを主に備えて形成される。
【０１３１】
周壁部５１１は、下面側の開口端部が水平に形成され、上面側の開口端部が他端側から一端側に向かって下降傾斜して形成される。また、周壁部５１１は、他端側の外側面に立設される立設部５１１ａと、上面側開口内縁の一端側に凹設される凹部５１１ｂとを備える。
【０１３２】
立設部５１１ａは、後述する係合部５４０の外縁と若干の隙間を隔てる位置に形成されており、係合部５４０の外周を覆って配設される。これにより、作業者がホッパ装置３００を移動させる際に、誤って係合部５４０を操作することを抑制できる。
【０１３３】
凹部５１１ｂは、上述したように第１係合部４３２が挿入される凹部であり、第１係合部４３２と対応する位置に凹設される。また、凹部５１１ｂは、上壁部５１２の上面よりも上方に形成される。これにより、第１係合部４３２を凹部５１１ｂに挿入しやすくできる。その結果、第１係合部４３２と凹部５１１ｂとを係合しやすくできる。
【０１３４】
また、図１７に示すように周壁部５１１の内側には、メダルの排出に伴って変位する変位部材５１４と、その変位部材５１４の変位を検出する払出検出センサ５１５と、後述する回転ディスク５２０を回転駆動させる駆動モータ５１６とが配設される。
【０１３５】
変位部材５１４は、略矩形の板状体から形成されると共に、板厚方向（図１７紙面垂直方向）に貫通する貫通孔５１４ａと、長手方向の他側（矢印Ｌ方向側）の端部に上面視Ｌ字状に突出する係合部５１４ｂと、長手方向の一側（矢印Ｒ方向側）の端部に正面視（矢印Ｂ方向視）においてＬ字状に屈曲される検出片５１４ｅと、長手方向（矢印Ｌ−Ｒ方向）において貫通孔５１４ａ及び検出片５１４ｅの間に位置すると共に後述する上壁部５１２側に向かって突出する回転軸５１４ｃと、その回転軸５１４ｃの突出先端に配設されるローラ５１４ｄとを備える。
【０１３６】
貫通孔５１４ａは、上面視円形状に開口されており、その内側に上壁部５１に配設される形成される図示しない円柱体が挿通される。これにより、変位部材５１４は、貫通孔５１４ａを軸に回転可能な状態で上壁部５１２に配設される。
【０１３７】
係合部５１４ｂは、コイルばねＳＰ１の一端が係合される。また、コイルばねＳＰ１は、引き伸ばされた状態で他端が上壁部５１２に係合される。これにより、変位部材５１４は、係合部５１４ｂが形成される一側が、コイルばねＳＰ１の配設方向に引き込まれる方向に付勢された状態で配設される。
【０１３８】
検出片５１４ｅは、略Ｃ字状に形成される払出検出センサ５１５の対向間に、長手方向一側の端部が配設される。払出検出センサ５１５は、略Ｃ字状の一方側から光を照射すると共に、他方側でその光を検出することにより、その対向間に物があるかを検出できる。従って、検出片が５１４ｅが払出検出センサ５１５の対向間に配設されている状態では、その位置に検出片５１４ｅが配置されることをスロットマシン１０に認識させることができると共に、変位部材５１４が回転される場合には、検出片５１４ｅを払出検出センサ５１５の対向間から抜けださせることで、払出検出センサ５１５により変位部材５１４が動作されたことをスロットマシン１０に認識させることができる。
【０１３９】
回転軸５１４ｃは、ローラ５１４ｄを回転可能な状態で支持する円柱体であり、円環状に形成されるローラ５１４ｄの内径よりも小さい外径の円柱に形成される。また、回転軸５１４ｃは、後述する上壁部５１２の摺動溝５１２ｂの内側に配置され、先端部が上壁部５１２の上面（図１７紙面手前側の面）と略同一平面上に設定される。
【０１４０】
ローラ５１４ｄは、上述したように上面視円環状に形成されると共に、その軸方向寸法が後述する凹設部５１２ｃの上壁部５１２の板厚方向への凹設寸法よりも大きく設定される。また、ローラ５１４ｄは、上方側の端面が回転軸５１４ｃの突出先端面と略同一の平面上に配設される（即ち、上壁部５１２の重力方向上側の側面と略同一の平面上に配設される）。これにより、ローラ５１４ｄを、凹設部５１２ｃの内側に突出した状態で配設できる。
【０１４１】
駆動モータ５１６は、電力が付与されることにより回転の駆動力を発生させる本体部５１６ａと、その本体部５１６ａに接続される円柱状の軸部５１６ｂとを備える。軸部５１６ｂは、一端側が周壁部５１１の上面開口端部から突出して配設されると共に、後述する上壁部５１２の軸孔５１２ａから突出される。これにより、軸部５１６ｂの一端側を回転ディスク５２０に連結でき、本体部５１６ａの回転を軸部５１６ｂを介して回転プレートに５２０に伝達できる。
【０１４２】
上壁部５１２は、周壁部５１１の上方側の開口端部よりも大きい矩形の板状体に形成され、下方側の一面が周壁部５１１の上方側の開口端部と当接した状態で配設される。これにより、周壁部５１１の上方側の開口が閉鎖される。また、上壁部５１２は、板厚方向に貫通する軸孔５１２ａ及び摺動溝５１２ｂと、周壁部５１１との当接面と反対側の上方側の一面に板厚方向に凹設される凹設部５１２ｃとを備える。
【０１４３】
軸孔５１２ａは、上述したように周壁部５１１の内側に配設される駆動モータ５１６の軸部５１６ｂを挿通する穴であり、軸部５１６ｂの外径よりも大きい内径の円形状に形成される。また、軸孔５１２ａは、軸部５１６ｂに配設されるスライド防止部材５１６ｂ１を挿通させるための長孔５１２ａ１が軸孔５１２ａの軸を通過する直線状に開口される。
【０１４４】
凹設部５１２ｃは、軸孔５１２ａの軸を中心とする円形状に凹設される第１凹設部５１２ｃ１と、その第１凹設部５１２ｃ１から上壁部５１２の正面側の端面まで凹設される第２凹設部５１２ｃ２とを備える。
【０１４５】
第１凹設部５１２ｃ１は、内径寸法が後述する回転ディスク５２０の外径よりも若干大きく形成されており、凹設内側に回転ディスク５２０の下面側（図１６紙面奥側）の一部を収容することができる。
【０１４６】
第２凹設部５１２ｃ２は、上述した貯留タンク４００に貯留されるメダルをホッパ装置３００の外側に排出するためのメダルの通過経路の底面及び側面を形成する凹みであり、上方に後述する排出プレート５３０が配設されることで、図１６に鎖線で示す空間のメダルの排出経路ＫＲ１及び、その排出経路ＫＲ１を通過するメダルをホッパ装置３００の外側に排出する開口の排出部５１２ｄ（図１３参照）が形成される。
【０１４７】
回転ディスク５２０は、貯留タンク４００に貯留されるメダルを一枚ずつ排出経路ＫＲ１（第２凹設部５１２ｃ２）に案内する部分であり、貯留タンク４００に形成される筒部４２０の開口の下側に配設される（図１３参照）。これにより、貯留タンク４００に貯留されるメダルを筒部４２０を介して排出装置５００の回転ディスク５２０に送ることができる。
【０１４８】
底壁部５１３は、周壁部５１１の下方側の開口端部よりも大きい矩形の板状態から形成され、上方側の一面が周壁部５１１の下方側の開口端部と当接した状態で配設される。これにより、周壁部５１１の下方側の開口が閉鎖される。また、底壁部５１３は、左右方向（矢印Ｌ−Ｒ方向）における両端に周壁部５１１の左右方向の外側面よりも突出する介在部５１３ａを備える。介在部５１３ａは、上述したように、ホッパ装置３００を筐体１１に配設した際に、規制板１８０に挿入される部分であり、樹脂材料よりも比較的剛性の高い金属材料から形成される。
【０１４９】
回転ディスク５２０は、金属材料から形成されると共に、上述した第１凹設部５１２ｃ１の凹設寸法よりも厚い板厚の円形の板状に形成される。また、回転ディスク５２０は、中心部に板厚方向に貫通する軸孔５２１と、その軸孔５２１の周囲に複数個形成されると共に板厚方向に貫通する収容部５２２と、下方側の端面に突出する案内部５２３とを備える。
【０１５０】
軸孔５２１は、上述した駆動モータ５１６の軸部５１６ｂが内嵌される部分である。これにより、回転ディスク５２０と駆動モータ５１６の軸部５１６ｂとが連結される。従って、駆動モータ５１６に電流を与えて軸部５１６ｂを回転させることで、回転ディスク５２０を軸孔５２１を軸に回転させることができる。
【０１５１】
また、回転ディスク５２０の上壁部５１２側の側面には、図示しない凹部が形成されており、その凹部の内側に軸部５１６ｂに配設されるスライド防止部材５１６ｂ１が挿入される。これにより、駆動モータ５１６の軸部５１６ｂが回転ディスク５２０に対して位置ずれすることを抑制できる。
【０１５２】
収容部５２２は、筒部４２０の内側に挿入されたメダルを上壁部５１２の第１凹設部５１２ｃ１に送るための開口であり、メダルの直径より少し大きい内径に形成されると共に、軸孔５２１を中心とする周方向に一定の距離離間して複数個（本実施形態では６個）形成される。また、収容部５２２は、その内縁が上面側（図１６紙面手前側）から下面側（図１６紙面奥側、上壁部５１２側）に向かうに従って縮径する傾斜面として形成されると共に、その下面側と上壁部５１２の第１凹設部５１２ｃ１の底面との対向間の距離がメダルの厚みよりも若干大きく設定される。
【０１５３】
これにより、収容部５２２の内側にメダルが複数枚積み重なった状態で送られた場合に、１枚目のメダルを案内部５２３を除いた回転ディスク５２０の下面よりも下方に送ることができると共に、２枚目以降のメダルを収容部５２２の内側または、回転ディスク５２０の上面よりも上方に配置することができる。従って、この（一枚目のメダルを案内部５２３に挿入した）状態で回転ディスク５２０を回転させることで、２枚目以降のメダルを傾斜面に沿って回転ディスク５２０の上面よりも上側に送ることができる。よって、回転ディスク５２０を回転させた際に、２枚以上のメダルが同時に排出経路ＫＲ１に送られることを防止でき、２枚以上のメダルが同時に排出部５１２ｄから排出される又は、排出経路ＫＲ１内部に詰まることを抑制できる。
【０１５４】
案内部５２３は、収容部５２２の内側に送られたメダルを排出経路ＫＲ１に案内する壁部であり、突出先端部から上壁部５１２の第１凹設部５１２ｃ１の底面までの対向間の距離がメダルの厚みよりも小さく設定される。これにより、回転ディスク５２０を回転させることで、貯留タンク４００の筒部４２０から収容部５２２の内側に送られたメダルを、案内部５２３の側面に当接させて回転ディスク５２０の回転方向に案内できる。
【０１５５】
案内部５２３は、隣り合う収容部５２２の間に１個ずつ形成されており、軸孔５２１から径方向外側に離間するに従って回転ディスク５２０の回転方向Ｘ１（図１６参照）と反対方向に傾斜して延設される。これにより、回転ディスク５２０を回転方向Ｘ１に回転することで、収容部５２２の内側に送られたメダルを径方向外側に送ることができる。なお、径方向外側に案内されるメダルは、第１凹設部５１２ｃ１の内壁と当接される。従って、案内部５２３により移動されるメダルは、第１凹設部５１２ｃ１の内壁に沿って移動することとなる。
【０１５６】
ここで、上述したように、第１凹設部５１２ｃ１には、第２凹設部５１２ｃ２が連結して形成される。従って、回転ディスク５２０の回転によって移動されるメダルは、第１凹設部５１２ｃ１の内壁に沿って移動された後、第２凹設部５１２ｃ２の内側に挿入される。即ち、貯留タンク４００に貯留されるメダルは、第１凹設部５１２ｃ１から排出経路ＫＲ１の空間に案内される。
【０１５７】
排出プレート５３０は、上面視略矩形の板状に形成され、第２凹設部５１２ｃ２の上部に覆設されるプレート部材５３１と、そのプレート部材５３１に軸支されて配設される開閉部材５３２とを備える。
【０１５８】
プレート部材５３１は、上壁部５１２側に突設されて排出経路ＫＲ１の側面の一部を形成する突設部５３１ａと、板厚方向に貫通する開口５３１ｂと、開閉部材５３２の軸部材５３３を軸支する軸受部５３１ｃと、軸部材５３３が軸方向に抜けることを防止する弾性片５３１ｄとを主に備える。
【０１５９】
突設部５３１ａは、メダルの厚みよりも突設寸法が大きく設定される。また、突設部５３１ａは、上壁部５１２の第２凹設部５１２ｃ２の内側に配設されると共に、回転ディスク５２０の回転方向Ｘ１側の第２凹設部５１２ｃ２の側面とメダルの直径よりも大きい距離分離間して配設される。これにより、第２凹設部５１２ｃ２の側面と突設部５３１ａの側面との間にメダルをホッパ装置３００の外側に排出する排出経路ＫＲ１が形成される。
【０１６０】
また、突設部５３１ａは、上述したローラ５１４ｄの外周面との最小の離間距離Ｌ１（図１６参照）がメダルの外径よりも小さく設定される。従って、排出経路ＫＲ１の内部に移動するメダルにより、ローラ５１４ｄが押し出され、突設部５３１ａとローラ５１４ｄとの対向間の最小の距離寸法がメダルの直径よりも大きくされる。これにより、変位部材５１４は、貫通孔５１４ａを軸に回転変位され、検出片５１４ｅが払出検出センサ５１５の対向間から抜け出した位置に配置される。従って、排出経路ＫＲ１の内側にメダルが送られたことをスロットマシン１０に認識させることができる。
【０１６１】
上記の状態から更に回転ディスク５２０が回転され、ローラ５１４ｄを押し込んだメダルが回転ディスク５２０の案内部５２３と当接しない状態とされると、変位部材５１４がコイルばねＳＰ１の付勢力により変位前の初期位置に回転して戻される。この場合、ローラ５１４ｄを押し込んだメダルは、そのメダルの外周面がローラ５１４ｄの外周面と当接しており、ローラ５１４ｄの戻り変位により排出部５１２ｄ側に押し出される。従って、メダルを排出部５１２ｄに押し出す際には、変位部材５１４に連結されるコイルバネＳＰ１の付勢力を利用することができる。その結果、排出経路ＫＲ１を通過するメダルが排出経路ＫＲ１の内部に留まることを抑制できる。
【０１６２】
また、変位部材５１４が初期位置に変位することで、検出片５１４ｅが払出検出センサ５１５の対向間に配置される。これにより、排出経路ＫＲ１に１枚のメダルが送られたことをスロットマシン１０に認識させることができる。なお、後述する遊技者の不正行為とは、後述する排出部５１２ｄから挿入した不正物により変位部材５１４を変位させることで、検出片５１４ｅが払出検出センサ５１５の対向間から抜け出た状態を維持させ、スロットマシン１０にメダルが払い出されていないと認識させる、払出検出センサ５１５が認識できる光を照射可能な不正物を排出部５１２ｄから挿入して払出検出センサ５１５の対向間を移動する検出片５１４ｅの移動を検出させなくし、スロットマシン１０にメダルが払い出されていないと認識させる、または、排出部５１２ｄから挿入した不正物により排出経路ＫＲ１の通路幅を広げて検出片５１４ｅが移動しないようにして、スロットマシン１０にメダルが払い出されていないと認識させる等の行為である。
【０１６３】
開口５３１ｂは、上面視において矩形状に形成され、その長手方向が排出部５１２ｄの長手方向と平行に設定される。また、開口５３１ｂは、排出経路ＫＲ１と連通されており、開口５３１ｂを介して後述する開閉部材５３２を排出経路ＫＲ１の内側に突出させることができる。
【０１６４】
軸受部５３１ｃは、プレート部材５３１の上面側の２個所から突設される。軸受部５３１ｃは、後述する開閉部材５３２を軸支する円柱状の軸部材５３３が挿入される部分であり、それぞれの軸受部５３１ｃに円形状の貫通孔が開口５３１ｂの長手方向に貫通され、それぞれ同軸上に配置される。
【０１６５】
弾性片５３１ｄは、開口５３１ｂの長手方向に長い柱状に形成されると共に、長手方向の他側の端部がプレート部材５３１の上面側に連結される。また、弾性片５３１ｄは、可撓性の樹脂材料から形成される。これにより、弾性片５３１ｄは、長手方向の一側の端部をその長手方向と直行する方向に弾性変形させることができる。
【０１６６】
さらに、弾性片５３１ｄは、軸受部５３１ｃに形成される貫通孔の他側に形成される。これにより、弾性片５３１ｄを弾性変形させつつ、開閉部材５３２の軸部材５３３を軸受部５３１ｃの貫通孔に挿入できる。また、軸部材５３３を軸受部５３１ｃの貫通孔に挿入した後に、弾性片５３１ｄの変形を戻すことで弾性片５３１ｄの長手方向一側の端面と軸部材５３３の端面とを当接させて軸部材５３３が軸方向に位置ずれすることを抑制できる。従って、軸部材５３３が軸受部５３１ｃの貫通孔から抜け出ることを抑制できる。
【０１６７】
開閉部材５３２は、金属材料から形成されると共に、上面視矩形の板部材から形成される。また、開閉部材５３２は、一方の端部に貫通形成される軸支孔５３２ａが２個所の軸受部５３１ｃの対向間に配設されると共に、他方の端部に屈曲形成される屈曲部５３２ｂがプレート部材５３１の開口５３１ｂの上方に位置される。
【０１６８】
軸支孔５３２ａは、開閉部材５３２を軸支する円柱状の軸部材５３３を挿通する穴であり、軸部材５３３の外径よりも大きい内径に形成される。開閉部材５３２は、一方側をプレート部材５３１の突設部５３１ａの対向間に配設した状態で、上述したように軸部材５３３を軸受部５３１ｃの貫通孔に挿入しつつ軸支孔５３２ａに挿通することで、軸部材５３３を中心に回転可能な状態とされる。
【０１６９】
屈曲部５３２ｂは、軸部材５３３の軸方向視において、開閉部材５３２の他方側の端部が下側向かって屈曲され、屈曲先端部がプレート部材５３１の開口の内側に挿入される。
【０１７０】
軸部材５３３には、ねじりバネＳＰ２が配設される。これにより、開閉部材５３２は、他方の端部（屈曲部５３２ｂ側）がプレート部材５３１に近づく方向に付勢される。上述したように、屈曲部５３２ｂは、開口５３１ｂの内側に挿入可能な大きさに形成されるので、開閉部材５３２がねじりバネＳＰ２により付勢された状態では、屈曲部５３２ｂが開口５３１ｂの内側に挿入される。即ち、屈曲部５３２ｂが排出経路ＫＲ１の内側に配設される。これにより、排出部５１２ｄの開口からゴミや不正部材が排出経路の内側に挿入されることを抑制できる。
【０１７１】
なお、排出経路ＫＲ１をメダルが通過する場合には、屈曲部５３２ｂにメダルを当接させることで、開閉部材５３２をねじりバネＳＰ２の付勢力に抗して回転させることができる。これにより、排出経路ＫＲ１の内部にメダルを通過させる際には、そのメダルの通過を許容できると共に、排出部５１２ｄ側からゴミや不正物が侵入する場合には、その侵入を規制することができる。
【０１７２】
また、屈曲部５３２ｂの屈曲部分から変位部材５１４のローラ５１４ｄの外周面までの離間寸法Ｌ２（図１６参照）は、メダルの直径よりも小さく設定される。これにより、メダルを屈曲部５３２ｂに当接させて変位させる際に、変位部材の５１４に係合されるコイルバネＳＰ１の付勢力を利用することができる。従って、排出経路ＫＲ１を通過するメダルが、開閉部材５３２に挟まれて排出経路ＫＲ１の内部で留まることを抑制できる。即ち、メダルの排出不良が起こることを抑制できる。
【０１７３】
排出部５１２ｄは、上述したように、上壁部５１２の第２凹設部５１２ｃ２とプレート部材５３１の突設部５３１ａとに囲われて形成される開口である。排出部５１２ｄは、正面視において、略矩形状の開口として形成される共に、その長手方向が左右方向（図１６Ｌ−Ｒ方向）において他側（矢印Ｌ方向側）から一側（矢印Ｒ方向側）に向かって下降傾斜して形成される。これにより、メダルが排出経路ＫＲ１の内側を通過する際に、メダルの外周面を利用することができるので、メダルが排出経路ＫＲ１の内側に留まることを抑制できる。
【０１７４】
また、排出部５１２ｄは、その排出部５１２ｄの開口の長手方向が、プレート部材５３１の突設部５３１ａ側に向かって下降傾斜して形成される。よって、排出経路ＫＲ１を通過するメダルの外周面が当接する部分を突設部５３１ａの側面とすることができる。従って、メダルが排出経路ＫＲ１を通過することでへたりやすい部分をプレート部材５３１側にすることができる。上述したように、プレート部材５３１は、上壁部５１２の上部に配設されるので、比較的着脱しやすい。その結果、排出経路ＫＲ１の内側がへたり排出経路ＫＲ１が大きくなることエラー（例えば、メダルの排出不良）が発生する場合には、部品交換を簡易にすることができ、部品交換にかかる作業者の負担を軽減できる。
【０１７５】
係合部５４０は、周壁部５１１の他端側に締結固定される固定部材５４１と、その固定部材５４１に対して回転変位可能に配設される回転部材５４２とを備える。
【０１７６】
固定部材５４１は、外形が立設部５１１ａの内縁形状よりも小さく形成されて、立設部５１１ａの内側に締結固定される。また、固定部材５４１は、円柱状の軸部材５４１ａを備えており、その軸部材５４１ａに回転部材５４２の軸孔５４２ａが挿入されることで、回転部材５４２が回転可能な状態で連結される。
【０１７７】
回転部材５４２は、上方側の端部に一側に突出する係合片５４２ｂと、前後方向に貫通形成される軸孔５４２ａとを備える。係合片５４２ｂは、上述した貯留タンク４００を排出装置５００と係合させるための突起であり、貯留タンク４００の第２係合部４３３と係合可能とされる。
【０１７８】
貯留タンク４００と排出装置５００とは、貯留タンク４００の第１係合部４３２を周壁部５１１の一側に形成される凹部５１１ｂに挿入した後に、貯留タンク４００の第２係合部４３３を係合部５４０の係合片５４２ｂに係合することで、両者が係合される。
【０１７９】
なお、回転部材５４２は、図示しないねじりバネにより第２係合部４３３との係合側に付勢されており、外力を加えない状態では、貯留タンク４００と排出装置５００とが係合された状態が維持される。また、貯留タンク４００と排出装置５００との係合を解除する場合には、回転部材５４２をねじりバネの付勢方向と反対方向に外力を加えて回転変位させることで、係合片５４２ｂと第２係合部４３３との係合が解除される。これにより、第１係合部４３２を周壁部５１１の凹部５１１ｂから引き抜くことが可能とされ、貯留タンク４００と排出装置５００との係合が解除される。
【０１８０】
コネクタ５５０は、ハウジング５１０の内側に配設される駆動モータ５１６及び払出検出センサ５１５に配線が連結される。また、コネクタ５５０には、筐体１１に配設される主制御装置１３１に連結される配線がホッパ装置３００の外部から連結される。これにより、駆動モータ５１６及び払出検出センサ５１５に電力を付与することができる。
【０１８１】
コネクタ５５０が配設されるハウジング５１０の窪みは、その深さが内部に配設されるコネクタ５５０よりも大きく設定される。即ち、コネクタ５５０は、ハウジング５１０の外周面よりも内側に配設される。これにより、筐体１１の内部に不正な部材が挿入された場合に、コネクタ５５０の部分に不正部材をアクセスしにくくできる。その結果、ホッパ装置３００に不正が行われることを抑制できる。
【０１８２】
また、コネクタ５５０が配設されるハウジング５１０の窪みは、ハウジング５１０の前後方向（矢印Ｆ−Ｂ方向）略中央位置よりも背面側（矢印Ｂ方向側）に配設される。これにより、不正行為を行う遊技者が、前扉１２を開放した際に、コネクタ５５０部分にアクセスしにくくできる。その結果、ホッパ装置３００に不正が行われることを防止できる。
【０１８３】
なお、作業者がコネクタ５５０にアクセスする場合には、ホッパ装置３００を筐体１１から正面側（矢印Ｆ方向側）に引き出し操作したのちにホッパ装置３００の左側（矢印Ｌ方向側）からアクセスすることができる。従って、ホッパ装置３００の外側からコネクタ５５０に連結される配線は、ホッパ装置３００を筐体１１に対して正面側に引き出し操作した場合にコネクタ５５０に連結可能な長さに設定される。
【０１８４】
次いで、図１８及び図１９を参照して、排出用通路８２について説明する。図１８（ａ）は、排出用通路８２の正面図であり、図１８（ｂ）は、排出用通路８２の斜視正面図である。図１９（ａ）は、ホッパ装置３００及び排出用通路８２の正面図であり、図１９（ｂ）は、ホッパ装置３００及び排出用通路８２の側面図である。なお、図１９（ｂ）では、排出用通路８２が配設される前扉１２の外形が２点鎖線で図示される。
【０１８５】
図１８及び図１９に示すように、排出用通路８２は、正面側（図１８（ａ）紙面手前側）が開放する断面略Ｃ字状に形成される。また、排出用通路８２は、断面略Ｃ字の両端部が前扉１２の背面側に当接した状態で配設される。これにより、排出用通路８２の内側部分に四方が閉鎖された空間の払出経路ＫＲ２が形成される。
【０１８６】
排出用通路８２は、上述したように、上方側の端部が前扉１２に配設されるセレクタ８３の下方に配置されると共に、下方側の端部が、前扉１２の下方に形成されるメダル排出口１７（図２参照）の背面側に配設される。これにより、セレクタ８３を通過して排出用通路８２の上端側（払出経路ＫＲ２の上端側）に送られるメダルは、払出経路ＫＲ２を通過して前扉１２のメダル排出口１７から払い出される。
【０１８７】
さらに、排出用通路８２は、払出経路ＫＲ２の外側外面からホッパ装置３００側（背面側、図１９（ｂ）矢印Ｂ方向側）に突出する連通部８２ａを備える。連通部８２ａは、内側が開口する開口９４を備え、その開口９４が排出部５１２ｄの前方の空間を取り囲う位置に配置される。また、開口９４は、その内部空間が払出経路ＫＲ２と連通される。よって、ホッパ装置３００の排出部５１２ｄから排出されるメダルを開口９４を介して払出経路ＫＲ２に送ることができる。従って、ホッパ装置３００から払い出すメダルを前扉１２のメダル排出口１７（図２参照）から払い出すことができる。
【０１８８】
次いで、図２０及び図２１を参照して、ホッパ装置３００の保持部４４０及び連通部８２ａについて詳しく説明する。図２０（ａ）は、図１９（ｂ）のＸＸａ−ＸＸａ線におけるホッパ装置３００及び排出用通路８２の断面図であり、図２０（ｂ）は、図２０（ａ）のＸＸｂ−ＸＸｂ線におけるホッパ装置３００及び排出用通路８２の断面図である。図２１（ａ）は、図１２（ｂ）のＸＸＩａ−ＸＸＩａ線におけるホッパ装置３００の断面図であり、図２１（ｂ）は、図２１（ａ）のＸＸＩｂ−ＸＸＩｂ線におけるホッパ装置３００の断面図である。図２２（ａ）は、ホッパ装置３００及び排出用通路８２の断面図であり、図２２（ｂ）は、図２２（ａ）のＸＸＩＩｂ−ＸＸＩＩｂ線における、ホッパ装置３００及び排出用通路８２の断面図である。
【０１８９】
なお、図２２（ａ）は、図２０（ｂ）の断面に対応する。また、図２１（ａ）及び図２１（ｂ）では、保持部４４０を把持する作業者の手が２点鎖線で図示される。さらに、図２２（ａ）及び図２２（ｂ）は、前扉１２と筐体１１との間に若干の隙間が形成され、その隙間から不正な部材が挿入された状態が図示される。また、図２０から図２２では、ホッパ装置３００の断面が模式的に図示される。
【０１９０】
図２０に示すように、連通部８２ａは、正面視における断面形状が矩形に形成されると共に、正面視略コ字状に形成される保持部４４０の内側に配設される。また、前扉１２が筐体１１に対して閉鎖された閉鎖状態では、連通部８２ａの突出先端とホッパ装置３００との対向間における距離寸法が、メダルの厚みよりも小さく設定される。これにより、ホッパ装置３００の排出部５１２ｄから排出されるメダルを開口９４の内側に送ることができると共に、排出部５１２ｄから排出されるメダルが連通部８２ａの突出先端とホッパ装置３００との対向間の隙間から落下することを抑制できる。
【０１９１】
また、本実施形態では、連通部８２ａと保持部４４０との間に所定の隙間が形成される。この隙間は、前扉１２が筐体１１に対して支軸２５ａを中心に回転して開放された際に、連通部８２ａと保持部４４０とが当接しない大きさに設定されると共に、ホッパ装置３００を不正に操作するために挿入される不正部材の外形よりも小さく設定されることが好ましく、本実施形態では、連通部８２ａと保持部４４０との隙間が１ミリ以下の値に設定される。
【０１９２】
次いで、図２１を参照して、ホッパ装置３００を作業者が移動させる場合について説明する。なお、作業者がホッパ装置３００を移動させる状態としては、ホッパ装置３００を筐体１１に対して上方に向かって支持すると共に筐体１１の開放側（正面側）に移動させ筐体１１に対するホッパ装置３００の移動の規制を解除する第１の移動と、その第１の移動の後に、筐体１１に対してホッパ装置３００を筐体１１の外側に引き出し操作する第２の移動と、その第２の移動により引き出したホッパ装置３００を支持しつつ搬送する第３の移動との３種の状態が例示される。
【０１９３】
図２１に示すように、支持部４４１は、ホッパ装置３００を筐体１１から引き抜く方向（第２の移動の際のホッパ装置３００の移動方向）に突設されると共に、排出部５１２ｄと所定の距離離間する位置の重力方向上側に形成される。また、上述したように、ホッパ装置３００は、前扉１２を筐体１１に対して離間する方向に回転させた状態（開放状態）において、筐体１１に対して取り出し可能に配設される。
【０１９４】
従って、作業者が、ホッパ装置３００を移動させることを目的として支持部４４１を把持する場合に、作業者の手を排出部５１２ｄの前方（排出部５１２ｄの開口を覆う位置）に配置させることができる。よって、作業者がホッパ装置３００を移動させる際に、排出部５１２ｄを通過するメダルを作業者の手に当接させて、メダルが排出部５１２ｄから排出されることを抑制できる。
【０１９５】
ここで、一面側が開口する箱状の外枠（筐体）と、その外枠の開口側に開閉可能に配設される前扉と、メダル（遊技媒体）を排出する排出部が形成され、外枠の内側に着脱可能に配設されると共にメダルを貯留する遊技媒体排出手段（ホッパ装置）とを備える遊技機が知られている。遊技媒体排出手段には、外枠と当接する面に遊技媒体排出手段の内側に向かって凹設される凹設部を備える。作業者は、凹設部の内側に手を入れることで、遊技媒体排出手段を移動させる際の持ち手として利用できる。
【０１９６】
しかしながら、上述した従来の遊技機では、遊技媒体排出手段に貯留されるメダルが排出部の内側で詰まった場合や、メダルを排出するための駆動源が故障した場合に、前扉を開放して外枠から遊技媒体排出手段を取り出して搬送する必要があり、その移動の際に、遊技媒体排出手段の移動に伴う摩擦抵抗により発生する振動や遊技媒体排出手段の傾きで排出部からメダルが排出されて、メダルが遊技機の外方に散らばる恐れがあった。
【０１９７】
これに対して、本実施形態では、ホッパ装置３００は、排出部５１２ｄから重力方向上方に所定の距離離間する位置に突設される支持部４４１を備えるので、ホッパ装置３００を移動させることを目的として、作業者が支持部４４１を把持した場合に、作業者の手を排出部５１２ｄの前方（排出部５１２ｄの開口を覆う位置）に配置させることができる。従って、ホッパ装置３００を筐体１１に対して移動させることに伴う摩擦抵抗により発生する振動やホッパ装置３００の傾きに伴って排出部５１２ｄ（排出経路ＫＲ１）を通過するメダルを作業者の手に当接させることができる。その結果、ホッパ装置３００の移動中に排出部５１２ｄからメダルが排出されて、メダルがスロットマシン１０の外方に散らばることを抑制できる。なお、ホッパ装置３００の移動とは、上述した第１の移動から第３の移動であり、本実施形態では、少なくとも何れか１の移動の際にメダルがスロットマシン１０の外方に散らばることを抑制できる。
【０１９８】
また、支持部４４１が排出部５１２ｄから重力方向に離間する所定の距離は、作業者が支持部４４１を保持した場合に、作業者の手の少なくとも一部が排出部５１２ｄの前方に位置する大きさであればよく、好ましくは、１０ミリから３０ミリの範囲に設定される。これによれば、支持部４４１を把持する作業者の手を排出部の前方に配置させやすくできる。
【０１９９】
さらに、本実施形態では、連通部８２ａと保持部４４０との間に所定の隙間が形成される。この隙間は、前扉１２が筐体１１に対して支軸２５ａを中心に回転して開放された際に、連通部８２ａと保持部４４０とが当接しない大きさに設定されると共に、ホッパ装置３００を不正に操作するために挿入される不正部材の外形よりも小さく設定されることが好ましい。なお、本実施形態では、連通部８２ａと保持部４４０との隙間が１ミリ以下の値に設定される。
【０２００】
また、支持部４４１は、筐体１１の開放側に突設される。よって、ホッパ装置３００を移動させることを目的とする作業者が前扉１２を筐体１１に対して開放した状態とした後に、作業者に支持部４４１を掴ませやすくできる。その結果、作業者がホッパ装置３００を移動させる際に、ホッパ装置３００の支持部４４１以外の個所を保持することを抑制できる。その結果、ホッパ装置３００が破損することを抑制できる。
【０２０１】
支持部４４１は、排出部５１２ｄの上方に位置して、ホッパ装置３００の外側に突設されるので、支持部４４１を作業者が支持した場合に、支持部４４１の基端側を排出部５１２ｄの開口および排出経路ＫＲ１の内部空間を狭める方向に撓ませることができる。従って、支持部４４１を作業者が支持した場合には、排出部５１２ｄの開口および排出経路ＫＲ１の内部空間を狭めることで、メダルが排出部５１２ｄを通過することを抑制できる。その結果、作業者がホッパ装置３００を移動させる場合に、メダルがスロットマシン１０の外方に散らばることを抑制できる。
【０２０２】
さらに、支持部４４１は、その延設方向が、前扉１２が筐体１１に対して回転する支軸２５ａ（図５参照）の軸から径方向に離間するに従って下降傾斜して形成される。これにより、ホッパ装置３００を移動させることを目的として、作業者が保持部４４０（支持部４４１）を握持した場合に、保持部４４０を支えやすく（持ち上げやすく）できる。
【０２０３】
即ち、ホッパ装置３００を取り出す際には、前扉１２を筐体１１に対して開放する開放状態とする必要があるところ、作業者は前扉１２を開放状態とした場合に筐体１１の開放面に手を挿入しやすい支軸２５ａから遠方側に位置することが多い。従って、作業者は、左手を筐体１１の内側に挿入することが多いところ、支持部４４１が支軸２５ａの軸から径方向に離間するに従って下降傾斜して形成されるので、作業者は支持部４４１を掴んだ後に体の中心側に引き込む方向に引き上げることで支持部４４１を支えることができる。その結果、作業者がホッパ装置３００に対して第１の移動を行う際に、ホッパ装置３００を支えやすくできるので、ホッパ装置３００を移動させやすくできる。
【０２０４】
また、保持部４４０は、支持部４４１の突設先端部に下方側に向かって屈曲する突設部４４３を備える。これにより、支持部４４１を把持する作業者の手を、突設部４４３及びホッパ装置３００（プレート部材５３１）の外周面との対向間に配置することができると共に、その対向間に配置される作業者の手をホッパ装置３００に外周面に沿って配置させることができる。これにより、ホッパ装置３００を移動させることを目的として、保持部４４０を把持する作業者の手を排出部５１２ｄの前方（排出部５１２ｄの開口を覆う位置）に配置させやすくできる。その結果、ホッパ装置３００の移動中に排出部５１２ｄからメダルが排出されて、メダルがスロットマシン１０の外方に散らばることを抑制できる。
【０２０５】
さらに、支持部４４１の延設方向は、排出部５１２ｄの開口の長手方向と平行に形成される。従って、排出部５１２ｄの開口の長手方向と直行する方向における排出部５１２ｄと支持部４４１との離間距離を一定にすることができる。よって、ホッパ装置３００を移動させることを目的として、作業者が支持部４４１を把持した場合に、作業者の手を排出部の前方（排出部５１２ｄの開口を覆う位置）に配置させやすできる。
【０２０６】
例えば、排出部５１２ｄと支持部４４１との距離が排出部５１２ｄの開口長手方向に沿って異なる場合には、作業者が排出部５１２ｄと支持部４４１とが離間する場所を把持すると、作業者の手を排出部５１２ｄの前方に配置しにくくなる。これに対して、本実施形態では、排出部ｄ５１２と支持部４４１との離間距離を一定とすることができるので、作業者が支持部４４１を把持する位置が関係しない。従って、作業者が保持部４４０を把持した手を排出部５１２ｄの前方に配置しやすくできる。その結果、ホッパ装置３００の移動中に排出部５１２ｄからメダルが排出されて、メダルがスロットマシン１０の外方に散らばることを抑制できる。
【０２０７】
支持部４４１とホッパ装置３００との対向間距離寸法Ｌ３（図２１（ｂ）参照）は、上述したようにメダルの直径よりも小さく設定される。従って、支持部４４１が突設されるホッパ装置３００の側面と支持部４４１を把持する作業者の手との対向間の距離をメダルの直径よりも小さくすることができる。よって、排出部５１２ｄを通過しているメダルが、支持部４４１を把持する作業者の手に当接した際に、そのメダルを排出部５１２ｄから抜け出にくくすることができる。その結果、ホッパ装置３００を移動させる際に、排出部５１２ｄからメダルが排出されて、メダルがスロットマシン１０の外方に散らばることを抑制できる。
【０２０８】
また、支持部４４１は、排出部５１２ｄの開口の下降側が長く延設される。詳しく説明すると、支持部４４１は、排出部５１２ｄの開口の長手方向中央位置で分断し短手方向に延びる２等分線の仮想線Ｓ１（図２０（ａ）参照）から下降側端部までの距離寸法が、２等分線（仮想線Ｓ１）から上昇側端部までの距離寸法よりも大きく設定される。よって、支持部４４１を把持する作業者の手を排出部５１２ｄの下降側部分の手前側に配置させやすくできる。従って、排出部５１２ｄの開口が長手方向に傾斜して形成される場合には、排出部５１２ｄから排出されるメダルが、重力方向下側に位置する内面に沿って排出されるところ、支持部４４１を把持する作業者の手を排出部５１２ｄの下降側部分の手前側に配置されるので、排出部５１２ｄを通過するメダルを作業者の手に当接させやすくできる。その結果、ホッパ装置３００を移動させる際に、メダルが排出部５１２ｄから排出されて遊技機の外方に散らばることを抑制できる。
【０２０９】
次いで、図２２を参照して、前扉１２と筐体１１との間に隙間が形成され、その隙間から不正な部材が挿入された場合について説明する。なお、図２２では、不正な部材がＨＢの符号を付して図示される。
【０２１０】
図２２に示すように、前扉１２と筐体１１との間に隙間が形成される場合には、ホッパ装置３３０が筐体１１に、排出用通路８２が前扉１２に、それぞれ配設されるので、連通部８２ａの突出先端とホッパ装置３００の対向間の距離が大きくされる。従って、不正部材が連通部８２ａの突出先端とホッパ装置３００の対向間の隙間に挿通されやすくなる。
【０２１１】
これに対して、本実施形態では、上述したように、前扉１２に配設される排出用通路８２が、排出部５１２ｄと連通する連通部８２ａを備え、連通部８２ａの端面を含む同一の平面上に保持部４４０が配置されるので、排出部５１２ｄの内側に不正物が挿入されて、不正行為が行われることを抑制できる。
【０２１２】
例えば、閉鎖された状態の前扉１２と筐体１１との間にドライバー等の工具で隙間を形成し、その隙間から針金やピアノ線等の不正物を挿入して、その不正物の挿入先端側をホッパ装置３００と連通部８２ａとの隙間を介して排出部５１２ｄの内側に挿入させ、ホッパ装置３００の排出部５１２ｄから排出されるメダルの数を検出する払出検出センサ５１５のコネクタ部分をショート（断線）させる、または、ホッパ装置３００から排出されるメダルの排出経路ＫＲ１を大きくしてメダルが排出されている状態であっても変位部材５１４が変位しない状態と（ホッパ装置３００の排出部５１２ｄから排出されるメダルの数を検出する検出センサが作動しないように）することで、ホッパ装置３００の排出部５１２ｄから排出されるメダルの数を所定の数よりも多くさせる不正行為がある。かかる不正行為に対し、本発明によれば、連通部８２ａの端部と保持部４４０とが、連通部８２ａの端面とを含む平面において同一の平面上に配置されるので、前扉１２と筐体１１との間から挿入された不正物が、ホッパ装置３００と連通部８２ａとの間に挿入されることを抑制できる。即ち、保持部４４０と連通部８２ａとが同一の平面上に配設されることで、不正物が挿入される隙間を小さくすることができ、不正物が挿入されることを抑制できる。その結果、上述した不正行為を抑制できる。
【０２１３】
また、支持部４４１は、突設されるので、作業者が前扉１２を開放した場合に保持部４４０を視認しやすい。よって、保持部４４０に不正物が挿入可能な大きさの穴が形成された場合には、作業者が前扉１２を開放した際に、作業者に不正行為がされたことを認識させることができる。従って、ホッパ装置３００を新しいものに交換することで不正行為が継続して行われることを防止できる。
【０２１４】
さらに、保持部４４０は、下方に屈曲する突設部４４３を備えるので、支持部４４１との連通部８２ａとの対向間に空間を形成することができる。従って、支持部４４１に不正物が挿入可能な大きさの孔が形成された場合には、その空間を利用して孔形成時のバリ（突起）を支持部４４１の下方に突出させることができる。従って、作業者が支持部４４１を把持した場合に、そのバリを作業者の手に当接させることができる。よって、作業者に不正行為がされたことを認識させやすくすることができる。
【０２１５】
また、この場合、支持部４４１の下面が平滑面に形成されることが好ましい。これによれば、作業者が支持部４４１を把持した場合に、作業者に孔が形成されたことを認識させやすくすることができる。
【０２１６】
さらに、保持部４４０は、ホッパ装置３００を移動させる場合の作業者の持ち手として利用させることができるので、保持部４４０に不正物が挿入可能な大きさの穴が形成された場合に、保持部４４０を把持した際の感触で作業者に不正行為がされたことを認識させることができる。従って、ホッパ装置３００を新しいものに交換することで不正行為が継続して行われることを防止できる。
【０２１７】
また、上述したように、連通部８２ａは、正面視略コ字状に形成される保持部４４０の内側に配設される。言い換えると、保持部４４０は、連通部８２ａの外側に配置される。よって、保持部４４０と連通部８２ａとが連通状態を形成する領域内においてその領域の外縁に沿って凸部を配置することができ、凸部の大きさを最大とすることができる。従って、ホッパ装置３００を移動させることを目的として、作業者が保持部４４０を把持する場合に、作業者に保持部４４０を把持させやすくできる。よって、作業者がホッパ装置３００を移動させる場合に、保持部４４０以外の部分を把持することを抑制できる。その結果、ホッパ装置３００を移動させる際に、排出部５１２ｄを通過するメダルを作業者の手に当接させて、メダルが排出部５１２ｄから排出されることを抑制できる。
【０２１８】
さらに、保持部４４０の屈曲部４４２は、凸部の延設方向の両端部から下方に屈曲して延設され、その屈曲部４４２の延設先端が、排出部５１２ｄの開口の重力方向下側内縁の長手方向に沿って延びる直線の仮想線Ｓ２（図２２（ａ）参照）よりも下方に配置される。よって、排出部５１２ｄの内側に不正物が挿入されて、不正行為が行われることを抑制できる。
【０２１９】
即ち、排出部５１２ｄは、その開口の外側の３方向が屈曲部４４２及び支持部４４１により囲われるので、例えば、前扉１２と筐体１１との間に形成される隙間に挿入される不正物が、排出部５１２ｄに向けて挿入された場合に、不正物の先端を屈曲部４４２及び支持部４４１に当接させやすくできる。よって、排出部５１２ｄまでの不正物の侵入経路今日に屈曲部４４２及び支持部４４１が配設されるので、不正物が排出部５１２ｄに挿入されることを抑制できる。その結果、遊技者の不正行為を抑制できる。
【０２２０】
また、屈曲部４４２は、支持部４４１を把持する作業者の手が支持部４４１の延設方向に飛び出ることを抑制できる。従って、支持部４４１を把持する作業者の手を排出部５１２ｄを覆う位置に位置させやすくできる。さらに、支持部４４１を支持する作業者の手がその延設方向の傾斜によってスライドする際には、屈曲部４４２を作業者の手に当接させて、作業者が排出部５１２ｄを覆う位置から位置ずれすることを抑制できる。その結果、作用者がホッパ装置３００を移動させる際に、作業者の手から支持部４４１が抜け出ることを抑制できる。
【０２２１】
次いで、図２３を参照して、第２実施形態におけるホッパ装置３００及び排出用通路２０８２について説明する。上記第１実施形では、保持部４４０の内側部分に連通部８２ａが配設される場合を説明したが、第２実施形態では、保持部２４４０が、連通部２０８２ａの外側に配設される。なお、上記第１実施形態と同一の部分には、同一の符号を付してその説明は省略する。
【０２２２】
図２３（ａ）は、第２実施形態におけるホッパ装置３００及び排出用通路２０８２の断面図であり、図２３（ｂ）は、図２３（ａ）のＸＸＩＩＩｂ−ＸＸＩＩＩｂ線におけるホッパ装置３００及び排出用通路２０８２の断面図である。なお、図２３（ａ）は、図２０（ａ）の断面と対応する。また、図２３（ｂ）では、ホッパ装置３００の断面が模式的に図示される。
【０２２３】
図２３に示すように、第２実施形態における排出用通路２０８２は、第１実施形態の排出用通路８２と同様に、正面側が開放する断面略Ｃ状に形成される。また、排出用通路２０８２は、断面略Ｃ字の外側面にホッパ装置３００側に突出する連通部２０８２ａが形成される。
【０２２４】
連通部２０８２ａは、内側が開口する開口２０９４を備え、その開口２０９４が排出部５１２ｄの前方の空間を取り囲う位置に配置される。また、開口２０９４は、その内縁形状が後述する保持部２４４０の正面視形状よりも大きく形成される。これにより、前扉１２が筐体１１に対して閉鎖された状態（閉鎖状態）において、開口２０９４の内側に保持部２４４０が配設される。
【０２２５】
また、ホッパ装置３００の貯留タンク４００には、連結部４３０の正面側の端部に保持部２４４０が突設される。保持部２４４０は、正面視略Ｃ字状に形成されると共に、そのＣ字の内側に排出部５１２ｄが配設される。これにより、ホッパ装置３００を移動させることを目的として、作業者が保持部２４４０を把持した場合に、作業者の手を排出部５１２ｄの前方（排出部５１２ｄの開口を覆う位置）に配置させることができる。従って、ホッパ装置３００を筐体１１に対して移動させる摩擦抵抗により発生する振動やホッパの傾きに伴って排出部５１２ｄ（排出経路ＫＲ１）を通過するメダルを作業者の手に当接させることができる。その結果、ホッパ装置３００の移動中に排出部５１２ｄからメダルが排出されて、メダルがスロットマシン１０の外方に散らばることを抑制できる。
【０２２６】
さらに、第２実施形態では、連通部２０８２ａの開口２０９４の内側に保持部２４４０が配設されるので、閉鎖された状態の前扉１２と筐体１１との間の隙間から針金やピアノ線等の不正物が挿入された場合に、ホッパ装置３００と連通部２０８２ａとの隙間を介して連通部２０８２ａの内側に挿入される不正物の先端側を、保持部２４４０の側面に沿って、保持部２４４０の突設方向（図２３（ｂ）右方向）に送ることができる。従って、連通部２０８２ａの内側に挿入される不正物の先端側を排出部５１２ｄの開口から離間する方向に送ることができるので、排出部５１２ｄの内側に不正物が挿入されて、不正行為が行われることを抑制できる。
【０２２７】
次いで、図２４及び図２５を参照して、第３実施形態におけるホッパ装置３００について説明する。上記第１実施形態では、保持部４４０がホッパ装置３００の貯留タンク４００から突設される場合について説明したが、第３実施形態では、保持部３５１１ｃが、ホッパ装置３００の排出装置５００に凹設される。なお、上記各実施形態と同一の部分には、同一の符号を付してその説明は省略する。
【０２２８】
図２４（ａ）は、第３実施形態におけるホッパ装置３００の正面図であり、図２４（ｂ）は、図２４（ａ）のＸＸＩＶｂ−ＸＸＩＶｂ線におけるホッパ装置３００の断面図である。なお、図２４（ｂ）では、ホッパ装置３００の断面が模式的に図示される。
【０２２９】
図２４に示すように、第３実施形態におけるホッパ装置３００の貯留タンク４００には、保持部４４０が形成されず、連結部４３０の正面側側面が平滑面とされる。また、排出装置５００のハウジング５１０は、下面および上面が開放する筒状に形成される周壁部３５１１と、その周壁部３５１１の上面側開口を閉鎖する５１２と、周壁部３５１１の下面側開口を閉鎖する底壁部５１３と、周壁部の側面に沿ってスライド変位可能に配設される閉鎖部材３５１７とを備えて形成される。
【０２３０】
周壁部３５１１は、下面側の開口端部が水平に形成され、上面側の開口端部が他端側から一端側に向かって下降傾斜して形成される。また、周壁部３５１１は、他端側の外側面に立設部５１１ａが立設され、排出部５１２ｄの開口側（筐体１１の開放側）の側面に保持部３５１１ｃが凹設される。
【０２３１】
保持部３５１１ｃは、排出部５１２ｄの重力方向下方に形成されると共に、排出部５１２ｄと所定の距離離間して形成される。また、保持部３５１１ｃは、正面視略矩形状に凹設されると共に、その長手方向が排出部５１２ｄの開口の長手方向と平行に形成される。なお、保持部３５１１ｃは、作業者がホッパ装置３００を移動させる場合に手を挿入する部分であり、作業者が手を挿入する状態については後述する。
【０２３２】
閉鎖部材３５１７は、正面視略矩形の板状に形成され、その一面が排出部５１２ｄの開口側（筐体１１の開放側）の周壁部３５１１の側面に沿って配置される。また、閉鎖部材３５１７は、正面視における外形が、上述した保持部３５１１ｃの正面視における外形よりも大きく形成される。
【０２３３】
閉鎖部材３５１７は、長手方向が他端側から一端側に向かって下降傾斜して配設され、その傾斜方向が、排出部５１２ｄの開口の長手方向と略平行とされる。閉鎖部材３５１７は、短手方向に沿う長穴の摺動孔３５１７ａと、短手方向一端側の側面に端面３５１７ｂとを備える。
【０２３４】
摺動孔３５１７ａは、閉鎖部材３５１７の短手方向において略中央位置よりも一端側に偏った位置に２個所形成される。摺動孔３５１７ａは、閉鎖部材３５１７をその長穴方向に変位可能な状態で周壁部３５１１に保持するための開口であり、内側に円環形状のカラーＣが配設されると共に、そのカラーＣの内縁部に周壁部３５１１に螺合されるネジＮが挿入される。
【０２３５】
カラーＣは、摺動孔３５１７ａの幅寸法よりも小さい外径の小径部Ｃ１と、摺動孔３５１７ａの幅寸法よりも大きい外径の大径部Ｃ２とから形成される。小径部Ｃ１は、その軸方向の長さが、閉鎖部材３５１７の板厚よりも若干大きく形成され、摺動孔３５１７ａに挿入される。大径部Ｃ２は、閉鎖部材３５１７が板厚方向に脱落することを規制する部分であり、閉鎖部材３５１７を周壁部３５１１との対向間に挟んだ状態でネジＮにより締結固定される。これにより、閉鎖部材３５１７は、摺動孔３５１７ａの開口方向に沿って摺動可能な状態で周壁部３５１１に配設され、保持部３５１１ｃの正面側に位置し、保持部３５１１ｃを覆設する第１閉鎖位置と、排出部５１２ｄの正面側に位置し、排出部５１２ｄを覆設する第２閉鎖位置とで変位可能とされる。
【０２３６】
第１閉鎖位置では、図２４（ａ）に示す位置であり、閉鎖部材３５１７が重力方向下方側に配置され、カラーＣの小径部Ｃ１が閉鎖部材３５１７の摺動孔３５１７ａの上方側端部内面と当接した状態とされる。
【０２３７】
また、第１閉鎖位置では、閉鎖部材３５１７の端面３５１７ｂが排出部５１２ｄの下方に配設されると共に、閉鎖部材３５１７の短手方向他端側が保持部３５１１ｃの正面側（保持部３５１１ｃを覆う位置）に配設される。端面３５１７ｂは、閉鎖部材３５１７の板厚方向において周壁部３５１１の側面から離間する方向に向かって下降傾斜して形成される。これにより、排出部５１２ｄからメダルが排出された場合に、そのメダルが端面３５１７ｂの上部に載置されてメダルの排出不良が発生することを抑制できる。
【０２３８】
また、閉鎖部材３５１７の短手方向他端側が保持部３５１１ｃの正面側（保持部３５１１ｃを覆う位置）に配設されるので、前扉１２が筐体１１に対して閉鎖される状態（閉鎖状態）とされる場合に、前扉１２と筐体１１との間に形成される隙間から挿入される不正物が、保持部３５１１ｃの内側に挿入されることを抑制できる。これにより、保持部３５１１ｃの内側に不正な加工がされることを抑制できる。
【０２３９】
ここで、保持部３５１１ｃは、上述したように凹設して形成されるので、その内面に不正な加工がされる（例えば貫通する孔が形成される）と、作業者が前扉１２を筐体１１に対して開放するだけでは、その不正な加工を視認しにくくなり、不正がされていることを認識できないという問題点があった。
【０２４０】
これに対して、第３実施形態では、閉鎖部材３５１７が第１閉鎖位置とされることで、保持部３５１１ｃを覆設できる。従って、前扉１２と筐体１１との間に形成される隙間から挿入される不正物が保持部３５１１ｃの内側に挿入されること抑制できる。その結果、遊技者の不正行為を抑制できる。
【０２４１】
また、保持部３５１１ｃは、周壁部３５１１の外側に配設されるので、保持部３５１１ｃに不正な加工がされる場合には、作業者が、前扉１２を筐体１１に対して開放するだけで、保持部３５１１ｃにされる不正を認識できる。これにより、不正がされている場合には、ホッパ装置３００を不正がされていないものと交換することで、不正が継続して行われることを抑制できる。
【０２４２】
さらに、第１閉鎖位置では、閉鎖部材３５１７の摺動孔３５１７ａが、保持部３５１１ｃの上方に位置し、前後方向（図２４（ａ）紙面垂直方向）において保持部３５１１ｃと重ならない位置に配置される。従って、保持部３５１１ｃの前方に閉鎖部材３５１７を摺動させるための穴が開口することを抑制できる。従って、この点からも不正物が保持部３５１１ｃの内側に挿入されること抑制できる。その結果、遊技者の不正行為を抑制できる。
【０２４３】
次いで、図２５を参照して、第２閉鎖位置および連通部３０８２ａとの連通状態について説明する。図２５（ａ）は、ホッパ装置３００の断面図であり、図２５（ｂ）は、ホッパ装置３００及び連通部３０８２ａの断面図である。なお、図２５（ａ）は、閉鎖部材３５１７が第２閉鎖位置とされ、保持部３５１１ｃに挿入させる作業者の手が２点鎖線で図示される。また、図２５（ａ）及びＣ０２（ｂ）では、ホッパ装置３００の断面が模式的に図示される。
【０２４４】
図２５（ａ）に示すように、閉鎖部材３５１７は、ホッパ装置３００を移動させることを目的として作業者が、閉鎖部材３５１７の短手方向に持ち上げることで第２閉鎖位置に変位される。第２閉鎖位置では、閉鎖部材３５１７の端面３５１７ｂが排出部の上方に配設されると共に、保持部３５１１ｃの正面側の下側部分が開放される。
【０２４５】
従って、作業者は、閉鎖部材３５１７を下方側端部に手を引っ掛けつつ持ち上げることで、閉鎖部材３５１７を第２閉鎖位置に配置することができる。また、閉鎖部材３５１７への手の引っ掛け部分の後方に保持部３５１１ｃの凹設空間が形成されるので、作業者は、閉鎖部材３５１７に引っ掛けた手を背面側に挿入するだけで保持部３５１１ｃに手を挿入することができる。従って、作業者に、閉鎖部材３５１７を持ち上げる動作と、保持部３５１１ｃの内部空間に手を挿入する動作とを一連の動作で行わせることができるので、ホッパ装置３００を移動させる際の作業者の操作を簡易にできる。
【０２４６】
上述したように、第３実施形態では、保持部３５１１ｃが、排出部５１２ｄの重力方向下方に形成されると共に、排出部５１２ｄと所定の距離離間して形成される。従って、保持部３５１１ｃを把持する（保持部３５１１ｃに挿入した）作業者の手を排出部５１２ｄの下側に配置することができる。これにより、ホッパ装置３００を移動させる際に、排出部５１２ｄを通過するメダルが排出部５１２ｄから排出された場合に、保持部３５１１ｃを把持する作業者の手の上部に排出部５１２ｄから排出されたメダルを落下させることができる。その結果、ホッパ装置３００を移動させる際に、メダルが排出部５１２ｄから排出されて、スロットマシン１０の外方に散らばることを抑制できる。
【０２４７】
また、保持部３５１１ｃが排出部５１２ｄの下方（矢印Ｄ方向）に位置して、ホッパ装置３００に凹設されるので、保持部３５１１ｃを作業者が支持した場合に、保持部３５１１ｃ及び排出部５１２ｄの対向間部分を排出部５１２ｄの開口および排出経路ＫＲ１の内部空間を狭める方向に撓ませることができる。従って、保持部３５１１ｃを作業者が支持した場合には、排出部５１２ｄの開口および排出経路ＫＲ１の内部空間を狭めることで、メダルが排出部５１２ｄを通過することを抑制できる。その結果、作業者がホッパ装置３００を移動させる場合に、メダルがスロットマシン１０の外方に散らばることを抑制できる。
【０２４８】
さらに、第２閉鎖位置では、閉鎖部材３５１７の下方側の一部が、保持部３５１１ｃの正面側上部に配置される。即ち、保持部３５１１ｃと閉鎖部材３５１７とが前後方向に重なる重なり代を備えた状態で配設される。これにより、作業者がホッパ装置３００を筐体１１から引き抜く際に、閉鎖部材３５１７の下端部分（保持部３５１１ｃとの重なり代部分）に手を引っ掛けることができる。その結果、ホッパ装置３００を筐体１１から引き抜きやすくできる。
【０２４９】
よって、第３実施形態では、保持部３５１１ｃの内側への不正を防止する閉鎖部材３５１７を、ホッパ装置３００を筐体１１から引き出す際の手の引っ掛け部として利用することができるので、ホッパ装置３００に凹設した保持部３５１１ｃを形成する場合に、保持部３５１１ｃの内側に、作業者が指を引っ掛けるための突起を形成する必要がなくなり、保持部３５１１ｃの形状を簡易にすることができる。その結果、ホッパ装置３００の製造コストを抑えることができる。
【０２５０】
一方、閉鎖部材３５１７を第２閉鎖位置から第１閉鎖位置に移動させる場合には、閉鎖部材３５１７の自重により第１閉鎖位置に移動させることができる。詳しく説明すると、閉鎖部材３５１７は、重力方向の変位成分を含む方向に変位可能とされ、第２閉鎖位置が第１閉鎖位置よりも上方に設定されるので、重力を利用して閉鎖部材３５１７を第１閉鎖位置に変位させることができる。よって、ホッパ装置３００を移動させる作業者が閉鎖部材３５１７を第２閉鎖位置に変位させた後に、閉鎖部材３５１７を第１位置に戻す動作を省くことができる。さらに、第３実施形態では、第１閉鎖位置が閉鎖部材３５１７の初期位置に設定される。従って、作業者が、第２閉鎖位置へ閉鎖部材３５１７を移動させた後に、初期位置への戻し忘れることを抑制できる。
【０２５１】
図２５（ｂ）に示すように、排出用通路３０８２の連通部３０８２ａの内側に閉鎖部材３５１７が配設される。これにより、保持部３５１１ｃが、連通部３０８２ａの内側に配置されるので、前扉１２が筐体１１に対して閉鎖された状態とされる場合に、前扉１２と筐体１１との間に形成される隙間から挿入される不正物が、保持部３５１１ｃの内側に挿入されることを抑制できる。
【０２５２】
また、不正物が、連通部３０８２ａと周壁部３５１１との下方側の隙間から挿入される場合には、挿入される不正物の先端で閉鎖部材３５１７を持ち上げさせることができる。よって、閉鎖部材３５１７の端面３５１７ｂを排出部５１２ｄの開口の前方に配置することができる。従って、排出部５１２ｄに不正物が挿入されることを抑制できると共に、排出部５１２ｄからメダルが排出されることを抑制できる。その結果、遊技者の不正行為を抑制できる。
【０２５３】
次いで、図２６を参照して、第４実施形態について説明する。上記第３実施形態では、保持部３５１１ｃが、周壁部３５１１の側面に凹設される場合について説明したが、第４実施形態では、保持部４５１１ｃが、周壁部４５１１の上端部に凹設される。なお、上記各実施形態と同一の部分には、同一の符号を付してその説明を省略する。
【０２５４】
図２６（ａ）は、第４実施形態におけるホッパ装置３００の正面図であり、図２６（ｂ）は、図２６（ａ）のＸＸＶＩｂ−ＸＸＶＩｂ線におけるホッパ装置３００の断面図である。なお、図２６（ｂ）では、ホッパ装置３００の断面が模式的に図示される。
【０２５５】
図２６に示すように、第４実施形態における排出装置５００のハウジング５１０は、下面および上面が開放する筒状に形成される周壁部４５１１と、その周壁部４５１１の上面側開口を閉鎖する上壁部５１２と、周壁部４５１１の下面側開口を閉鎖する底壁部５１３と、周壁部４５１１の側面に沿ってスライド変位可能に配設される閉鎖部材４５１７とを備えて形成される。
【０２５６】
周壁部４５１１は、下面側の開口端部が水平に形成され、上面側の開口端部が他端側から一端側に向かって下降傾斜して形成される。また、周壁部４５１１は、他端側の外側面に立設される立設部５１１ａと、排出部５１２ｄの開口側（筐体１１の開放側）であって上面側の開口端部に凹設される保持部４５１１ｃとを備える。
【０２５７】
保持部４５１１ｃは、排出部５１２ｄの重力方向下側に形成されると共に、排出部５１２ｄと上壁部５１２の板厚分離間して形成される。また、保持部４５１１ｃは、正面視略矩形状に凹設されると共に、その長手方向が排出部５１２ｄの開口の長手方向と平行に形成される。なお、保持部４５１１ｃは、作業者がホッパ装置００を移動させる場合に手を挿入する部分である。
【０２５８】
閉鎖部材４５１７は、正面視略矩形状の板状体から形成され、その一面が排出部５１２ｄの開口側（筐体１１の開放側）の周壁部４５１１の側面に沿って配置される。また、閉鎖部材４５１７は、正面視における外形が、上述した保持部４５１１ｃの正面視における外形よりも大きく形成される。
【０２５９】
閉鎖部材４５１７は、長手方向が他端側から一端側に向かって下降傾斜して配設され、その傾斜方向が、排出部５１２ｄの開口の長手方向と略平行とされる。閉鎖部材４５１７は、短手方向に沿うなあ孔の摺動孔４５１７ａと、短手方向一端側の側面に端面３５１７ｂとを備える。
【０２６０】
摺動孔４５１７ａは、閉鎖部材４５１７の長手方向端部に端手方向に長い長穴に形成される。摺動孔４５１７ａは、閉鎖部材４５１７を長穴方向に変位可能な状態で周壁部４５１１に保持するための開口であり、内側に円環形状のカラーＣが配設されると共に、そのカラーＣの内側に周壁部４５１１に螺合されるネジＮが挿通される。
【０２６１】
摺動孔４５１７ａは、短手側の幅寸法がカラーＣの小径部Ｃ１の外径よりも大きく設定されると共に、カラーＣの大径部Ｃ２の外径よりも小さく設定される。また、閉鎖部材４５１７の厚み寸法は、カラーＣの小径部Ｃ１の軸方向の長さ寸法よりも小さく設定される。よって、閉鎖部材４５１７の摺動孔４５１７ａにカラーＣを挿入した状態でネジＮを周壁部４５１１に螺合させることで、閉鎖部材４５１７を周壁部４５１１とカラーＣの大径部Ｃ２との対向間に保持できる。これにより、閉鎖部材４５１７は、摺動孔４５１７ａの開口の長穴方向に摺動可能な状態で周壁部４５１１に配設され、保持部４５１１ｃを覆設する第１閉鎖位置と、排出部５１２ｄを覆設する第２閉鎖位置とで変位可能とされる。
【０２６２】
第１閉鎖位置は、図２４（ａ）に示す位置であり、閉鎖部材４５１７が重力方向下方側に配置される。また、第１閉鎖位置では、閉鎖部材４５１７の端面３５１７ｂが排出部５１２ｄの下方に配設されると共に、閉鎖部材４５１７が保持部４５１１ｃの正面側に配設される。
【０２６３】
よって、第１閉鎖位置では、閉鎖部材４５１７が保持部４５１１ｃの正面側に配設されるので、前扉１２が筐体１１に対して閉鎖される状態（閉鎖状態）とされる場合に、前扉１２と筐体１１との間に形成される隙間から挿入される不正物が、保持部３５１１ｃの内側に挿入されることを抑制できる。これにより、保持部３５１１ｃの内側に不正な加工がされることを抑制できる。その結果、遊技者の不正行為を防止できる。
【０２６４】
第１閉鎖位置から第２閉鎖位置への閉鎖部材４５１７の移動は、ホッパ装置３００を移動させることを目的とする作業者が、閉鎖部材４５１７を摺動孔４５１７ａの長穴方向に沿って持ち上げることで行われる。
【０２６５】
第２閉鎖位置では、閉鎖部材４５１７の端面３５１７ｂが排出部の上方に配置されると共に、保持部４５１１ｃの下側部分の前方が開放される。
【０２６６】
従って、作業者が閉鎖部材４５１７の下側端部に手を引っ掛けつつ持ち上げることで、閉鎖部材３５１７を第２軽鎖位置に配置することができる。また、閉鎖部材３５１７の手の引っ掛け部分の背面側に保持部４５１１ｃの凹設空間が形成されるので、作業者は、閉鎖部材４５１７に引っ掛けた手を背面側に挿入するだけで保持部４５１１ｃに手を挿入することができる。従って、作業者に閉鎖部材４５１７を持ち上げる動作と保持部４５１１ｃの内部空間に手を挿入する動作とを一連の動作で行わせることができるので、ホッパ装置３００を移動させる際の作業者の操作を簡易にできる。
【０２６７】
さらに、摺動溝４５１７ｂは、閉鎖部材４５１７がスライド変位する方向と直行する方向（閉鎖部材４５１７の長手方向）において保持部４５１１ｃの外側に形成される。よって、閉鎖部材４５１７を移動させる場合に、保持部４５１１ｃと摺動孔４５１７ａとの干渉（前後方向の重なり）を考慮する必要がない。従って、閉鎖部材４５１７の設計を簡易にできる。
【０２６８】
また、第４実施形態では、上述したように、保持部４５１１ｃは、排出部５１２ｄの開口側（筐体１１の開放側）であって上面側の開口端部に凹設して形成されるので、排出部５１２ｄとの保持部４５１１ｃとの離間距離を小さくできる。これにより、ホッパ装置３００を移動させることを目的として、作業者が保持部４５１１ｃに手を挿入する場合に、作業者の手を排出部５１２ｄの正面側に配置することができる。その結果、ホッパ装置３００を移動させる際に、ホッパ装置３００からメダルが排出されて、メダルが遊技機の外方に散らばることを抑制できる。
【０２６９】
さらに、排出部５１２ｄと保持部４５１１ｃとの離間距離を小さくすることができるので、閉鎖部材４５１７を小さくすることができる。即ち、閉鎖部材４５１７は、第１閉鎖位置では、保持部４５１１ｃの正面側に配設され、第２閉鎖位置では、排出部５１２ｄの正面側に配設されるため、保持部４５１１ｃと排出部５１２ｄとの離間する距離が大きくされるに従って閉鎖部材４５１７が大きくする必要があるところ、排出部５１２ｄと保持部４５１１ｃとの離間する距離が小さくされるので、閉鎖部材４５１７を小さくすることができる。
【０２７０】
次いで、図２７から図２９を参照して第５実施形態におけるホッパ装置３００について説明する。上記第１実施形態では、保持部４４０が連結部４３０に連結して形成される場合について説明したが、第５実施形態では、保持部５４４０が連結部４３０と別部材から形成される。なお、上記各実施形態と同一の部分には同一の符号を付して、その説明は省略する。
【０２７１】
図２７は、第５実施形態における貯留タンク５４００の分解斜視正面図である。図２８（ａ）は、ホッパ装置３００の正面図であり、図２８（ｂ）は、図２８（ａ）のＸＸＶＩＩＩｂ−ＸＸＶＩＩＩｂ線におけるホッパ装置３００の断面図である。図２９（ａ）は、ホッパ装置３００の正面図であり、図２９（ｂ）は、図２９（ａ）のＸＸＩＸｂ−ＸＸＩＸｂ線におけるホッパ装置３００の断面図である。なお、第５実施形態では、保持部５４４０が、支持部５４４１の延設方向が排出部５２１ｄの開口の長手方向と平行となる第１位置と、支持部５４４１の延設方向が水平方向と平行となる第２位置とで変位可能に形成されており、特段の説明がない限り保持部５４４０は、第１位置に配置される状態を説明するものとする。
【０２７２】
図２７に示すように、第５実施形態における貯留タンク５４００は、上方側が開放する椀型に形成される収容部４１０と、その収容部４１０の下側に形成される筒状の筒部４２０とその筒部４２０の下側に形成される共に、排出装置５００と連結される連結部５４３０と、その連結部５４３０に軸部材５４５０を介して連結される保持部５４４０とを備える。
【０２７３】
連結部５４３０は、板状に形成され筒部４２０が連結される本体部４３１と、その本体部４３１の一側端部に突設される第１係合部４３２と、本体部４３１の他端側に突設される第２係合部４３３と、正面側の側面に穿設される軸孔５４３４とを備える。
【０２７４】
軸孔５４３４は、後述する軸部材５４５０を挿入するための穴であり、正面側の側面から背面側に向かって円形状に開口される。また、軸孔５４３４は、背面側に向かうに従ってその内径が拡径される。
【０２７５】
軸部材５４５０は、円柱状に形成され保持部５４４０に内観される一側部分５４５１と、その一側部分５４５１と同軸上の円錐形状に形成され連結部５４３０の軸孔５４３４に挿入される他側部分５４５２とを備える。
【０２７６】
一側部分５４５１は、その外周面に径方向に貫通する締結孔５４５１ａを備える。締結孔５４５１ａは、一側部分５４５１を保持部５４４０に挿入した後に、一側部分５４５１と保持部５４４０とを締結するためのネジ止め用の孔であり、内側に雌ネジが形成される。
【０２７７】
他側部分５４５２は、一側部分から離間するに伴って一側部分の外径よりも大きい外径に拡径されて形成されると共に、連結部５４３０の内側に挿入される。また、他側部分５４５２は、その外周面の軸方向に対する拡径寸法が、上述した連結部５４３０の軸孔５４３４の内周面の軸方向に対する拡径寸法と略同一に設定される。即ち、連結部５４３０の軸孔５４３４の内周面の形状は、他側部分５４５２の外周面の形状と対応する形状に形成される。これにより、軸部材５４５０の他側部分５４５２が軸孔５４３４に挿入された状態では、軸部材５４５０の正面方向（図２８（ｂ）右側）への移動が規制される。
【０２７８】
軸部材５４５０の連結部５４３０への配置は、連結部５４３０の下方側（収容部４１０の開放側と反対側）から、軸部材５４５０を一側部分５４５１側を、連結部５４３０の内側から外側向かって軸孔５４３４に挿入することで行われる。これにより、図２８（ｂ）に示すように、軸孔５４３４から軸部材５４５０の一側部分５４５１を連結部５４３０の外側に突出させた状態に配置できる。
【０２７９】
保持部５４４０は、排出部５２１ｄの開口の長手方向に延設される支持部５４４１と、その支持部５４４１の延設方向両端部から支持部５４４１の延設方向と直行する方向の下方側に屈曲して延設される屈曲部５４４２と、支持部５４４１の正面側の端部から下方に向かって突設される突設部５４４３と、支持部５４４１と屈曲部５４４２との連結部分に貫通する貫通孔５４４４とを備える。
【０２８０】
貫通孔５４４４は、上述した軸部材５４５０の一側部分５４５１が挿入される孔であり、一側部分５４５１の外径よりも大きい内径に形成される。これにより、軸部材５４５０が連結部５４３０に配置された状態で、貫通孔５４４４に一側部分５４５１を挿入することで、保持部５４４０を連結部５４３０（ホッパ装置３００）と連結できる。
【０２８１】
支持部５４４１には、板厚方向に開口する開口部５４４１ａが形成される。開口部５４４１ａは、一端が貫通孔５４４４に連通される。また、開口部５４４１ａは、貫通孔５４４４の内側に軸部材５４５０が挿入された状態において、軸部材５４５０の締結孔５４５１ａと対応する位置に形成される。よって、開口部５４４１ａを介して締結孔５４５１ａにネジＮ２を螺合させることで、保持部５４４０と軸部材５４５０とを締結できる。
【０２８２】
また、軸部材５４５０の他側部分５４５２は、連結部５４３０に対して挿入されるので、軸部材５４５０は周方向に回転可能とされる。従って、保持部５４４０は、連結部５４３０に対して回転可能な状態で保持される。
【０２８３】
保持部５４４０の回転は、連結部５４３０の正面側の側面に突設される突起５４３５に支持部５４４１が当接して回転が規制される第１位置から、支持部５４４１の一面が収容部４１０の当接部５４１５に当接して回転が規制される第２位置までの間で回転可能とされる。
【０２８４】
次いで、図２８及び図２９を参照して、第１位置および第２位置について詳しく説明する。図２８に示すように、保持部５４４０に形成される貫通孔５４４４は、傾斜して形成される排出部５１２ｄの開口の上端側に位置する支持部５４４１と屈曲部５４４２との連結部に形成される。これにより、保持部５４４０に外力を加えていない（ホッパ装置３００を取り出すことを目的とする作業者が、保持部５４４０を把持していない）状態では、傾斜して形成される排出部５１２ｄの開口の下端側に位置する（貫通孔５４４４が形成されていない側の）支持部５４４１と屈曲部５４４２との連結部が重力により下側に向かって回転される。
【０２８５】
保持部５４４０は、上述したように、支持部５４４１が連結部５４３０から突設される突起５４３５に当接することで回転が規制され第１位置に配置される。即ち、突起５４３４５は、支持部５４４１の延設方向が排出部５１２ｄの開口の長手方向と平行となる位置の下側に形成される。
【０２８６】
また、突起５４３５は、延設される支持部５４４１の回転軸から遠方側（図２８（ａ）右側の端部に当接される。これにより、保持部５４４０が第１位置に配置される場合に、支持部５４４１に第２位置への回転方向と反対方向の力が作用する際に、保持部５４４０が破損することを抑制できる。即ち、支持部は、延設方向一方の端部に軸部材５４５０が配設され、他方の端部に規制部材が当接されるので、支持部に第２位置への回転方向と反対側の力が作用した場合に、その力を軸部材５４５０と突起５４３５とに分散しやすくできる。その結果、保持部５４４０が破損することを抑制できる。
【０２８７】
図２９に示すように、保持部５４４０が、第１位置に配置された状態から、保持部５４４０に重力方向上方への力が付与されると、保持部５４４０が、貫通孔５４４４を軸に回転され、貫通孔５４４４が形成されていない側の支持部５４４１と屈曲部５４４２との連結部が上方に回転される。
【０２８８】
保持部５４４０は、上述したように、支持部５４４１が収容部４１０の外側面の当接部５４１５に当接することで回転が規制され第２位置に配置される。即ち、当接部５４１５は、支持部５４４１の回転軌跡上に形成されると共に、支持部５４４１の延設方向が水平となる位置の上側に形成される。
【０２８９】
よって、前扉１２が筐体１１に対して閉鎖した状態（閉鎖状態）では、保持部５４４０を第１位置に配置することで、前扉１２と筐体１１との間に形成される隙間から挿入される不正物を排出部に挿入しにくくできる。また、作業者が、ホッパ装置３００を搬送する（第３の移動）ためホッパ装置３００を持ち上げる場合には、保持部５４４０を第２位置に配置することで、保持部５４４０の下面に作業する力をそのままホッパ装置３００を持ち上げる力に変換できる。
【０２９０】
仮に、保持部５４４０がその延設方向に傾斜する場合には、保持部５４４０の下面に入力される重力方向の力成分が、保持部５４４０の傾斜により斜め方向の力成分に変換されて、重力方向の力成分が小さくされる。これに対し、第５実施形態では、保持部５４４０を第２位置にすることで、ホッパ装置３００を持ち上げる場合に、保持部５４４０に入力される重力方向の力成分を、そのままホッパ装置３００を持ち上げる力にすることができるので、重力方向の力成分が小さくされることを抑制できる。その結果、筐体１１からホッパ装置３００を取り出した後に、持ち上げて（支持して）搬送（第３の移動を）しやすくできる。
【０２９１】
当接部５４１５は、その内側の面がメダルを貯留する部分であり、メダルを貯留する壁面の一部として形成される。即ち、当接部５４１５は、メダルを貯留する壁部として作用する一方、保持部５４４０の回転を規制することができる。従って、保持部５４４０の回転を規制する部分（突起等）を収容部４１０の側面に新たに形成する必要がないので、収容部４１０の構造が複雑になることを抑制できる。また、保持部５４４０の回転を規制する部分を形成する必要がない分、その他の構成部品の配設スペースを大きくすることができるので、設計の自由度を向上できる。
【０２９２】
さらに、保持部５４４０は、メダルを貯留する貯留タンク４００の外面に形成される当接部５４１５に当接して回転が規制されるので、貯留タンク４００にメダルが比較的多く貯留されている場合に、保持部５４４０を当接部５４１５に当接させることで、貯留タンク４００（収容部４１０）がメダルの重みによって破損することを抑制できる。
【０２９３】
即ち、作業者が、ホッパ装置３００を支持した場合に、ホッパ装置３００に傾きが発生すると、貯留タンク４００（収容部４１０）に貯留されたメダルに偏りが発生する。この場合、メダルの重みが収容部４１０に通常よりも大きく作用することで貯留タンク４００の収容部４１０が撓んで破損する恐れがあるところ、保持部５４４０が回転して当接部５４１５に当接することで、収容部４１０に撓みが発生することを抑制できる。その結果、貯留タンク４００（収容部４１０）が破損することを抑制できる。
【０２９４】
保持部５４４０が、第２位置に配置された状態では、排出部５１２ｄの前方に保持部５４４０の屈曲部５４４２が配置される。よって、ホッパ装置３００を移動させることを目的として、作業者が保持部５４４０を把持した場合に、ホッパ装置３００の持ち上げ動作により保持部５４４０が第２位置へ配置されると、排出部５１２ｄからのメダルの排出が屈曲部５４４２により抑制される。従って、作業者がホッパ装置３００を持ち上げて搬送する場合に、その移動に伴う振動や傾き等で、排出部５１２ｄを通過するメダルが排出部から排出されることを抑制できる。その結果、ホッパ装置３００を移動させる場合に、ホッパ装置３００の排出部５１２ｄからメダルが排出されて、そのメダルがスロットマシン１０の外方に散らばることを抑制できる。
【０２９５】
また、上述したように、軸部材５４５０の他側部分５４５２は、一側部分から離間するに伴って一側部分の外径よりも大きい外径に拡径されて形成されると共に、連結部５４３０の内側に挿入される。他側部分５４５２は、その外周面の軸方向に対する拡径寸法が、上述した連結部５４３０の軸孔５４３４の内周面の軸方向に対する拡径寸法と略同一に設定される。即ち、連結部５４３０の軸孔５４３４の内周面の形状は、他側部分５４５２の外周面の形状と対応する形状に形成される。よって、作業者が、ホッパ装置３００を筐体１１に対してスライド変位させて引き出す（第２の移動を行う）場合に、軸部材５４５０が破損することを抑制できる。即ち、保持部５４４０は、ホッパ装置３００を取り出す方向に突設されるので、作業者が支持部５４４１を把持して引き抜き動作する場合に、軸部材５４５０が、連結部５４３０と分離しないように、軸部材５４５０に連結部５４３０との係合部を形成する必要がある。
【０２９６】
例えば、軸部材５４５０に軸部材５４５０よりも大径の円盤状に形成される大径部分を形成してもよいが、ホッパ装置３００を筐体１１から引き抜く際に、大径部分を連結部５４３０に当接させると、大径部分の当接面にホッパ装置３００を引き抜く際の力が集中して大径部分が破損する恐れがある。また、大径部分の直径を比較的大きく形成して、ホッパ装置３００を引き抜く際の力を分散することも考えられるが、大径部分の直径を大きくする必要があるため、ホッパ装置３００に他の部材（例えば、駆動モータやセンサ装置）を配設するスペースが小さくされるため現実的ではない。
【０２９７】
これに対して、第５実施形態では、ホッパ装置３００に連結される軸部材５４５０の一側部分５４５１が、軸方向の端部に向かって拡径され、連結部５４３０には、一側部分５４５１に対応する形状の軸孔５４３４が形成されるので、ホッパ装置３００を引き抜く際に一側部分５４５１にかかる力を分散することができる。その結果、ホッパ装置３００を引き抜く場合に軸部材５４５０が破損することを抑制できる。また、一側部分により、連結部５４３０（軸孔５４３４の内縁）との当接面を大きくすることができるので、一側部分５４５１を径方向に大きくしすぎる必要がない。従って、一側部分５４５１により、他の部材の配設スペースが小さくなることを抑制できる。
【０２９８】
次いで、図３０及び図３１を参照して、第６実施形態におけるホッパ装置３００について説明する。上記第１実施形態では、排出装置５００のハウジング５１０の周壁部５１１の正面側側面（矢印Ｆ方向側の側面）が平滑面に形成される場合について説明したが、第６実施形態における排出装置５００のハウジング６５１０には、鏡面体６５１１ｅが配設される。なお、上記各実施形態と同一の部分には同一の符号を付してその詳しい説明は省略する。
【０２９９】
図３０は、第６実施形態におけるホッパ装置３００の分解斜視正面図である。図３１は、ホッパ装置３００の側面図である。なお、図３０におけるホッパ装置３００は、貯留タンク４００と排出装置５００とで分解された状態で図示される。また、図３０では、軸穴６５１１ｆ１に挿入された軸部６５１１ｅ１が１点鎖線で図示される。さらに、図３１では、筐体１１に対して前扉１２を開放した作業者の視点（目）が模式的に図示されると共に、その作業者の視点からの視線が２点鎖線で図示される。
【０３００】
図３０及び図３１に示すように、第６実施形態におけるホッパ装置３００のハウジング５１０は、下面および上面が開放する筒状に形成される周壁部６５１１と、その周壁部６５１１の上面側開口を閉鎖する上壁部５１２と、周壁部６５１１の下面側開口を閉鎖する底壁部５１３とを主に備えて形成される。
【０３０１】
周壁部６５１１は、下面側の開口端部が水平に形成され、上面側の開口端部が他端側（矢印Ｌ方向側）から一端側（矢印Ｒ方向側）に向かって下降傾斜して形成される。また、周壁部６５１１は、他端側の外側面に立設される立設部５１１ａと、上面側開口内縁の一端側に凹設される凹部５１１ｂと、正面側（矢印Ｆ方向側）の側面から正面側に突設される鏡面体６５１１ｅとを備える。
【０３０２】
鏡面体６５１１ｅは、板状に形成され、厚み方向と直行する方向が保持部４４０（支持部４４１）の延設方向と平行となる状態で配設される。また、鏡面体６５１１ｅは、正面視における長手方向の距離寸法Ｌ４（図３０参照）が、保持部４４０の延設方向における距離寸法Ｌ５（図３０参照）よりも大きく設定されると共に、保持部４４０の延設方向と直行する方向において、長手方向の両端が保持部４４０の両端よりも外側に位置して配設される。
【０３０３】
また、鏡面体６５１１ｅは、その外面（表面）が、光の反射率が高い材料（第６実施形態では、鏡）から形成される。これにより、貯留タンク４００及び排出装置５００を組み合わせた状態で、前扉１２を筐体１１に対して開放した作業者が、保持部４４０（支持部４４１）の死角となる部分を鏡面体６５１１ｅの反射を利用して視認することができる。なお、光の反射率が高いとは、鏡面体６５１１ｅにより反射される虚像の外形が、作業者から認識できる程度以上のものを示す。
【０３０４】
さらに、鏡面体６５１１ｅは、周壁部６５１１と別部材から形成されると共に、周壁部６５１１側の端部から鏡面体６５１１ｅの正面視における長手方向両側に突設される円柱状の軸部６５１１ｅ１を備えて形成され、その軸部６５１１ｅ１が、周壁部６５１１に突設される軸支部６５１１ｆに凹設される軸穴６５１１ｆ１に挿入され、軸部６５１１ｅ１の中心を軸に鏡面体６５１１ｅが周壁部６５１１に対して回転可能とされる。
【０３０５】
なお、鏡面体６５１１ｅと周壁部６５１１との間には、ねじりばね（図示しない）が配設される。これにより、鏡面体６５１１ｅは、作業者からの力が作用していない場合に、鏡面体６５１１ｅの軸部６５１１ｅ１と反対側の端部が筐体１１の開口側（矢印Ｆ方向側）に離間する位置（図３０に示す位置）に配置される。
【０３０６】
ここで、従来より、一面側が開口する箱状の筐体（外枠）と、その筐体の開口側に開閉可能に配設される前扉と、遊技媒体を排出する排出部が形成され、その排出部から排出される遊技媒体を貯留すると共に筐体の内側に着脱可能に配設されるホッパ装置（遊技媒体排出手段）とを備える遊技機が知られている。この遊技機によれば、ホッパ装置は、筐体の内壁と対向する面に凹設される凹設部を備える。作業者は、凹設部の内側に手を入れることで、ホッパ装置を移動させる際の持ち手として利用できる。
【０３０７】
しかしながら、上述した従来の遊技機では、ホッパ装置を移動させる際の持ち手（凹設部）が筐体の内壁と対向する面に形成されるので、作業者が筐体に対して前扉を開放した場合に、筐体の開口側から凹設部を視認しにくくなる。また、凹設部は、前扉に対して筐体を閉鎖すると、前扉により筐体の開放側から視認不能とされる。そのため、遊技者の不正行為（例えば、保持部が形成された部分に貫通穴をあけて、その貫通穴から不正部材を挿入しホッパ装置の内側に配設される検出装置やモータを操作して不正に遊技媒体を排出させる行為）が、凹設部にされると、不正がされた痕跡（例えば、貫通穴が形成された痕）を作業者が発見するためにはホッパ装置を筐体から引き出して凹設部を視認する必要がある。従って、筐体に対して前扉を開放した作業者が不正を発見しにくく、遊技者の不正行為が継続して行われてしまうという問題点があった。
【０３０８】
これに対し、第６実施形態によれば、保持部４４０（支持部４４１）が筐体１１の開口側（矢印Ｆ方向側）に突設され、保持部４４０は、前扉１２が筐体１１に対して開放されると筐体１１の開口側から視認可能とされ、前扉１２が筐体１１に対して、閉鎖されると筐体１１の開口側から視認不能とされるので、作業者が、筐体１１に対して前扉１２を開放した場合に、保持部４４０を作業者に視認させやすくできる。従って、不正行為を行うための貫通穴が保持部４４０に形成された場合に、不正がされた痕跡を作業者が発見しやすくなる。その結果、遊技者の不正行為が継続して行われることを抑制できる。
【０３０９】
さらに、保持部４４０（支持部４４１）は、ホッパ装置３００を移動させる場合の作業者の持ち手として利用させることができるので、保持部４４０に不正が挿入可能な大きさの穴が形成される場合に、保持部４４０を把持した際の感触（例えば、貫通穴を形成する際に形成される突起（バリ）を触った感触）で作業者に不正行為がされた痕跡が合うことを発見させやすくできる。その結果、遊技者の不正行為が継続して行われることを抑制できる。
【０３１０】
なお、不正行為を行うための貫通穴が形成されたもの（不正行為を行った痕跡）が発見された場合には、ホッパ装置３００を新しいユニットに交換する、または、貫通穴が形成された部品を新しい部品（正常な部品）に交換することで、不正行為が継続して行われることを抑制できる。
【０３１１】
また、第６実施形態では、筐体１１の内側に、ホッパ装置３００にされる不正の痕跡を反射させて筐体１１の開口側から視認可能とする鏡面体６５１１ｅが配設されるので、ホッパ装置３００に不正行為がされた場合に、作業者が筐体１１に対して前扉１２を開放することで不正行為がされた痕跡を発見することができる。
【０３１２】
例えば、ホッパ装置３００の内側に不正物を挿入することを目的として、排出部５１２ｄの周囲に貫通穴が形成された場合に、その貫通穴が作業者の視点から保持部４４０（支持部４４１）の死角に入ると、作業者が筐体１１に対して前扉１２を開放することのみでは、不正がされた痕跡（貫通穴が形成されること）を筐体１１の開口面から視認して発見することが困難になる恐れがあった。
【０３１３】
これに対して、第６実施形態によれば、光を反射可能な鏡面体６５１１ｅが配設され、鏡面体６５１１ｅによりホッパ装置３００にされる不正の痕跡を筐体１１の開口側から視認できるので、ホッパ装置３００に不正行為がされた場合に、作業者が筐体１１に対して前扉１２を開放することで不正行為がされた痕跡を発見することができる。従って、鏡面体６５１１ｅによりホッパ装置３００にされる不正の痕跡を筐体１１の開口側から視認できるので、作業者は筐体１１に対して前枠１２を開放した後に鏡面体６５１１ｅを確認することのみで、ホッパ装置３００にされる不正の痕跡があるのかを確認できる。その結果、作業者が外枠に対して前扉を開放した際に不正がされた痕跡を発見しやすくできる。
【０３１４】
また、鏡面体６５１１ｅは、排出部５１２ｄを間に挟んで保持部４４０（支持部４４１）の反対側に配設される。これにより、図３１に示すように、筐体１１に対して前扉１２を開放した作業者は、保持部４４０側から鏡面体６５１１ｅを視認することで、排出部５１２ｄ及び排出部５１２ｄと保持部４４０との間にされた不正の痕跡を発見することができる。
【０３１５】
即ち、ホッパ装置３００の外面に保持部４４０（支持部４４１）が形成されると、排出部５１２ｄや排出部５１２ｄと保持部４４０との間にされた不正の痕跡が、保持部４４０により作業者から死角となる恐れがあるところ、かかる鏡面体６５１１ｅは、排出部５１２ｄを間に挟んで保持部４４０の反対側に配設されるので、保持部４４０により作業者から死角となる部分を反射して、作業者に視認させることができる。その結果、作業者が筐体１１に対して前扉１２を開放した際に、作業者に不正がされた痕跡を発見させやすくできる。
【０３１６】
さらに、排出部５１２ｄの上方（矢印Ｕ方向）に保持部４４０（支持部４４１）が形成され、排出部５１２ｄの下方に鏡面体６５１１ｅが形成される。これにより、前扉１２を筐体１１に対して開放した作業者が鏡面体６５１１ｅの反射を利用して、保持部４４０の死角を視認しやすくできる。
【０３１７】
通常、スロットマシン１０は、ホッパ装置３００の高さ位置が、作業者の視点よりも低い位置で店舗に設置される。そのため、保持部４４０（支持部４４１）の下方側（矢印Ｄ方向側）が、作業者の死角となりやすくなるところ、かかる鏡面体６５１１ｅが、保持部４４０の下方に配設されるので、筐体１１に対して前扉１２を開放した作業者に凸部または凹部の下方部分を視認させやすくできる。その結果、ホッパ装置３００にされた不正の痕跡を作業者に発見させやすくできる。
【０３１８】
また、第６実施形態では、鏡面体６５１１ｅが、前扉１２が筐体１１に対して閉鎖された状態（閉鎖状態）において、上記第１実施形態で説明した排出用通路８２の連通部８２ａの外側に配設される。これにより、排出部５１２ｄから排出されるメダルが鏡面体６５１１ｅの上部に落下することを抑制できる。その結果、鏡面体６５１１ｅにメダルが当接して、鏡面体６５１１ｅの外面に傷が形成されることを抑制でき、作業者が鏡面体６５１１ｅに反射される周壁部６５１１（ホッパ装置３００）の外面を視認しにくくなることを抑制できる。
【０３１９】
上述したように、鏡面体６５１１ｅは、周壁部６５１１（ホッパ装置３００）に対して変位可能な状態で配設される。これにより、ホッパ装置３００にされた不正の痕跡を作業者に発見させやすくできる。
【０３２０】
即ち、筐体１１に対して前扉１２を開放した作業者の視点によっては、不正検出手段により保持部の死角となる部分を作業側に反射しにくくなるところ、かかる鏡面体６５１１ｅが、周壁部６５１１（ホッパ装置３００）に対して変位可能な状態で配設されるので、作業者は、鏡面体６５１１ｅを変位させることで、作業者の視点から保持部４４０（支持部４４１）の死角となる部分を効率的に反射させることができる。その結果、ホッパ装置３００にされた不正の痕跡を作業者に発見させやすくできる。
【０３２１】
また、鏡面体６５１１ｅは、周壁部６５１１（ホッパ装置３００）に軸支されると共に、軸支部分（軸部６５１１ｅ１）と反対側の端部が少なくとも重力方向（矢印Ｕ−Ｄ方向）の変位成分を含む方向に回転可能とされるので、作業者がホッパ装置３００を支持する目的で、誤って（保持部４４０と間違えて）不正検出手段を支持しようとした場合に、鏡面体６５１１ｅの軸支部分を反対側の端部を重力方向上側（矢印Ｕ方向側）に回転させることができる。これにより、作業者の指が、鏡面体６５１１ｅに引っ掛かりにくくすることができるので、鏡面体６５１１ｅを把持してホッパ装置３００が作業者に支持されることを抑制できる。その結果、鏡面体６５１１ｅ（特に軸部６５１１ｅ１）が破損することを抑制できる。
【０３２２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０３２３】
上記各実施形態において、１の実施形態の一部または全部を他の１又は複数の実施形態の一部または全部と入れ替えて又は組み合わせて、遊技機を構成してもよい。
【０３２４】
上記第１から第５実施形態では、支持部４４１が比較的長く延設され、支持部４４１を作業者の手の全体で把持する場合を説明したが、必ずしもこれに限られるものではない。例えば、作業者の手の一部の指が、支持部４４１に引っ掛かる大きさに形成されていてもよい。
【０３２５】
この場合、支持部４４１を把持しない他の指は、ホッパ装置３００の側面から突設される突起を把持できることが好ましく。また、支持部４４１及び突起を把持する作業者の指の距離感覚がメダルの直径よりも小さく設定されることが好ましい。
【０３２６】
これによれば、作業者がホッパ装置３００を移動させることを目的として、作業者が支持部４４１及び突起を把持することで、排出部５１２ｄ（排出経路ＫＲ１）を通過するメダルを支持部４４１を把持する作業者の手（指）に当接させることができる。また、支持部４４１及び突起を把持した作業者の指の間隔がメダルの直径よりも小さくされるので、作業者の指に当接しメダルが、指の間から抜け落ちることを抑制できる。その結果、ホッパ装置３００の移動中に排出部５１２ｄからメダルが排出されて、メダルがスロットマシン１０の外方に散らばることを抑制できる。
【０３２７】
上記第５実施形態では、保持部５４４０の第２位置から第１位置への移動が、保持部５４４０の自重で回転される場合について説明したが、必ずしもこれに限られるものではない、例えば、保持部５４４０と連結部５４３０との間に付勢バネを介在させて、付勢バネの付勢力を保持部５４４０を第２位置から第１位置へ戻る方向へ作用させてもよい。
【０３２８】
これによれば、保持部５４４０を第１位置側へ常に付勢することができるので、保持部５４４０を第２位置に回転させたのちに、保持部５４４０が、回転時の摩擦抵抗と釣り合って、第１位置へ戻らなくなることを抑制できる。
【０３２９】
上記第１実施形態では、保持部４４０が排出部５１２ｄの上方に突設される場合を説明したが、必ずしもこれに限られるものではない。例えば、保持部４４０が排出部５１２ｄの上方に凹設されていてもよい。この場合、凹設方向は、凹設距離が深くなるに従って上方に傾斜して形成されることが好ましい。これによれば、保持部に挿入される手を排出部５１２ｄの前方（排出部５１２ｄの開口を覆う位置）に配置しやすくできる。その結果、ホッパ装置３００の移動中に排出部５１２ｄからっメダル排出されて、メダルがスロットマシン１０の外方に散らばることを抑制できる。
【０３３０】
また、保持部４４０が排出部５１２ｄの下方に突設されてもよい。この場合、保持部４４０が突設先端に向かって下降傾斜して形成されることが好ましい。これによれば、回転ディスク５２０が回転されて、排出部５１２ｄから排出されるメダルが保持部４４０の上部に載置されることを抑制できる。その結果、排出部５１２ｄから排出されるメダルの排出を安定することができると共に、ホッパ装置３００を移動させる際には、排出部５１２ｄからメダルが排出されて、メダルがスロットマシン１０の外方に散らばることを抑制できる。
【０３３１】
上記第１実施形態では、保持部４４０の突設部４４３の突設先端位置が、排出部５１２ｄよりも上方に設定される場合を説明したが、必ずしもこれに限られるものではない。例えば、突設部４４３の突設先端位置が、排出部５１２ｄの重力方向上側の長手方向の平面と同一の平面上に設定されてもよい。言い換えると、突設部４４３の突設先端位置が、排出部５１２ｄの上側内面を形成する一面からメダルの排出方向に延びる直線上に設定されていてもよい。
【０３３２】
これによれば、メダルが排出部５１２ｄから排出される領域の上方にホッパ装置３００の側面と突設部４４３とが対向する領域を形成できる。よって、支持部４４１を把持する作業者の手をメダルが排出部５１２ｄから排出される領域に配置させやすくできる。その結果、ホッパ装置３００を移動させる際に、排出部５１２ｄからメダルが排出されて、メダルがスロットマシン１０の外方に散らばることを抑制できる。
【０３３３】
また、突設部４４３は、突設先端が排出部５１２ｄの上側内面を形成する一面からメダルの排出方向に延びる直線上に設定されるので、排出部５１２ｄから排出されるメダルが突設部４４３に引っ掛かることを抑制できる。従って、排出部５１２ｄからメダルを排出する機能は維持しつつ、ホッパ装置３００を筐体１１から取り出しやすくできると共に、ホッパ装置３００を移動させる場合に、メダルがスロットマシン１０の外方に散らばることを抑制できる。
【０３３４】
上記第１実施形態では、金属プレート１１ｂ１が、筐体１１の開口側の内側底面に配設される場合を説明したが、必ずしもこれに限られるものではない。例えば、筐体１１の左側板１１ｄ、右側板１１ｅまたは天板１１ａの内側に金属プレート１１ｂ１を配設してもよい。、また、金属プレート１１ｂ１の反射により視認される部分をホッパ装置３００の外面（周壁部５１１）以外の箇所としてもよい。
【０３３５】
例えば、筐体１１の左側板１１ｄの内側に金属プレート１１ｂ１を配設して、その金属プレート１１ｂ１の反射により、筐体１１の内側に配設される主制御装置１３１を筐体１１の開口側から視認させやすくしてもよい。この場合、主制御装置１３１にされる不正の痕跡を作業者に発見させやすくできる。
【０３３６】
上記第１実施形態では、金属プレート１１ｂ１の筐体１１の開放側と反対側の一部にホッパ装置３００が載置される場合を説明したが、必ずしもこれに限られるものではない。例えば、ホッパ装置３００が筐体１１の内側に配設された状態では、金属プレート１１ｂ１がホッパ装置３００の前方（筐体１１に対して引き出し方向）に配置されていてもよい。
【０３３７】
この場合、金属プレート１１ｂ１は、筐体１１の底板１１ｂに金属プレート１１ｂ１の板厚分の深さで凹設される凹設部分に配設されて、金属プレート１１ｂ１の上面と底板１１ｂの上面との高さが一致する状態とすることが好ましい。これにより、ホッパ装置３００を筐体１１からスライド変位させる場合に、ホッパ装置３００が金属プレート１１ｂ１に引っ掛かることを抑制できる。
【０３３８】
上記第１及び第６実施形態では、金属プレート１１ｂ１および鏡面体６５１１ｅが、それぞれ鉄材、鏡から形成される場合を説明したが、必ずしもこれに限るものではない。例えば、筐体１１の内側を反射して作業者が筐体１１の内側を視認できる材料なら何でもよく、例えば、鉄、ステンレス、アルミ、銅、鏡または反射率の高い皮膜（塗装）を施した樹脂などから形成してもよい。
【０３３９】
上記第５実施形態では、保持部５４４０が回転されて第２位置に配置される場合に、屈曲部５４４２が、排出部５１２ｄの前方（排出部５１２ｄの開口を覆う位置）に配置される場合を説明したが、必ずしもこれに限られるものではない。例えば、保持部５４４０が回転されて第２位置に配置される場合に、支持部５４４１を排出部５１２ｄの前方（排出部５１２ｄの開口を覆う位置）に配置させてもよい。この場合、屈曲部５４４２が排出部５１２ｄの前方に配置される場合と同様の効果を奏することができる。また、排出部５１２ｄの前方を塞ぐ目的で屈曲部５４４２を形成する必要がなくなるので、屈曲部５４４２を小さくする又は、なくすことができる。よって、その分、製造コストを抑えることができる。
【０３４０】
上記第６実施形態では、鏡面体６５１１ｅの正面視における長手方向の距離寸法Ｌ４（図３０参照）が、保持部４４０の延設方向における距離寸法Ｌ５（図３０参照）よりも大きく形成される場合を説明したが、必ずしもこれに限られるものではない。例えば、鏡面体６５１１ｅの正面視における長手方向の距離寸法Ｌ４は、保持部４４０に形成される屈曲部４４２の対向間の距離寸法Ｌ６（図３０参照）よりも若干小さく形成され、屈曲部４４２の対向間に鏡面体６５１１ｅが配設されてもよい。
【０３４１】
この場合、筐体１１に対して前扉１２が閉鎖された状態において、鏡面体６５１１ｅは、保持部４４０の支持部４４１（突設部４４３）と所定の隙間を隔てて配設され、排出用通路８２の連通部８２ａが、支持部４４１（突設部４４３）と一対の屈曲部４４２と鏡面体６５１１ｅとで囲われた空間に配設され、排出部５１２ｄが、連通部８２ａの内側に配設されると共に連通部８２ａと連通されることが好ましい。これによれば、閉鎖された状態の前扉１２と筐体１１との間に形成された隙間から不正部材が挿入された場合に、その挿入された不正部材の先端側の端部が、連通部８２ａの内側に挿入されることを抑制できる。即ち、連通部８２ａが、保持部４４０及び鏡面体６５１１ｅの内側に配設されるので、不正部材の先端を保持部４４０及び鏡面体６５１１ｅに当接させて連通部８２ａの内側に入ることを抑制できる。
【０３４２】
上記第６実施形態では、鏡面体６５１１ｅが、周壁部６５１１（ホッパ装置３００）に軸支され、回転可能とされる場合を説明したが、必ずしもこれに限られるものではない。例えば、周壁部６５１１に対して変位不能な状態で接続されてもよいし、鏡面体６５１１ｅを周壁部６５１１に対してボールジョイントで連結して、周壁部６５１１に対して自在に変位可能に配設してもよい。なお、ボールジョイントで連結する場合には、周壁部に対して自在に変位可能とされるので、作業者が鏡面体６５１１ｅを操作することで、鏡面体６５１１ｅの反射により視認できる範囲を広くすることができる。
【０３４３】
上記実施形態では、本発明をスロットマシン１０について具体化した例を示したが、スロットマシンとパチンコ機とを融合した形式の遊技機に適用してもよい。即ち、スロットマシンのうち、メダル投入およびメダル払出機能に代えて、パチンコ機のような球投入および球払出機能を持たせた遊技機としてもよい。かかる遊技機をスロットマシンに代えて使用すれば、遊技ホールでは、球のみを遊技価値として取り扱うことができるため、パチンコ機とスロットマシンとが混在している現在の遊技ホールにおける、遊技価値たるメダルと球との別個の取り扱いによる設備上の負担や遊技機設置場所の制約といった問題を解消し得る。
【０３４４】
また、本発明をパチンコ機に適用することも可能である。パチンコ機の場合、外枠に遊技機本体が装着されると共に、遊技機本体の前面側に扉部材が設けられる。遊技機本体には、遊技球飛翔領域としての遊技領域が形成されると共に作動口や液晶表示装置などが設置された遊技盤が搭載され、扉部材に設けられた視認窓により、遊技領域や液晶表示装置が視認可能となっている。そして、遊技球発射装置により発射された遊技球が作動口に入賞することに伴い、内部抽選が行われると共に液晶表示装置上にて絵柄の可変表示が行われる。かかるパチンコ機に上記実施形態の表示制御装置とサブ制御装置との構成を適用した場合であっても、上記実施形態と同様の作用効果を奏することは明らかである。
【０３４５】
更に、パチンコ機以外にも、アレパチ、雀球、スロットマシン、いわゆるパチンコ機とスロットマシンとが融合した遊技機などの各種遊技機として実施するようにしてもよい。
【０３４６】
パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０３４７】
以下に、本発明の遊技機に加えて上述した実施形態に含まれる各種発明の概念を示す。
【０３４８】
＜ホッパ装置３００を一例とする発明の概念について＞
一面側が開口する箱状の外枠と、その外枠の開口側に開閉可能に配設される前扉と、遊技媒体を排出する排出部が形成され、その排出部から排出される遊技媒体を貯留すると共に前記外枠の内側に着脱可能に配設される遊技媒体排出手段と、を備えた遊技機において、前記遊技媒体排出手段は、前記排出部から重力方向のいずれか一方に所定の距離離間する位置に突設または凹設される凸部または凹部を備えることを特徴とする遊技機Ａ１。
【０３４９】
ここで、一面側が開口する箱状の外枠と、その外枠の開口側に開閉可能に配設される前扉と、遊技媒体を排出する排出部が形成され、外枠の内側に着脱可能に配設されると共に遊技媒体を貯留する遊技媒体排出手段とを備える遊技機が知られている（例えば、特開２００８−２２０７３９号公報）。遊技媒体排出手段は、外枠と当接する面に遊技媒体排出手段の内側に向かって凹設される凹設部（例示した先行文献では、膨出部２６０ｆ、図３参照）を備える。作業者は、凹設部の内側に手を入れることで、遊技媒体排出手段を移動させる際の持ち手として凹設部を利用できる。
【０３５０】
しかしながら、上述した従来の遊技機では、遊技媒体排出手段に貯留される遊技媒体が排出部の内側で詰まった場合や遊技媒体を排出するための駆動源が故障した場合に、前扉を開放して外枠から遊技媒体排出手段を取り出して搬送する必要があり、その移動（外枠から取り出す際の移動および取り出した後の搬送）の際に、遊技媒体排出手段の移動に伴う摩擦抵抗により発生する振動や遊技媒体排出手段の傾きで排出部から遊技媒体が排出されて、遊技媒体が遊技機の外方に散らばる恐れがあった。
【０３５１】
これに対して、遊技機Ａ１によれば、遊技媒体排出手段は、排出部から重力方向のいずれか一方に所定の距離離間する位置に突設または凹設される凸部または凹部を備えるので、遊技媒体排出手段を移動させることを目的として、作業者が凸部または凹部を把持した場合に、作業者の手を排出部を覆う位置に配置させることができる。従って、遊技媒体排出手段を移動させる摩擦抵抗により発生する振動や遊技媒体排出手段の傾きに伴って排出部を通過している遊技媒体を作業者の手に当接させて、遊技媒体が排出部から排出されることを抑制できる。その結果、遊技媒体排出手段を移動させる際に、排出部から遊技媒体が排出されて、遊技媒体が遊技機の外方に散らばることを抑制できる。
【０３５２】
なお、遊技媒体排出手段の移動とは、外枠から遊技媒体排出手段を取り出す場合に外枠に対する遊技媒体排出手段の移動の規制を解除する移動と、その移動の規制を解除した後に遊技媒体排出手段を外枠からスライド変位させて引き出す移動と、外枠から遊技媒体排出手段を引き出した後に遊技媒体排出手段を支持して搬送する移動とがあり、本発明では、少なくとも何れか１の移動の際に、遊技媒体が遊技機の外方に散らばることを抑制できる。
【０３５３】
また、凸部または凹部が排出部から離間する所定の距離は、作業者が凸部または凹部を把持した場合に、作業者の手の少なくとも一部が排出部を覆う位置に位置する大きさであればよく、好ましくは１０ミリから３０ミリの範囲に設定される。これによれば、凸部または凹部を把持する作業者の手を排出部を覆う位置に配置させやすくできる。
【０３５４】
遊技機Ａ１において、前記凸部は、突設先端部に重力方向下方に向かって突出する支持部を備え、前記排出部から重力方向上側に離間する位置に前記外枠から前記遊技媒体排出手段を取り出す方向に向かって前記凸部が突設されることを特徴とする遊技機Ａ２。
【０３５５】
遊技機Ａ２によれば、遊技機Ａ１の奏する効果に加え、凸部は、突設先端部に重力方向下方に向かって突出する支持部を備え、排出部から重力方向上側に離間する位置に外枠から遊技媒体排出手段を取り出す方向に向かって凸部が突設されるので、遊技媒体排出手段を移動させる場合に凸部を把持する作業者の手を、排出部を覆う位置に配置させやすくできる。即ち、凸部を把持する作業者の手を、遊技媒体排出手段の凸部が突設される側面と支持部との対向間に挿入させることができると共に遊技媒体排出手段の凸部が突設される側面に沿わせることができるので、作業者の手を排出部を覆う位置に配置させやすくできる。その結果、遊技媒体排出手段を移動させる際に、排出部から遊技媒体が排出されて、遊技媒体が遊技機の外方に散らばることを抑制できる。
【０３５６】
また、外枠に対する遊技媒体排出手段の移動の規制を解除した後に遊技媒体排出手段を外枠から取り出す際には、作業者が支持部に手を引っ掛けることができる。よって、遊技媒体排出手段を外枠から取り出しやすくできる。即ち、遊技媒体排出手段を外枠からスライド変位させて引き出す移動をさせやすくできる。
【０３５７】
遊技機Ａ２において、遊技媒体は、円盤形に形成され、前記支持部は、前記凸部が突設される前記遊技媒体排出手段の側面との対向間の距離が、遊技媒体の直径よりも小さく設定されることを特徴とする遊技機Ａ３。
【０３５８】
遊技機Ａ３によれば、遊技機Ａ２の奏する効果に加え、遊技媒体は、円盤形に形成され、支持部は、遊技媒体排出手段の凸部が突設される側面との対向間の距離が、遊技媒体の直径よりも小さく設定されるので、遊技媒体排出手段を移動させる場合に遊技媒体を排出部から抜け出にくくすることができる。即ち、作業者の手は、遊技媒体排出手段の凸部が突設される側面と支持部との対向間に挿入されるところ、遊技媒体排出手段の凸部が突設される側面と支持部との対向間の距離が、遊技媒体の直径よりも小さく設定されるので、遊技媒体排出手段の凸部が突設される側面と凸部を把持する作業者の手との対向間の距離を遊技媒体の直径よりも小さくすることができる。よって、排出部を通過している遊技媒体が、凸部を把持する作業者の手に当接した際に、その遊技媒体を排出部から抜け出にくくすることができる。その結果、遊技媒体排出手段を移動させる際に、排出部から遊技媒体が排出されて、遊技媒体が遊技機の外方に散らばることを抑制できる。
【０３５９】
遊技機Ａ２又はＡ３において、前記排出部の開口は、矩形状に形成され、前記支持部は、突出先端が前記排出部の上側内面を形成する一面から遊技媒体の排出方向に延びる直線上に設定されることを特徴とする遊技機Ａ４。
【０３６０】
遊技機Ａ４によれば、遊技機Ａ２又はＡ３の奏する効果に加え、排出部の開口は、矩形状に形成され、支持部は、突出先端が排出部の上側内面を形成する一面から遊技媒体の排出方向に延びる直線上に設定されるので、遊技媒体が排出部から排出される領域の上方に、遊技媒体排出手段の凸部が突設される側面と支持部とが対向する領域を形成できる。よって、凸部を把持する作業者の手を、遊技媒体が排出部から排出される領域に配置させやすくできる。その結果、遊技媒体排出手段を移動させる際に、排出部から遊技媒体が排出されて、遊技媒体が遊技機の外方に散らばることを抑制できる。
【０３６１】
また、支持部は、突出先端が排出部の上側内面を形成する一面から遊技媒体の排出方向に延びる直線上に設定されるので、排出部から排出される遊技媒体が支持部に引っ掛かることを抑制できる。従って、排出部から遊技媒体を排出する機能は維持しつつ、遊技媒体排出手段を外枠から取り出しやすくできると共に、遊技媒体排出手段を移動させる場合に遊技媒体が遊技機の外方に散らばることを抑制できる。
【０３６２】
遊技機Ａ２からＡ４のいずれかにおいて、前記前扉は、一方の端部が前記排出部に連通する中空状の連通部を備え、前記連通部の一方の端面を含む平面上に、前記凸部が配置されることを特徴とする遊技機Ａ５。
【０３６３】
遊技機Ａ５によれば、遊技機Ａ２からＡ４のいずれかの奏する効果に加え、前扉は、一方の端部が排出部に連通する中空状の連通部を備え、連通部の一方の端面を含む平面上に、凸部が配置されるので、排出部の内側に不正物が挿入されて、不正行為が行われることを抑制できる。
【０３６４】
例えば、閉鎖された状態の前扉と外枠との間にドライバー等の工具で隙間を形成し、その隙間から針金やピアノ線等の不正物を挿入して、その不正物の挿入先端側を遊技媒体排出手段と連通部との隙間を介して排出部の内側に挿入させ、遊技媒体排出手段の排出部から排出される遊技媒体の数を検出する検出センサのコネクタ部分をショート（断線）させる、又は、遊技媒体排出手段から排出される遊技媒体の移動経路を大きくして遊技媒体排出手段の排出部から排出される遊技媒体の数を検出する検出センサが作動しないようにすることで、排出部から排出される遊技媒体の数を所定の数よりも多くする不正行為がある。かかる不正行為に対し、本発明によれば、連通部の一方の端面を含む平面上に、凸部が配置されるので、前扉と外枠との間から挿入された不正物が、遊技媒体排出手段と連通部との間に挿入されることを抑制できる。即ち、凸部と連通部とが同一の平面上に配設されることで、不正物が挿入される隙間を小さくすることができ、不正物が挿入されることを抑制できる。その結果、上述した不正行為を抑制できる。
【０３６５】
また、凸部は、突設されるので、作業者が前扉を開放した場合に凸部を視認しやすい。よって、凸部に不正物が挿入可能な大きさの穴が形成された場合には、作業者が前扉を開放した際に、作業者に不正行為がされたことを認識させることができる。従って、遊技媒体排出手段を新しいものに交換することで不正行為が継続して行われることを防止できる。
【０３６６】
さらに、凸部は、遊技媒体排出手段を移動させる場合の作業者の持ち手として利用させることができるので、凸部に不正物が挿入可能な大きさの穴が形成された場合に、凸部を把持した際の感触で作業者に不正行為がされたことを認識させることができる。従って、遊技媒体排出手段を新しいものに交換することで不正行為が継続して行われることを防止できる。
【０３６７】
遊技機Ａ５において、前記凸部は、前記連通部の外側に配置されることを特徴とする遊技機Ａ６。
【０３６８】
遊技機Ａ６によれば、遊技機Ａ５の奏する効果に加え、凸部は、連通部の外側に配置されるので、凸部と連通部とが連通状態を形成する領域内においてその領域の外縁に沿って凸部を配置することができ、凸部の大きさを最大とすることができる。従って、遊技媒体排出手段を移動させることを目的として、作業者が凸部を把持する場合に、作業者に凸部を把持させやすくできる。よって、作業者が遊技媒体排出手段を移動させる場合に凸部以外の部分の把持することを抑制できる。その結果、遊技媒体排出手段を移動させる際に、排出部を通過する遊技媒体を作業者の手に当接させて、遊技媒体が排出部から排出されることを抑制できる。
【０３６９】
遊技機Ａ５において、前記凸部は、前記連通部の内側に配置されることを特徴とする遊技機Ａ７。
【０３７０】
遊技機Ａ７によれば、遊技機Ａ５の奏する効果に加え、凸部は、連通部の内側に配置されるので、前扉と外枠との間に形成される隙間に挿入される不正物が、遊技媒体排出手段と連通部との間まで挿入された場合に、その不正物の先端を凸部の突設方向に沿って移動させることができる。従って、不正物の先端を排出部の開口から離間する方向に移動させることができる。その結果、前扉と外枠との間から挿入される不正物が排出部の内側に挿入されることを抑制でき、遊技者の不正行為を抑制できる。
【０３７１】
遊技機Ａ２からＡ７のいずれかにおいて、前記排出部は、矩形状の開口として形成され、前記凸部は、前記排出部の開口の長手方向に延設されることを特徴とする遊技機Ａ８。
【０３７２】
遊技機Ａ８によれば、遊技機Ａ２からＡ７のいずれかの奏する効果に加え、排出部は、矩形状の開口として形成され、凸部は、排出部の開口の長手方向に延設されるので、排出部の長手方向と直行する方向における排出部と凸部との離間距離を一定にすることができる。よって、遊技媒体排出手段を移動させることを目的として、作業者が凸部を把持した場合に、作業者の手を排出部を覆う位置に配置させやすくできる。
【０３７３】
例えば、排出部と凸部との排出部の長手方向と直行する方向における離間距離が排出部の長手方向で異なる場合では、作業者が凸部を把持する位置によっては（例えば、離間距離が大きい箇所を把持した場合）作業者の手が排出部を覆う位置に位置しにくくなる。
【０３７４】
これに対して、遊技機Ａ８では、排出部の長手方向と直行する方向における排出部と凸部との離間距離を一定にすることができるので、作業者が凸部を把持する位置に関わらず作業者の手を排出部を覆う位置に位置させることができる。その結果、遊技媒体排出手段を移動させる際に、排出部から遊技媒体が排出されて、遊技機の外方に散らばることを抑制できる。
【０３７５】
遊技機Ａ８において、前記排出部の開口は、その開口の長手方向の一側から他側に向かって下降傾斜して形成され、前記凸部は、前記排出部の開口を長手方向中央位置で分断し短手方向に延びる２等分線から下降側端部までの距離寸法が、前記２等分線から上昇側端部までの距離寸法よりも大きく設定されることを特徴とする遊技機Ａ９。
【０３７６】
遊技機Ａ９によれば、遊技機Ａ８の奏する効果に加え、排出部の開口は、その開口の長手方向の一側から他側に向かって下降傾斜して形成され、凸部は、排出部の開口を長手方向中央位置で分断し短手方向に延びる２等分線から下降側端部までの距離寸法が、２等分線から上昇側端部までの距離寸法よりも大きく設定されるので、凸部を把持する作業者の手を排出部の他側部分（下降側部分）の手前側に配置させやすくできる。従って、排出部の開口が長手方向に傾斜して形成される場合には、排出部から排出される遊技媒体が、排出部の重力方向下側に位置する長手方向の一面と短手方向の一面とに沿って排出されるところ、凸部を把持する作業者の手を排出部の他側部分の手前側に配置できるので、排出部を通過する遊技媒体を作業者の手に当接させやすくできる。その結果、遊技媒体排出手段を移動させる際に、遊技媒体が排出部から排出されて遊技機の外方に散らばることを抑制できる。
【０３７７】
遊技機Ａ８又はＡ９において、前記凸部は、その凸部の延設方向の両端部に、下方に屈曲して延びる屈曲部を備え、前記屈曲部は、その屈曲部の延設先端が、前記排出部の下側内縁の長手方向に沿って延びる直線よりも下方に配置されることを特徴とする遊技機Ａ１０。
【０３７８】
遊技機Ａ１０によれば、遊技機Ａ８又はＡ９の奏する効果に加え、凸部は、その凸部の延設方向の両端部に、下方に屈曲して延びる屈曲部を備え、屈曲部は、その屈曲部の延設先端が、排出部の下側内縁の長手方向に沿って延びる直線よりも下方に配置されるので、排出部の内側に不正物が挿入されて、不正行為が行われることを抑制できる。
【０３７９】
即ち、排出部は、その開口外側の３方向が屈曲部および凸部により囲われるので、例えば、前扉と外枠との間に形成される隙間に挿入される不正物が、排出部に向けて挿入された場合に、不正物の先端を屈曲部または凸部に当接さやすくできる。よって、排出部までの不正物の侵入経路上に屈曲部および凸部が配設されるので、不正物が排出部に挿入されることを抑制できる。その結果、遊技者の不正行為を抑制できる。
【０３８０】
また、屈曲部により凸部を把持する作業者の手が凸部の外側に出ることを抑制できる。従って、凸部を把持する作業者の手を排出部を覆う位置に位置させやすくできる。よって、遊技機Ａ９に従属する遊技機Ａ１０によれば、延設方向に傾斜する凸部を作業者が把持する場合に、作業者の手に対して凸部がスライド移動することを屈曲部により規制できる。従って、作業者が凸部を把持している際に、作業者の手から凸部が抜け出ることを抑制できる。
【０３８１】
遊技機Ａ２からＡ１０のいずれかにおいて、前記凸部は、前記遊技媒体排出手段と別部材からなり前記遊技媒体排出手段の側面に沿って一方向に延設して形成されると共に、前記凸部および前記遊技媒体排出手段の間に介在する介在部により回転可能に軸支され、前記凸部の延設方向が前記排出部の長手方向と平行とされる第１位置と、前記凸部の延設方向が水平方向と平行とされる第２位置とに変位可能とされることを特徴とする遊技機Ａ１１。
【０３８２】
遊技機Ａ１１によれば、遊技機Ａ２からＡ１０のいずれかの奏する効果に加え、前記凸部は、前記遊技媒体排出手段と別部材からなり前記遊技媒体排出手段の側面に沿って一方向に延設して形成されると共に、前記凸部および前記遊技媒体排出手段の間に介在する介在部により回転可能に軸支され、前記凸部の延設方向が前記排出部の長手方向と平行とされる第１位置と、前記凸部の延設方向が水平方向と平行とされる第２位置とに変位可能とされるので、前扉が外枠に対して閉鎖した状態では凸部を第１位置に配置することで、前扉と外枠との間に形成される隙間から挿入される不正物を排出部に挿入しにくくできる。
【０３８３】
また、作業者が、遊技媒体排出手段を移動させる場合には凸部を第２位置に配置することで、遊技媒体排出手段を持ち上げる際に凸部の下面に作用する重力方向の力をそのまま、遊技媒体排出手段を持ち上げる力に変換できる。
【０３８４】
仮に、凸部が延設方向に傾斜する場合には、凸部の下面に入力される重力方向の力成分が、凸部の傾斜により斜め方向の力成分に変換されて、重力方向の持ち上げ方向の力成分が小さくされる。これに対し、遊技機Ａ１１では、凸部を第２位置にすることで、遊技媒体排出手段を持ち上げる場合に、凸部に入力される重力方向の力成分を、そのまま遊技媒体排出手段を持ち上げる力にすることができるので、重力方向の持ち上げ成分が小さくされることを抑制できる。その結果、外枠から遊技媒体排出手段を引き出した後に遊技媒体排出手段を支持して搬送しやすくできる。
【０３８５】
遊技機Ａ１１において、前記凸部が第２位置に配置される場合に、前記凸部の一部が前記排出部を覆う位置に配置されることを特徴する遊技機Ａ１２。
【０３８６】
遊技機Ａ１２によれば、遊技機Ａ１１の奏する効果に加え、凸部が第２位置に配置される場合に、凸部または屈曲部のいずれか一方または両方の一部が排出部を覆う位置に配置されるので、遊技媒体排出手段を移動させる場合に、凸部を第２位置に配置することで、凸部または屈曲部の一方または両方の一部により、遊技媒体が排出部を通過して排出されることを抑制できる。その結果、遊技媒体排出手段を移動させている途中に排出部を通過する遊技媒体が、排出部から排出されることを抑制できる。
【０３８７】
遊技機Ａ１１又はＡ１２において、前記遊技媒体排出手段の一部は、前記凸部の第１位置および第２位置の変位軌跡上に配置され、前記凸部が第２位置に配置される場合に、前記凸部の一部が前記遊技媒体排出手段に当接して前記凸部の移動が規制されることを特徴する遊技機Ａ１３。
【０３８８】
遊技機Ａ１３によれば、遊技機Ａ１１又はＡ１２の奏する効果に加え、遊技媒体排出手段の一部は、凸部の第１位置および第２位置の変位軌跡上に配置され、凸部が第２位置に配置される場合に、凸部の一部が遊技媒体排出手段に当接して凸部の移動が規制されるので、作業者が遊技媒体排出手段を移動させる際に、第２位置に凸部を規制する規制部分を新たに形成する必要がない。よって、遊技媒体排出手段の外形が大きくなることを抑制できる。その結果、遊技媒体排出部材の配設スペースが大きくなることを抑制できる。
【０３８９】
遊技機Ａ１１からＡ１３のいずれかにおいて、前記介在部は、円柱状に形成されると共に、前記遊技媒体排出手段に連結される一端側に、端部に向かって拡径する拡径部を備え、前記遊技媒体排出手段には、前記拡径部が挿入される穿設孔が穿設され、前記穿設孔は、前記拡径部の外縁形状と対応する内縁形状に形成されることを特徴とする遊技機Ａ１４。
【０３９０】
遊技機Ａ１４によれば、遊技機Ａ１１からＡ１３のいずれかの奏する効果に加え、介在部は、円柱状に形成されると共に、遊技媒体排出手段に連結される一端側に、端部に向かって拡径する拡径部を備え、遊技媒体排出手段には、拡径部が挿入される穿設孔が穿設され、穿設孔は、拡径部の外縁形状と対応する内縁形状に形成されるので、作業者が、遊技媒体排出手段を外枠からスライド変位させて引き出す場合に、介在部が破損することを抑制できる。即ち、凸部は、遊技媒体排出手段を取り出す方向に突設されるので、作業者が凸部を把持して引き抜き動作する場合に、介在部が遊技媒体排出手段と分離しないように、介在部に遊技媒体排出手段との係合部を形成する必要がある。
【０３９１】
例えば、介在部に介在部よりも大径の円盤状に形成される大径部分を形成してもよいが、遊技媒体排出手段を外枠から引き抜く際に、大径部分を遊技媒体排出手段に当接させると、大径部分の当接面に遊技媒体排出手段を引き抜く際の力が集中して大径部分が破損する恐れがある。また、大径部分の直径を比較的大きく形成して、遊技媒体排出手段を引き抜く際の力を分散することも考えられるが、大径部分の直径を大きくする必要があるため、遊技媒体排出手段に他の部材（例えば、駆動モータやセンサ装置）を配設スペースが小さくされるため現実的ではない。
【０３９２】
これに対して、遊技機Ａ１４では、遊技媒体排出手段に連結される一端側の介在部が端部に向かって拡径され、遊技媒体排出手段には、その拡径部に対応する穿設孔が形成されるので、拡径部と穿設孔との当接面積を増やすことができるので、遊技媒体排出手段を外枠から引き抜く際に拡径部にかかる力を分散することができる。その結果、遊技媒体排出手段を引き抜く場合に介在部が破損することを抑制できる。また、拡径部により、遊技媒体排出手段を引き抜く場合に、遊技媒体排出手段との当接面を大きくすることができるので、拡径部を大きくしすぎる必要がない。従って、拡径部により、他の配設スペースが小さくなることを抑制できる。
【０３９３】
遊技機Ａ１において、前記凹部は、前記排出部から重力方向下側に離間する位置に凹設されることを特徴とする遊技機Ａ１５。
【０３９４】
遊技機Ａ１５によれば、遊技機Ａ１の奏する効果に加え、凹部は、排出部から重力方向下側に離間する位置に形成されるので、凹部を把持する作業者の手を、排出部の下側に配置することができる。これにより、遊技媒体排出手段を移動させる際に、排出部を通過する遊技媒体が排出部から排出された場合に、凹部を把持する作業者の手の上部に排出できる。その結果、遊技媒体排出手段を移動させる際に、遊技媒体が排出部から排出されて、遊技機の外方に散らばることを抑制できる。
【０３９５】
遊技機Ａ１５において、前記遊技媒体排出手段は、前記凹部が凹設される側面に沿って変位可能な閉鎖部材を備え、前記閉鎖部材は、前記凹部の前方に配設され前記凹部を覆う第１閉鎖位置と、前記排出部を覆う位置に配設され前記排出部を覆う第２閉鎖位置とに変位可能とされることを特徴とする遊技機Ａ１６。
【０３９６】
遊技機Ａ１６によれば、遊技機Ａ１５の奏する効果に加え、遊技媒体排出手段は、凹部が凹設される側面に沿って変位可能な閉鎖部材を備え、閉鎖部材は、凹部の前方に配設され凹部を覆う第１閉鎖位置と、排出部を覆う位置に配設され排出部を覆う第２閉鎖位置とに変位可能とされるので、凹部を利用して不正行為がされることを防止できると共に、作業者が遊技媒体排出手段を移動させる場合に、排出部から遊技媒体が排出されることを抑制できる。
【０３９７】
即ち、前扉が外枠に対して閉鎖された状態では、閉鎖部材を第１閉鎖位置とすることで、前扉と外枠との間に形成される隙間から挿入される不正物が凹部の内側に挿入されることを防止できる。これにより、前扉と外枠との間から挿入される不正物により、凹部の内側部分に不正な加工がされる（例えば貫通孔が形成される）ことを防止できる。その結果、遊技者の不正行為を防止することができる。
【０３９８】
また、作業者が遊技媒体排出手段を移動させる場合には、閉鎖部材を第２位置とすることで、閉鎖部材により排出部を通過する遊技媒体が排出部から排出されることを抑制できる。その結果、遊技媒体排出手段を移動する際に、排出部から遊技媒体が排出されて、遊技媒体が遊技機の外方に散らばることを抑制できる。
【０３９９】
遊技機Ａ１６において、前記閉鎖部材が第２閉鎖位置とされる場合に、前記閉鎖部材が前記凹部の前方の領域の一部と重なることを特徴とする遊技機Ａ１７。
【０４００】
遊技機Ａ１７によれば、遊技機Ａ１６の奏する効果に加え、閉鎖部材が第２閉鎖位置とされる場合に、閉鎖部材が凹部の前方の領域の一部と重なるので、遊技媒体排出手段を外枠からスライド変位させて移動させることを目的として、凹部を把持した場合に、作業者が閉鎖部材の一部に手を引っ掛けることができる。よって、遊技媒体排出手段を外枠からスライド変位させて移動させやすくできる。
【０４０１】
遊技機Ａ１６又はＡ１７において、前記閉鎖部材は、重力方向の変位成分を含む方向に変位可能とされ、第１閉鎖位置が初期位置とされることを特徴とする遊技機Ａ１８。
【０４０２】
遊技機Ａ１８によれば、遊技機Ａ１６又はＡ１７の奏する効果に加え、閉鎖部材は、重力方向の変位成分を含む方向に変位可能とされ、第１閉鎖位置が初期位置とされるので、重力を利用して閉鎖部材を第１閉鎖位置に変位させることができる。よって、遊技媒体排出手段を移動させる作業者が閉鎖部材を第２閉鎖位置に変位させた後に、閉鎖部材を第１閉鎖位置に戻す動作を省くことができる。従って、作業者が、閉鎖部材を第１閉鎖位置へ戻し忘れることを防止できる。
【０４０３】
＜金属プレート１１ｂ１を一例とする発明の概念について＞
一面側が開口する箱状の外枠と、その外枠の開口側に開閉可能に配設される前扉と、遊技媒体を排出する排出部が形成され、その排出部から排出される遊技媒体を貯留すると共に前記外枠の内側に着脱可能に配設される遊技媒体排出手段と、を備えた遊技機において、前記遊技媒体排出手段は、前記外枠の開口面側に突設または凹設される凸部または凹部が形成され、前記凸部または凹部は、前記前扉が前記外枠に対して開放されると前記外枠の開口側から視認可能とされ、前記前扉が前記外枠に対して閉鎖されると前記外枠の開口側から視認不能とされることを特徴とする遊技機Ｂ１。
【０４０４】
ここで、従来より、一面側が開口する箱状の外枠と、その外枠の開口側に開閉可能に配設される前扉と、遊技媒体を排出する排出部が形成され、その排出部から排出される遊技媒体を貯留すると共に外枠の内側に着脱可能に配設される遊技媒体排出手段とを備える遊技機が知られている（例えば、特開２０１５−１６３３７１号公報）。遊技媒体排出手段は、外枠の内壁と対向する面に凹設される凹設部を備える。作業者は、凹設部（例示した先行文献では、凹部１１６）の内側に手を入れることで、遊技媒体排出手段を移動させる際の持ち手として利用できる。
【０４０５】
しかしながら、上述した従来の遊技機では、遊技媒体排出手段を移動させる際の持ち手（凹設部）が外枠の内壁と対向する面に形成されるので、作業者が外枠に対して前扉を開放した場合に、外枠の開口側から凹設部を視認しにくくなる。また、凹設部は、前扉に対して外枠を閉鎖すると、前扉により外枠の開放側から視認不能とされる。そのため、遊技者の不正行為（例えば、保持部が形成された部分に貫通穴をあけて、その貫通穴から不正部材を挿入し遊技媒体排出手段の内側に配設される検出装置やモータを操作して不正に遊技媒体を排出させる行為）が、凹設部にされると、不正がされた痕跡（例えば、貫通穴が形成された痕）を作業者が発見するためには遊技媒体排出手段を外枠から引き出して凹設部を視認する必要がある。従って、外枠に対して前扉を開放した作業者が不正を発見しにくく、遊技者の不正行為が継続して行われてしまうという問題点があった。
【０４０６】
これに対して、遊技機Ｂ１によれば、凸部または凹部は、前扉が外枠に対して開放されると外枠の開口側から視認可能とされ、前扉が外枠に対して閉鎖されると外枠の開口側から視認不能とされるので、作業者が外枠に対して前扉を開放した場合に、凸部または凹部を視認しやすくできる。従って、不正行為を行うための貫通穴が凸部または凹部に形成された場合に、不正がされた痕跡を作業者が発見しやすくなる。その結果、遊技者の不正行為が継続して行われることを抑制できる。
【０４０７】
さらに、凸部または凹部は、遊技媒体排出手段を移動させる場合の作業者の持ち手として利用させることができるので、凸部または凹部に不正物が挿入可能な大きさの穴が形成された場合に、凸部または凹部を把持した際の感触（例えば、貫通穴を形成する際に形成される突起（バリ）を触った感触）で作業者に不正行為がされた痕跡があることを発見させやすくできる。その結果、遊技者の不正行為が継続して行われることを抑制できる。
【０４０８】
なお、不正行為を行うための貫通孔が形成されたもの（不正行為を行った痕跡）が発見された場合には、遊技媒体排出手段を新しいユニットに交換する、または、貫通穴が形成された部品を新しい部品（正常な部品）に交換することで、不正行為が継続して行われることを抑制できる。
【０４０９】
遊技機Ｂ１において、前記外枠の内側には、光を反射可能な不正検出手段が配設され、前記不正検出手段により前記遊技媒体排出手段にされる不正の痕跡を前記外枠の開口側から視認できることを特徴とする遊技機Ｂ２。
【０４１０】
遊技機Ｂ２によれば、遊技機Ｂ１の奏する効果に加え、外枠の内側には、外枠の内側の光を外枠の開口側に反射可能な不正検出手段が配設され、不正検出手段により遊技媒体排出手段にされる不正の痕跡を外枠の開口側から視認できるので、遊技媒体排出手段に不正行為がされた場合に、作業者が外枠に対して前枠を開放することで不正行為がされたことを発見することができる。
【０４１１】
例えば、遊技媒体排出手段の内側に不正物を挿入することを目的として、排出部の周囲に貫通穴が形成された場合に、その貫通穴が作業者の視点から凸部または凹部の死角に入ると、外枠に対して前扉を開放するのみでは、不正がされた痕跡（貫通穴が形成されたこと）を外枠の開口側から視認して発見することが困難になる恐れがあった。
【０４１２】
これに対して、遊技機Ｂ２によれば、不正検出手段により遊技媒体排出手段にされる不正の痕跡を外枠の開口側から視認できるので、作業者は外枠に対して前枠を開放した後に不正検出手段を確認することのみで、遊技媒体排出手段にされる不正の痕跡があるのかを確認できる。その結果、作業者が外枠に対して前扉を開放した際に作業者に不正がされた痕跡を発見させやすくでき、遊技者の不正行為が継続して行われることを抑制できる。
【０４１３】
また、不正検出手段は、外枠の内側に配設されるので、外枠に対して前扉を閉鎖することで、遊技機外部から不正検出手段が視認されることを抑制できる。その結果、遊技者が不正検出手段を視認することを抑制でき、遊技者の興趣が阻害されることを抑制できる。
【０４１４】
遊技機Ｂ２において、前記不正検出手段は、前記排出部を間に挟んで前記凸部または凹部の反対側に配設されることを特徴とする遊技機Ｂ３。
【０４１５】
遊技機Ｂ３によれば、遊技機Ｂ２の奏する効果に加え、不正検出手段は、排出部を間に挟んで凸部または凹部の反対側に配設されるので、外枠に対して前扉を開放した作業者は、凸部または凹部側から不正検出手段を視認することで、排出部および排出部側の凸部または凹部の外面にされた不正の痕跡を発見することができる。
【０４１６】
即ち、遊技媒体排出手段の外面に凸部または凹部が形成されると、排出部や排出部と凸部または凹部との間にされた不正の痕跡が、凸部または凹部により作業者から死角となる恐れがあるところ、かかる不正検出手段は、排出部を間に挟んで凸部または凹部の反対側に配設されるので、凸部または凹部により作業者から死角となる部分を反射して、作業者に視認させることができる。その結果、作業者が外枠に対して前扉を開放した際に作業者に不正がされた痕跡を発見させやすくできる。
【０４１７】
遊技機Ｂ２又はＢ３において、前記不正検出手段は、金属製の板状体から形成されると共に前記外枠の開口側の内側底面に配設され、前記外枠の開口側と反対側の一部に前記遊技媒体排出手段が載置されることを特徴とする遊技機Ｂ４。
【０４１８】
遊技機Ｂ４によれば、遊技機Ｂ２又はＢ３の奏する効果に加え、不正検出手段は、金属製の板状体から形成されると共に外枠の開口側の内側底面に配設され、外枠の開口側と反対側の一部に遊技媒体排出手段が載置されるので、不正検出手段により作業者が、外枠に対して前扉を開放して、不正検出手段により不正を検出することができると共に、遊技媒体排出手段を外枠から外枠の開口方向に向かってスライド変位させる場合に、外枠が遊技媒体排出手段と擦れて削れることを抑制できる。即ち、遊技媒体排出手段をスライド変位する場合の当接面として利用することができる。
【０４１９】
ここで、遊技媒体排出手段をスライド変位させた場合の外枠の当接面が、比較的摩耗しやすい材料（例えば、木材）で形成される場合では、遊技媒体排出手段の引き出し動作により、当接面が摩耗（すり減り）して遊技媒体排出手段の外枠に対するスライド変位を安定して行わせにくくなる。
【０４２０】
これに対して、遊技機Ｂ４では、遊技媒体排出手段をスライド変位させる場合の当接面を、金属性からなる不正検出部材とすることで、外枠の内周面が摩耗することを抑制できる。従って、遊技媒体排出手段の外枠に対するスライド変位を安定して行わせることができる。
【０４２１】
遊技機Ｂ２又はＢ３において、前記不正検出手段は、前記遊技媒体排出手段に対して変位可能な状態で配設されることを特徴とする遊技機Ｂ５。
【０４２２】
遊技機Ｂ５によれば、遊技機Ｂ２又はＢ３の奏する効果に加え、不正検出手段は、遊技媒体排出手段に対して変位可能な状態で配設されるので、遊技媒体排出手段にされた不正の痕跡を作業者に発見させやすくすることができる。
【０４２３】
即ち、前扉を開放した作業者の視点によっては、不正検出手段により凸部または凹部の死角となる部分を作業者側に反射しにくくなるところ、かかる不正検出手段が、遊技媒体排出手段に対して変位可能な状態で配設されるので、作業者は、不正検出手段を変位させることで、作業者の視点から凸部または凹部の死角となる部分を効率的に反射させることができる。その結果、遊技媒体排出手段にされた不正の痕跡を作業者に発見させやすくできる。
【０４２４】
遊技機Ｂ５において、前記不正検出手段は、前記遊技媒体排出手段に軸支されて配設されると共に、軸支部分と反対側の端部が少なくとも重力方向の変位成分を含む方向に回転可能とされることを特徴とする遊技機Ｂ６。
【０４２５】
遊技機Ｂ６によれば、遊技機Ｂ５の奏する効果に加え、不正検出手段は、遊技媒体排出手段に軸支されて配設されると共に、軸支部分と反対側の端部が少なくとも重力方向の変位成分を含む方向に回転可能とされるので、遊技媒体排出手段を支持する目的で、外枠に対して前扉を開放した作業者が、誤って（凸部または凹部と間違えて）不正検出手段を支持しようと場合に、不正検出部材が回転することで、不正検出手段に作業者の指が引っかかることを抑制できる。その結果、不正検出手段が破損することを抑制できる。
【０４２６】
遊技機Ｂ３からＢ６のいずれかにおいて、前記排出部の上方に前記凸部または凹部が形成され、前記排出部の下方に不正検出手段が配設されることを特徴とする遊技機Ｂ７。
【０４２７】
遊技機Ｂ７によれば、遊技機Ｂ３からＢ６のいずれかの奏する効果に加え、排出部の上方に凸部または凹部が形成され、排出部の下方に不正検出手段が配設されるので、前扉を開放した作業者が不正検出手段の反射を利用して、前記凸部または凹部の死角を視認しやすくできる。
【０４２８】
通常、遊技機は、遊技媒体排出手段の高さ位置が、作業者の視点よりも低い位置で店舗に設置される。そのため、凸部または凹部の下方部分が作業者の死角になりやすくなるところ、かかる不正検出手段が、凸部または凹部の下方に配設されるので、外枠に対して前扉を開放した作業者に凸部または凹部の下方部分を視認させやすくできる。その結果、遊技媒体排出手段にされた不正の痕跡を作業者に発見させやすくできる。
【０４２９】
遊技機Ｂ７において、前記前扉は、前記排出部から排出される遊技媒体を通過させる中空状の連通部を備え、前記不正検出手段は、前記連通部の外側に配設されることを特徴とする遊技機Ｂ８。
【０４３０】
遊技機Ｂ８によれば、遊技機Ｂ７の奏する効果に加え、前扉は、排出部から排出される遊技媒体を通過させる中空状の連通部を備え、不正検出手段は、連通部の外側に配設されるので、排出部から排出される遊技媒体が、不正検出手段に落下して当接することを抑制できる。その結果、不正検出手段に遊技媒体が当接することで、不正検出手段の外面に傷が形成されることを抑制でき、作業者が不正検出手段に反射される遊技媒体排出手段の外面を視認しにくくなることを抑制できる。
【０４３１】
遊技機Ｂ８において、前記遊技媒体排出手段には、凸部が突設され、その凸部は、前記排出部に連通する側の前記連通部の端面を含む平面上に配置されることを特徴とする遊技機Ｂ９。
【０４３２】
遊技機Ｂ９によれば、遊技機Ｂ８の奏する効果に加え、遊技媒体排出手段には、凸部が突設され、その凸部は、排出部に連通する側の連通部の端面を含む平面上に配置されるので、不正物が連通部と遊技媒体排出手段との隙間を介して排出部の内側に挿入されることを抑制できる。
【０４３３】
例えば、閉鎖された状態の前扉と外枠との間にドライバー等の工具で隙間を形成し、その隙間から針金やピアノ線等の不正物を挿入した場合に、その不正物の挿入先端側を遊技媒体排出手段と連通部との隙間を介して排出部の内側に挿入させ、遊技媒体排出手段の排出部から排出される遊技媒体の数を検出する検出センサのコネクタ部分をショート（断線）させる、又は、遊技媒体排出手段から排出される遊技媒体の移動経路を大きくして遊技媒体排出手段の排出部から排出される遊技媒体の数を検出する検出センサが作動しないようにすることで、排出部から排出される遊技媒体の数を所定の数よりも多くする不正行為がある。かかる不正行為に対し、本発明によれば、連通部の一方の端面を含む平面上に凸部が配置されるので、前扉と外枠との間から挿入された不正物が、遊技媒体排出手段と連通部との間に挿入されることを抑制できる。即ち、凸部と連通部とが同一の平面上に配設されることで、不正物が挿入される隙間を小さくすることができ、不正物が挿入されることを抑制できる。その結果、上述した不正行為を抑制できる。
【０４３４】
遊技機Ｂ２からＢ９のいずれかにおいて、前記排出部は、矩形状の開口として形成され、前記遊技媒体排出手段には、前記凸部が突設され、前記凸部は、前記排出部の長手方向に沿って延設され、その延設された両端部に前記排出部の短手方向に屈曲して延びる一対の屈曲部を備えることを特徴とする遊技機Ｂ１０。
【０４３５】
遊技機Ｂ１０によれば、遊技機Ｂ２からＢ９の奏する効果に加え、排出部は、矩形状の開口として形成され、遊技媒体排出手段には、凸部が突設され、凸部は、排出部の長手方向に沿って延設され、その延設された両端部に排出部の短手方向に屈曲して延びる一対の屈曲部を備えるので、作業者が、遊技媒体排出手段を移動させる目的で凸部を把持した場合、遊技媒体排出手段の重みで、作業者の手が、凸部に対して所定量以上位置ずれすることを規制することができる。その結果、作業者が遊技媒体排出部を支持した場合に、作業者の手から凸部が抜け出ることを抑制できる。
【０４３６】
遊技機Ｂ１０において、前記排出部は、前記一対の屈曲部の対向間に形成されることを特徴とする遊技機Ｂ１１。
【０４３７】
遊技機Ｂ１１によれば、遊技機Ｂ１０の奏する効果に加え、排出部は、一対の屈曲部の対向間に形成されるので、凸部を把持する作業者の手を排出部の前方に配置させることができる。よって、遊技媒体排出手段を作業者が移動させる場合に、その移動による振動で排出部を通過する遊技媒体を作業者の手に当接させることができる。その結果、作業者が遊技媒体排出手段を移動させる場合に、遊技機の外方に遊技媒体が散らばることを抑制できる。
【０４３８】
遊技機Ｂ１１において、前記不正検出手段は、前記一対の屈曲部の対向間に配設されると共に前記凸部と所定の隙間を隔てて配設され、前記連通部は、前記凸部と前記一対の屈曲部と前記不正検出手段とで囲われた空間に配設され、前記排出部は、前記連通部の内側に配設され、前記連通部と連通されることを特徴とする遊技機Ｂ１２。
【０４３９】
遊技機Ｂ１２によれば、遊技機Ｂ１１の奏する効果に加え、不正検出手段は、一対の屈曲部の対向間に配設されると共に凸部と所定の隙間を隔てて配設され、連通部は、凸部と一対の屈曲部と不正検出手段とで囲われた空間に配設され、排出部は、連通部の内側に配設され、連通部と連通されるので、前扉と外枠との間に形成する隙間から挿入される不正部材の先端が連通部の内側に挿入されることを抑制できる。その結果、遊技媒体排出手段に不正行為がされることを抑制できる。
【０４４０】
遊技機Ａ１からＡ１８及びＢ１からＢ１２のいずれかにおいて、前記遊技機はスロットマシンであることを特徴とする遊技機Ｃ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４４１】
遊技機Ａ１からＡ１８及びＢ１からＢ１２のいずれかにおいて、前記遊技機はパチンコ遊技機であることを特徴とする遊技機Ｃ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４４２】
遊技機Ａ１からＡ１８及びＢ１からＢ１２のいずれかにおいて、前記遊技機はパチンコ遊技機とスロットマシンとを融合させたものであることを特徴とする遊技機Ｃ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
一面側が開口する箱状の外枠と、その外枠の開口側に開閉可能に配設される前扉と、遊技媒体を排出する排出部が形成され、その排出部から排出される遊技媒体を貯留すると共に前記外枠の内側に着脱可能に配設される遊技媒体排出手段とを備えた遊技機が知られている（特開２００８−２２０７３９号公報）。しかしながら、上述した従来の遊技機では、遊技媒体排出手段を移動させる場合に、遊技媒体が遊技機の外方に散らばるという問題点があった。本技術的思想は、上記例示した問題点を解決するためになされたものであり、遊技媒体排出手段を移動させる場合に、遊技媒体が遊技機の外方に散らばることを抑制することができる遊技機を提供することを目的とする。
＜手段＞
この目的を達成するために技術的思想１の遊技機は、一面側が開口する箱状の外枠と、その外枠の開口側に開閉可能に配設される前扉と、遊技媒体を排出する排出部が形成され、その排出部から排出される遊技媒体を貯留すると共に前記外枠の内側に着脱可能に配設される遊技媒体排出手段とを備えたものであり、前記遊技媒体排出手段は、前記排出部から重力方向のいずれか一方に所定の距離離間する位置に突設または凹設される凸部または凹部を備える。
技術的思想２の遊技機は、技術的思想１記載の遊技機において、前記凸部は、突設先端部に重力方向下方に向かって突出する支持部を備え、前記排出部から重力方向上側に離間する位置に前記外枠から前記遊技媒体排出手段を取り出す方向に向かって前記凸部が突設される。
技術的思想３の遊技機は、技術的思想２に記載の遊技機において、遊技媒体は、円盤形に形成され、前記支持部は、前記凸部が突設される前記遊技媒体排出手段の側面との対向間の距離が、遊技媒体の直径よりも小さく設定される。
＜効果＞
技術的思想１記載の遊技機によれば、遊技媒体排出手段を移動させる場合に、遊技媒体が遊技機の外方に散らばることを抑制することができる。
技術的思想２記載の遊技機によれば、技術的思想１記載の遊技機の奏する効果に加え、遊技媒体排出手段を移動させやすくできる。
技術的思想３記載の遊技機によれば、技術的思想２に記載の遊技機の奏する効果に加え、遊技媒体排出手段を移動させる場合に、遊技媒体が遊技機の外方に散らばることを抑制することができる。
＜符号＞
１０ スロットマシン（遊技機）
１１ 筐体（外枠）
１１ｂ１ 金属プレート（不正検出手段）
１２ 前扉
５１２ｄ 排出部
３００ ホッパ装置（遊技媒体排出手段）
４４１，２４４１，５４４１ 支持部（凸部）
３５１１ｃ，４５１１ｃ 保持部（凹部）
４４３，２４４３，５４４３ 突設部（支持部）
８２ａ，２０８２ａ，３０８２ａ 連通部
４４２，２４４２，５４４２ 屈曲部
５４５０ 軸部材（介在部）
５４５２ 他側部分（拡径部）
５４３４ 軸孔（穿設孔）
３５１７，４５１７ 閉鎖部材
６５１１ｅ 鏡面体（不正検出手段）
【符号の説明】
【０４４３】
１０                          スロットマシン（遊技機）
１１                          筐体（外枠）
１２                          前扉（開閉手段）
５１２ｄ                      排出部（送出部）
３００                        ホッパ装置（遊技媒体送出手段）
５４４０ 保持部（所定部材）
５４４１                      支持部（操作部）
５４４３                      突設部（突出部）
【図１】
0006786886.tif 000002
【図２】
0006786886.tif 000003
【図３】
0006786886.tif 000004
【図４】
0006786886.tif 000005
【図５】
0006786886.tif 000006
【図６】
0006786886.tif 000007
【図７】
0006786886.tif 000008
【図８】
0006786886.tif 000009
【図９】
0006786886.tif 000010
【図１０】
0006786886.tif 000011
【図１１】
0006786886.tif 000012
【図１２】
0006786886.tif 000013
【図１３】
0006786886.tif 000014
【図１４】
0006786886.tif 000015
【図１５】
0006786886.tif 000016
【図１６】
0006786886.tif 000017
【図１７】
0006786886.tif 000018
【図１８】
0006786886.tif 000019
【図１９】
0006786886.tif 000020
【図２０】
0006786886.tif 000021
【図２１】
0006786886.tif 000022
【図２２】
0006786886.tif 000023
【図２３】
0006786886.tif 000024
【図２４】
0006786886.tif 000025
【図２５】
0006786886.tif 000026
【図２６】
0006786886.tif 000027
【図２７】
0006786886.tif 000028
【図２８】
0006786886.tif 000029
【図２９】
0006786886.tif 000030
【図３０】
0006786886.tif 000031
【図３１】
0006786886.tif 000032